(57)【要約】【課題】運動活動に参加する複数の個人をモニタリングするためのグループモニタリングデバイスを提供すること。【解決手段】デバイスは、運動活動中に、運動活動に参加する複数の個人のうちの各々に関するメトリック、および運動活動をモニタリングするのに使用されるシステムコンポーネントのステータスを表示するように構成されたディスプレイを含む。グループモニタリングデバイスは、ディスプレイの操作を可能にするように構成された入力手段も含むことができる。【選択図】図８
2014014683.tif 000002
【特許請求の範囲】
【請求項１】
運動活動に参加する複数の個人をモニタリングするためのグループモニタリングデバイスであって、
運動活動中に、
前記運動活動に参加する複数の個人のうちの各々に関するメトリック、および
前記運動活動をモニタリングするのに使用されるシステムコンポーネントのステータス
を表示するように構成されたディスプレイと、
前記ディスプレイの操作を可能にするように構成された入力手段と
を備えるグループモニタリングデバイス。
【請求項２】
前記システムコンポーネントが前記ディスプレイから離れたコンポーネントである、請求項１に記載のデバイス。
【請求項３】
前記システムコンポーネントが基地局である、請求項１に記載のデバイス。
【請求項４】
前記システムコンポーネントが個人モニタである、請求項１に記載のデバイス。
【請求項５】
前記システムコンポーネントがオブジェクトモニタである、請求項１に記載のデバイス。
【請求項６】
前記システムコンポーネントが個人モニタと通信するセンサである、請求項１に記載のデバイス。
【請求項７】
前記システムコンポーネントがオブジェクトモニタと通信するセンサである、請求項１に記載のデバイス。
【請求項８】
前記ステータスが、前記システムコンポーネントのバッテリの残余バッテリ電力の表示である、請求項１に記載のデバイス。
【請求項９】
前記システムコンポーネントが基地局である、請求項８に記載のデバイス。
【請求項１０】
前記システムコンポーネントが、前記運動活動に参加する個人に結合された個人モニタである、請求項８に記載のデバイス。
【請求項１１】
前記システムコンポーネントが、スポーツオブジェクトに結合されたオブジェクトモニタである、請求項８に記載のデバイス。
【請求項１２】
前記ステータスが、前記基地局にドッキングされたリモートモニタの数の表示である、請求項１に記載のデバイス。
【請求項１３】
前記ステータスが、リモートモニタにおけるＧＰＳ信号強度の表示である、請求項１に記載のデバイス。
【請求項１４】
前記リモートモニタが、前記運動活動に参加する個人に結合された個人モニタである、請求項１３に記載のデバイス。
【請求項１５】
前記リモートモニタが、スポーツオブジェクトに結合されたオブジェクトモニタである、請求項１３に記載のデバイス。
【請求項１６】
前記ステータスが、前記システムコンポーネントの適正動作の表示である、請求項１に記載のデバイス。
【請求項１７】
前記システムコンポーネントが、モニタ衣類のセンサに結合された個人モニタであり、
不適正動作の表示が、センサ衣類が個人に適正にフィットしていないことを示す、
請求項１６に記載のデバイス。
【請求項１８】
前記ステータスが、前記システムコンポーネントの適正配置の表示である、請求項１に記載のデバイス。
【請求項１９】
前記ステータスがシステムアラート閾値を超えたことに応答して前記ステータスが表示される、請求項１に記載のデバイス。
【請求項２０】
前記表示されるステータスが、リモートモニタ上のアラート表示に対応する、請求項１９に記載のデバイス。
【請求項２１】
前記アラート表示が、前記リモートモニタに結合された点灯したライトである、請求項２０に記載のデバイス。
【請求項２２】
個人に関連付けられたシステムコンポーネントの前記ステータスが、前記個人に関するパフォーマンスメトリックとともに同時に表示される、請求項１に記載のデバイス。
【請求項２３】
運動活動に参加する複数の個人をモニタリングするための方法であって、
前記運動活動中に、前記運動活動に参加する複数の個人に関する複数のメトリックを表示するステップと、
前記運動活動中に、前記運動活動をモニタリングするのに使用されるシステムコンポーネントのステータスを表示するステップと
を含む方法。
【請求項２４】
１つまたは複数のプロセッサによって実行されたときに、複数の個人が参加する運動活動に関するパフォーマンス情報をユーザに提供するコンピュータプログラムロジックが記録された、コンピュータ使用可能媒体を含む、コンピュータプログラム製品であって、前記コンピュータプログラムロジックが、
前記運動活動中に、前記運動活動に参加する複数の個人に関する複数のメトリックをプロセッサが表示することを可能にする第１のコンピュータ可読プログラムコードと、
前記運動活動中に、前記運動活動をモニタリングするのに使用されるシステムコンポーネントのステータスをプロセッサが表示することを可能にする第２のコンピュータ可読プログラムコードと
を含むコンピュータプログラム製品。
【請求項２５】
運動活動に参加する複数の個人をモニタリングするためのグループモニタリングデバイスであって、
前記運動活動中に、前記運動活動に参加する複数の個人に関する複数のメトリックを表示するように構成されたディスプレイであって、各メトリックが、前記複数の個人のうちの１人に関係する、ディスプレイと、
前記ディスプレイの操作を可能にするように構成された入力手段と
を備え、
前記複数のメトリックのうちの１つのメトリックが、相対メトリックであり、
前記相対メトリックが、それが関連する個人のパフォーマンスのレベルの、前記関連する個人のパーソナル能力に対する表示を提供する、
グループモニタリングデバイス。
【請求項２６】
前記相対メトリックが、前記関連する個人の相対パワーの表示を提供し、
相対パワーが、前記関連する個人のパワー出力の、前記関連する個人のパーソナル基準パワー出力に対する表示である、
請求項２５に記載のデバイス。
【請求項２７】
前記相対メトリックが、前記関連する個人の効率の表示を提供する、請求項２５に記載のデバイス。
【請求項２８】
効率の前記表示が、前記関連する個人の心拍数と比較した前記関連する個人の相対パワーに基づく、請求項２７に記載のデバイス。
【請求項２９】
前記第１の関連する個人に関連付けられた前記相対パワーメトリックが、第２の関連する個人に関連付けられた相対パワーメトリックと同時に表示される、請求項２５に記載のデバイス。
【請求項３０】
運動活動に参加する複数の個人をモニタリングするための方法であって、
前記運動活動中に、前記運動活動に参加する複数の個人に関する複数のメトリックを表示するステップであって、各メトリックが、前記複数の個人のうちの１人に関係する、ステップを含み、
前記複数のメトリックのうちの１つのメトリックが、相対メトリックであり、
前記相対メトリックが、それが関連する個人のパフォーマンスのレベルの、前記関連する個人のパーソナル能力に対する表示を提供する、
方法。
【請求項３１】
較正評価活動に基づいて、前記相対メトリックのための基準値を決定するステップをさらに含み、
前記相対メトリックが前記基準値に基づく、
請求項３０に記載の方法。
【請求項３２】
１つまたは複数のプロセッサによって実行されたときに、複数の個人が参加する運動活動に関するパフォーマンス情報をユーザに提供するコンピュータプログラムロジックが記録された、コンピュータ使用可能媒体を含む、コンピュータプログラム製品であって、前記コンピュータプログラムロジックが、
前記運動活動中に、前記運動活動に参加する複数の個人に関する複数のメトリックをプロセッサが表示することを可能にするコンピュータ可読プログラムコードであって、各メトリックが前記複数の個人のうちの１人に関係する、コンピュータ可読プログラムコードを含み、
前記複数のメトリックのうちの１つのメトリックが相対メトリックであり、
前記相対メトリックが、それが関連する個人のパフォーマンスのレベルの、前記関連する個人のパーソナル能力に対する表示を提供する、
コンピュータプログラム製品。
【請求項３３】
運動活動に参加する複数の個人をモニタリングするためのグループモニタリングデバイスであって、
運動活動中に、前記運動活動に参加する複数の個人のプレーイングフィールド上におけるロケーション、および移動可能なスポーツオブジェクトのロケーションを表す表現を表示するように構成されたディスプレイを備え、
前記表現が、前記複数の個人のうちの個人に結合された個人モニタによって生成されるロケーション情報、および前記スポーツオブジェクトに結合されたオブジェクトモニタによって生成されるロケーション情報に基づく、
グループモニタリングデバイス。
【請求項３４】
前記ディスプレイが、前記複数の個人のうちの各々および前記移動可能なスポーツオブジェクトの前記ロケーションのグラフィカル表現を表示するように構成される、請求項３３に記載のデバイス。
【請求項３５】
前記グラフィカル表現がヒートマップ表現である、請求項３４に記載のデバイス。
【請求項３６】
前記ヒートマップ表現が、プレーイングフィールドに関連するエリアにおいて、前記複数の個人のうちの各々および前記移動可能なスポーツオブジェクトによって費やされた時間を表す、請求項３５に記載のデバイス。
【請求項３７】
前記ディスプレイが、プレーイングフィールドの特徴に関して、前記複数の個人のうちの各々および前記移動可能なスポーツオブジェクトの前記ロケーションのグラフィカル表現を表示するように構成される、請求項３３に記載のデバイス。
【請求項３８】
前記ディスプレイが、前記運動活動中に、前記運動活動に参加する複数の個人のプレーイングフィールド上におけるロケーションを表す前記表現の表示を再生するように構成される、請求項３３に記載のデバイス。
【請求項３９】
前記ディスプレイが、前記運動活動の後で、前記運動活動に参加する複数の個人のプレーイングフィールド上におけるロケーションを表す前記表現の表示を再生するように構成される、請求項３３に記載のデバイス。
【請求項４０】
前記ディスプレイが、前記複数の個人のうちの各々の前記ロケーションおよび向きの表現を表示するように構成される、請求項３３に記載のデバイス。
【請求項４１】
前記ディスプレイが、前記複数の個人のうちの１人の個人の未来の行動についての推奨案を表示するように構成される、請求項３３に記載のデバイス。
【請求項４２】
前記ディスプレイが、ロケーションメトリックがアラート状況に一致したとの判定に応答して、アラートを表示するように構成される、請求項３３に記載のデバイス。
【請求項４３】
前記アラート状況が、ゴールエリアが無防備であることを示すデータに基づく、請求項４２に記載のデバイス。
【請求項４４】
前記アラート状況が、関連する個人の個人ロケーションメトリックに基づいた、前記関連する個人が対象ロケーションから閾値距離よりも遠くに所在しているとの判定に基づく、請求項４２に記載のデバイス。
【請求項４５】
前記アラート状況が、関連する個人の個人ロケーションメトリックに基づいた、前記関連する個人が負傷しているとの判定に基づく、請求項４２に記載のデバイス。
【請求項４６】
前記アラート状況が、個人ロケーションメトリックに基づいた、第１の個人が第２の個人の位置を認識していない可能性があるとの判定に基づく、請求項４２に記載のデバイス。
【請求項４７】
運動活動に参加する複数の個人をモニタリングするための方法であって、
前記運動活動中に、前記運動活動に参加する複数の個人のプレーイングフィールド上におけるロケーション、および移動可能なスポーツオブジェクトのロケーションを表す表現を表示するステップを含み、
前記表現が、前記複数の個人のうちの個人に結合された個人モニタによって生成されるロケーション情報、および前記スポーツオブジェクトに結合されたオブジェクトモニタによって生成されるロケーション情報に基づく、
方法。
【請求項４８】
１つまたは複数のプロセッサによって実行されたときに、複数の個人が参加する運動活動に関するパフォーマンス情報をユーザに提供するコンピュータプログラムロジックが記録された、コンピュータ使用可能媒体を含む、コンピュータプログラム製品であって、前記コンピュータプログラムロジックが、
前記運動活動中に、前記運動活動に参加する複数の個人のプレーイングフィールド上におけるロケーション、および移動可能なスポーツオブジェクトのロケーションを表す表現をプロセッサが表示することを可能にするコンピュータ可読プログラムコードを含み、
前記表現が、前記複数の個人のうちの個人に結合された個人モニタによって生成されるロケーション情報、および前記スポーツオブジェクトに結合されたオブジェクトモニタによって生成されるロケーション情報に基づく、
コンピュータプログラム製品。
【請求項４９】
運動活動に参加する複数の個人をモニタリングするためのグループモニタリングシステムであって、
複数の個人モニタであって、各個人モニタが前記運動活動に参加する個人のパフォーマンスをモニタリングするように構成される、複数の個人モニタと、
前記複数の個人モニタからメトリックの第１の組を受信するように構成された第１の基地局であって、メトリックの前記第１の組のうちのメトリックが前記個人の前記パフォーマンスを表す、第１の基地局と、
前記複数の個人モニタからメトリックの第２の組を受信するように構成された第２の基地局であって、メトリックの前記第２の組のうちのメトリックが前記個人の前記パフォーマンスを表す、第２の基地局と
を備え、
メトリックの前記第１の組がメトリックの前記第２の組と異なる、
グループモニタリングシステム。
【請求項５０】
前記第１の基地局が、メトリックの前記第１の組のうちのメトリックを第１のリモートデバイスに送信するように構成され、
前記第２の基地局が、メトリックの前記第２の組のうちのメトリックを第２のリモートデバイスに送信するように構成され、
前記第１のリモートデバイスが前記第２のリモートデバイスと異なる、
請求項４９に記載のデバイス。
【請求項５１】
運動活動に参加する複数の個人をモニタリングするためのグループモニタリングシステムであって、
複数の個人モニタであって、各個人モニタが前記運動活動に参加する個人のパフォーマンスをモニタリングするように構成される、複数の個人モニタと、
前記複数の個人モニタからメトリックを受信するように構成された基地局であって、前記メトリックが前記個人の前記パフォーマンスを表し、前記メトリックをリモートデバイスに提供するように構成されるウェブサーバシステムに、前記基地局が前記メトリックを送信するように構成される、基地局と
を備えるグループモニタリングシステム。
【請求項５２】
前記メトリックをオンサイト表示システムに提供するように構成される前記ウェブサーバシステムをさらに備える、
請求項５１に記載のシステム。
【請求項５３】
前記メトリックをマスコミ報道デバイスに提供するように構成される前記ウェブサーバシステムをさらに備える、
請求項５１に記載のシステム。
【請求項５４】
前記メトリックをインターネット接続データベースに提供するように構成される前記ウェブサーバシステムをさらに備える、
請求項５１に記載のシステム。
【請求項５５】
前記メトリックをビデオゲームに提供するように構成される前記ウェブサーバシステムをさらに備える、
請求項５１に記載のシステム。
【請求項５６】
前記ビデオゲームが、前記メトリックに基づいて、前記ビデオゲームの特徴をロック解除するように構成される、請求項５５に記載のシステム。
【請求項５７】
前記ビデオゲームが、前記メトリックに基づいて、仮想プレーヤのパフォーマンスに影響を与えるように構成される、請求項５５に記載のシステム。
【請求項５８】
前記ビデオゲームが、前記メトリックに基づいて、モニタリングされる運動イベントの少なくとも一部を仮想的に再現するように構成される、請求項５５に記載のシステム。
【請求項５９】
前記メトリックをトレーニングデバイスに提供するように構成される前記ウェブサーバシステムをさらに備える、
請求項５１に記載のシステム。
【請求項６０】
前記メトリックをモバイルａｐｐに提供するように構成される前記ウェブサーバシステムをさらに備える、
請求項５１に記載のシステム。
【請求項６１】
前記メトリックをソーシャルネットワーキングサービスに提供するように構成される前記ウェブサーバシステムをさらに備える、
請求項５１に記載のシステム。
【請求項６２】
運動活動に参加する複数の個人をモニタリングするための方法であって、
複数の個人モニタを使用して、前記運動活動に参加する複数の個人のパフォーマンスをモニタリングするステップと、
基地局において、前記複数の個人モニタからメトリックを受信するステップと、
前記メトリックをリモートデバイスに提供するように構成されるウェブサーバシステムに、前記メトリックを前記基地局から送信するステップと
を含み、
前記メトリックが、前記個人の前記パフォーマンスを表す、
方法。
【請求項６３】
１つまたは複数のプロセッサによって実行されたときに、複数の個人が参加する運動活動に関するパフォーマンス情報をユーザに提供するコンピュータプログラムロジックが記録された、コンピュータ使用可能媒体を含む、コンピュータプログラム製品であって、前記コンピュータプログラムロジックが、
複数の個人モニタから受信した情報を使用して、前記運動活動に参加する複数の個人のパフォーマンスをプロセッサがモニタリングすることを可能にする第１のコンピュータ可読プログラムコードと、
基地局において、プロセッサが前記複数の個人モニタからメトリックを受信することを可能にする第２のコンピュータ可読プログラムコードと、
前記メトリックをリモートデバイスに提供するように構成されるウェブサーバシステムにプロセッサが前記メトリックを送信することを可能にする第２のコンピュータ可読プログラムコードと
を含み、
前記メトリックが前記個人の前記パフォーマンスを表す、
コンピュータプログラム製品。
【請求項６４】
プレーイングフィールドを規定するための方法であって、
第１のロケーションに位置センサを配置するよう求める命令を、管理デバイスを使用して表示するステップと、
前記位置センサから第１の位置データを受信するステップと、
前記第１の位置データを前記第１のロケーションに対応するように規定するステップと、
第２のロケーションに前記位置センサを配置するよう求める命令を、前記管理デバイスを使用して表示するステップと、
前記位置センサから第２の位置データを受信するステップと、
前記第２の位置データを前記第２のロケーションに対応するように規定するステップと
を含み、
前記第１のロケーションの前記位置および前記第２のロケーションの前記位置が、共に前記プレーイングフィールドを規定する、
方法。
【請求項６５】
前記第１の位置と前記第２の位置に基づいて、第３のロケーションの位置を決定するステップを含み、
前記第１のロケーションの前記位置、前記第２のロケーションの前記位置、および前記第３のロケーションの前記位置が、共に前記プレーイングフィールドを規定する、
請求項６４に記載のシステム。
【請求項６６】
パフォーマンスデータに基づいて、トレーニング計画を自動的に調整するための方法であって、
個人の運動パフォーマンスに関するデータを、グループモニタリングシステムを使用して受信するステップと、
前記運動パフォーマンスにおける改善分野を識別するために、前記データを解析するステップと、
前記識別された改善分野に基づいて推奨トレーニング案を決定するステップと、
確立されたトレーニング計画を識別するステップと、
前記確立されたトレーニング計画を前記推奨トレーニング案と比較するステップと、
前記トレーニング計画が前記推奨トレーニング案のトレーニングを含まないとの判定に応答して、前記推奨トレーニング案の前記トレーニングを含むように前記トレーニング計画を調整するステップと
を含む方法。
【請求項６７】
活動をモニタリングするためのシステムであって、
基地局と、
前記基地局と無線で通信するように構成されたオブジェクトモニタと、
前記オブジェクトモニタと通信し、また前記活動において使用されている移動可能なスポーツオブジェクトの特性を感知し、前記活動中に、前記オブジェクトの前記特性を表すデータを前記オブジェクトモニタに送信するように構成されたオブジェクトセンサと、
前記基地局と無線で通信するように構成されたグループモニタリングデバイスと
を備え、
前記オブジェクトモニタが、前記活動中に、前記オブジェクトの前記特性を表す前記データを前記基地局に送信するように構成され、
前記基地局が、前記データを受信し、前記活動中に、前記データに基づいたメトリックを前記グループモニタリングデバイスに送信するように構成され、
前記グループモニタリングデバイスが、前記メトリックの表現を表示するように構成される、
システム。
【請求項６８】
前記メトリックが前記スポーツオブジェクトのロケーションの表示である、請求項６７に記載のシステム。
【請求項６９】
前記メトリックがイベントの発生の表示である、請求項６７に記載のシステム。
【請求項７０】
前記イベントがゴールが決まったことである、請求項６９に記載のシステム。
【請求項７１】
前記基地局と無線で通信するように構成された個人モニタと、
複数の個人センサであって、各個人センサが、前記個人モニタと通信し、また前記活動に参加している個人の特性を感知し、前記活動中に、前記個人の前記特性を表すデータを前記個人モニタに送信するように構成される、複数の個人センサと
をさらに備え、
前記個人モニタが、前記活動中に、前記個人の前記特性を表す前記データを前記基地局に送信するように構成され、
前記メトリックが、前記オブジェクトの前記特性を表す前記データと、前記個人の前記特性を表す前記データとの両方に基づく、
請求項６７に記載のシステム。
【請求項７２】
前記グループモニタリングデバイスが、前記メトリックを改善するための推奨案を表示するように構成される、請求項７１に記載のシステム。
【請求項７３】
運動活動に参加する複数の個人をモニタリングするためのグループモニタリングデバイスであって、
運動活動中に、
前記運動活動に参加する複数の個人のうちの各々に関する少なくとも１つのメトリック、および
前記運動活動をモニタリングするのに使用されるシステムコンポーネントのステータス
を表示するように構成されたディスプレイと、
前記ディスプレイの操作を可能にするように構成された入力手段と
を備えるグループモニタリングデバイス。
【請求項７４】
前記システムコンポーネントが前記ディスプレイから離れたコンポーネントである、請求項７３に記載のデバイス。
【請求項７５】
前記システムコンポーネントが基地局である、請求項７３または７４に記載のデバイス。
【請求項７６】
前記システムコンポーネントが個人モニタである、請求項７３または７４に記載のデバイス。
【請求項７７】
前記システムコンポーネントがオブジェクトモニタである、請求項７３または７４に記載のデバイス。
【請求項７８】
前記システムコンポーネントが個人モニタと通信するセンサである、請求項７３または７４に記載のデバイス。
【請求項７９】
前記システムコンポーネントがオブジェクトモニタと通信するセンサである、請求項７３または７４に記載のデバイス。
【請求項８０】
前記ステータスが、前記システムコンポーネントのバッテリの残余バッテリ電力の表示である、請求項７３から７９のいずれかに記載のデバイス。
【請求項８１】
前記システムコンポーネントが基地局である、請求項８０に記載のデバイス。
【請求項８２】
前記システムコンポーネントが、前記運動活動に参加する個人に結合された個人モニタである、請求項８０に記載のデバイス。
【請求項８３】
前記システムコンポーネントが、スポーツオブジェクトに結合されたオブジェクトモニタである、請求項８０に記載のデバイス。
【請求項８４】
前記ステータスが前記基地局にドッキングされたリモートモニタの数の表示である、請求項７３から８３のいずれかに記載のデバイス。
【請求項８５】
前記ステータスがリモートモニタにおけるＧＰＳ信号強度の表示である、請求項７３から８４のいずれかに記載のデバイス。
【請求項８６】
前記リモートモニタが前記運動活動に参加する個人に結合された個人モニタである、請求項８５に記載のデバイス。
【請求項８７】
前記リモートモニタがスポーツオブジェクトに結合されたオブジェクトモニタである、請求項８５に記載のデバイス。
【請求項８８】
前記ステータスが前記システムコンポーネントの適正動作の表示である、請求項７３から８７のいずれかに記載のデバイス。
【請求項８９】
前記システムコンポーネントが、モニタ衣類のセンサに結合された個人モニタであり、
不適正動作の表示が、センサ衣類が個人に適正にフィットしていないことを示す、
請求項８８に記載のデバイス。
【請求項９０】
前記ステータスが前記システムコンポーネントの適正配置の表示である、請求項７３から８９のいずれかに記載のデバイス。
【請求項９１】
前記ステータスがシステムアラート閾値を超えたことに応答して前記ステータスが表示される、請求項７３から９０のいずれかに記載のデバイス。
【請求項９２】
前記表示されるステータスがリモートモニタ上のアラート表示に対応する、請求項９１に記載のデバイス。
【請求項９３】
前記アラート表示が前記リモートモニタに結合された点灯したライトである、請求項９２に記載のデバイス。
【請求項９４】
個人に関連付けられたシステムコンポーネントの前記ステータスが、前記個人に関するパフォーマンスメトリックと同時に表示される、請求項７３から９３のいずれかに記載のデバイス。
【請求項９５】
運動活動に参加する複数の個人をモニタリングするための方法であって、
前記運動活動中に、前記運動活動に参加する複数の個人に関する複数のメトリックを表示するステップと、
前記運動活動中に、前記運動活動をモニタリングするのに使用されるシステムコンポーネントのステータスを表示するステップと
を含む方法。
【請求項９６】
１つまたは複数のプロセッサによって実行されたときに、複数の個人が参加する運動活動に関するパフォーマンス情報をユーザに提供するコンピュータプログラムロジックが記録された、コンピュータ使用可能媒体を含む、コンピュータプログラム製品であって、前記コンピュータプログラムロジックが、
前記運動活動中に、前記運動活動に参加する複数の個人に関する複数のメトリックをプロセッサが表示することを可能にする第１のコンピュータ可読プログラムコードと、
前記運動活動中に、前記運動活動をモニタリングするのに使用されるシステムコンポーネントのステータスをプロセッサが表示することを可能にする第２のコンピュータ可読プログラムコードと
を含むコンピュータプログラム製品。
【請求項９７】
運動活動に参加する複数の個人をモニタリングするためのグループモニタリングデバイスであって、
前記運動活動中に、前記運動活動に参加する複数の個人に関する複数のメトリックを表示するように構成されたディスプレイであって、各メトリックが前記複数の個人のうちの１人に関係する、ディスプレイと、
前記ディスプレイの操作を可能にするように構成された入力手段と
を備え、
前記複数のメトリックのうちの少なくとも１つのメトリックが相対メトリックであり、
前記相対メトリックが、それが関連する個人のパフォーマンスのレベルの、前記関連する個人のパーソナル能力に対する表示を提供する、
グループモニタリングデバイス。
【請求項９８】
前記相対メトリックが前記関連する個人の相対パワーの表示を提供し、
相対パワーが、前記関連する個人のパワー出力の、前記関連する個人のパーソナル基準パワー出力に対する表示である、
請求項９７に記載のデバイス。
【請求項９９】
前記相対メトリックが前記関連する個人の効率の表示を提供する、請求項９７に記載のデバイス。
【請求項１００】
効率の前記表示が、前記関連する個人の心拍数と比較した、前記関連する個人の相対パワーに基づく、請求項９９に記載のデバイス。
【請求項１０１】
前記第１の関連する個人に関連付けられた前記相対パワーメトリックが、第２の関連する個人に関連付けられた相対パワーメトリックと同時に表示される、請求項９７に記載のデバイス。
【請求項１０２】
運動活動に参加する複数の個人をモニタリングするための方法であって、
前記運動活動中に、前記運動活動に参加する複数の個人に関する複数のメトリックを表示するステップであって、各メトリックが前記複数の個人のうちの１人に関係する、ステップを含み、
前記複数のメトリックのうちの少なくとも１つのメトリックが相対メトリックであり、
前記相対メトリックが、それが関連する個人のパフォーマンスのレベルの、前記関連する個人のパーソナル能力に対する表示を提供する、
方法。
【請求項１０３】
較正評価活動に基づいて、前記相対メトリックのための基準値を決定するステップをさらに含み、
前記相対メトリックが前記基準値に基づく、
請求項１０２に記載の方法。
【請求項１０４】
１つまたは複数のプロセッサによって実行されたときに、複数の個人が参加する運動活動に関するパフォーマンス情報をユーザに提供するコンピュータプログラムロジックが記録された、コンピュータ使用可能媒体を含む、コンピュータプログラム製品であって、前記コンピュータプログラムロジックが、
前記運動活動中に、前記運動活動に参加する複数の個人に関する複数のメトリックをプロセッサが表示することを可能にするコンピュータ可読プログラムコードであって、各メトリックが、前記複数の個人のうちの１人に関係する、コンピュータ可読プログラムコードを含み、
前記複数のメトリックのうちの少なくとも１つのメトリックが相対メトリックであり、
前記相対メトリックが、それが関連する個人のパフォーマンスのレベルの、前記関連する個人のパーソナル能力に対する表示を提供する、
コンピュータプログラム製品。
【請求項１０５】
運動活動に参加する複数の個人をモニタリングするためのグループモニタリングデバイスであって、
運動活動中に、前記運動活動に参加する複数の個人のプレーイングフィールド上におけるロケーション、および移動可能なスポーツオブジェクトのロケーションを表す表現を表示するように構成されたディスプレイを備え、
前記表現が、前記複数の個人のうちの個人に結合された個人モニタによって生成されるロケーション情報、および前記スポーツオブジェクトに結合されたオブジェクトモニタによって生成されるロケーション情報に基づく、
グループモニタリングデバイス。
【請求項１０６】
前記ディスプレイが、前記複数の個人のうちの各々および前記移動可能なスポーツオブジェクトの前記ロケーションのグラフィカル表現を表示するように構成される、請求項１０５に記載のデバイス。
【請求項１０７】
前記グラフィカル表現がヒートマップ表現である、請求項１０６に記載のデバイス。
【請求項１０８】
前記ヒートマップ表現が、プレーイングフィールドに関連するエリアにおいて、前記複数の個人のうちの各々および前記移動可能なスポーツオブジェクトによって費やされた時間を表す、請求項１０７に記載のデバイス。
【請求項１０９】
前記ディスプレイが、プレーイングフィールドの特徴に関して、前記複数の個人のうちの各々および前記移動可能なスポーツオブジェクトの前記ロケーションのグラフィカル表現を表示するように構成される、請求項１０５から１０８のいずれかに記載のデバイス。
【請求項１１０】
前記ディスプレイが、前記運動活動中に、前記運動活動に参加する複数の個人のプレーイングフィールド上におけるロケーションを表す前記表現の表示を再生するように構成される、請求項１０５から１０９のいずれかに記載のデバイス。
【請求項１１１】
前記ディスプレイが、前記運動活動の後で、前記運動活動に参加する複数の個人のプレーイングフィールド上におけるロケーションを表す前記表現の表示を再生するように構成される、請求項１０５から１１０のいずれかに記載のデバイス。
【請求項１１２】
前記ディスプレイが、前記複数の個人のうちの各々の前記ロケーションおよび向きの表現を表示するように構成される、請求項１０５から１１１のいずれかに記載のデバイス。
【請求項１１３】
前記ディスプレイが、前記複数の個人のうちの個人の未来の行動についての推奨案を表示するように構成される、請求項１０５から１１２のいずれかに記載のデバイス。
【請求項１１４】
前記ディスプレイが、ロケーションメトリックがアラート状況に一致したとの判定に応答して、アラートを表示するように構成される、請求項１０５から１１３のいずれかに記載のデバイス。
【請求項１１５】
前記アラート状況が、ゴールエリアが無防備であることを示すデータに基づく、請求項１１４に記載のデバイス。
【請求項１１６】
前記アラート状況が、関連する個人の個人ロケーションメトリックに基づいた、前記関連する個人が対象ロケーションから閾値距離よりも遠くに所在しているとの判定に基づく、請求項１１４に記載のデバイス。
【請求項１１７】
前記アラート状況が、関連する個人の個人ロケーションメトリックに基づいた、前記関連する個人が負傷しているとの判定に基づく、請求項１１４に記載のデバイス。
【請求項１１８】
前記アラート状況が、個人ロケーションメトリックに基づいた、第１の個人が第２の個人の位置を認識していない可能性があるとの判定に基づく、請求項１１４に記載のデバイス。
【請求項１１９】
運動活動に参加する複数の個人をモニタリングするための方法であって、
前記運動活動中に、前記運動活動に参加する複数の個人のプレーイングフィールド上におけるロケーション、および移動可能なスポーツオブジェクトのロケーションを表す表現を表示するステップを含み、
前記表現が、前記複数の個人のうちの個人に結合された個人モニタによって生成されるロケーション情報、および前記スポーツオブジェクトに結合されたオブジェクトモニタによって生成されるロケーション情報に基づく、
方法。
【請求項１２０】
１つまたは複数のプロセッサによって実行されたときに、複数の個人が参加する運動活動に関するパフォーマンス情報をユーザに提供するコンピュータプログラムロジックが記録された、コンピュータ使用可能媒体を含む、コンピュータプログラム製品であって、前記コンピュータプログラムロジックが、
前記運動活動中に、前記運動活動に参加する複数の個人のプレーイングフィールド上におけるロケーション、および移動可能なスポーツオブジェクトのロケーションを表す表現をプロセッサが表示することを可能にするコンピュータ可読プログラムコードを含み、
前記表現が、前記複数の個人のうちの個人に結合された個人モニタによって生成されるロケーション情報、および前記スポーツオブジェクトに結合されたオブジェクトモニタによって生成されるロケーション情報に基づく、
コンピュータプログラム製品。
【請求項１２１】
運動活動に参加する複数の個人をモニタリングするためのグループモニタリングシステムであって、
複数の個人モニタであって、各個人モニタが前記運動活動に参加する個人のパフォーマンスをモニタリングするように構成される、複数の個人モニタと、
前記複数の個人モニタからメトリックの第１の組を受信するように構成された第１の基地局であって、メトリックの前記第１の組のうちのメトリックが前記個人の前記パフォーマンスを表す、第１の基地局と、
前記複数の個人モニタからメトリックの第２の組を受信するように構成された第２の基地局であって、メトリックの前記第２の組のうちのメトリックが前記個人の前記パフォーマンスを表す、第２の基地局と
を備え、
メトリックの前記第１の組がメトリックの前記第２の組と異なる、
グループモニタリングシステム。
【請求項１２２】
前記第１の基地局がメトリックの前記第１の組のうちのメトリックを第１のリモートデバイスに送信するように構成され、
前記第２の基地局がメトリックの前記第２の組のうちのメトリックを第２のリモートデバイスに送信するように構成され、
前記第１のリモートデバイスが前記第２のリモートデバイスと異なる、
請求項１２１に記載のデバイス。
【請求項１２３】
運動活動に参加する複数の個人をモニタリングするためのグループモニタリングシステムであって、
複数の個人モニタであって、各個人モニタが前記運動活動に参加する個人のパフォーマンスをモニタリングするように構成される、複数の個人モニタと、
前記複数の個人モニタからメトリックを受信するように構成された基地局であって、前記メトリックが前記個人の前記パフォーマンスを表し、前記基地局が前記メトリックをウェブサーバシステムに送信するように構成され、前記ウェブサーバシステムが前記メトリックをリモートデバイスに提供するように構成される、基地局と
を備えるグループモニタリングシステム。
【請求項１２４】
前記メトリックをオンサイト表示システムに提供するように構成される前記ウェブサーバシステムをさらに備える、
請求項１２３に記載のシステム。
【請求項１２５】
前記メトリックをマスコミ報道デバイスに提供するように構成される前記ウェブサーバシステムをさらに備える、
請求項１２３または１２４に記載のシステム。
【請求項１２６】
前記メトリックをインターネット接続データベースに提供するように構成される前記ウェブサーバシステムをさらに備える、
請求項１２３から１２５のいずれかに記載のシステム。
【請求項１２７】
前記メトリックをビデオゲームに提供するように構成される前記ウェブサーバシステムをさらに備える、
請求項１２３から１２６のいずれかに記載のシステム。
【請求項１２８】
前記ビデオゲームが、前記メトリックに基づいて、前記ビデオゲームの特徴をロック解除するように構成される、請求項１２７に記載のシステム。
【請求項１２９】
前記ビデオゲームが、前記メトリックに基づいて、仮想プレーヤのパフォーマンスに影響を与えるように構成される、請求項１２７または１２８に記載のシステム。
【請求項１３０】
前記ビデオゲームが、前記メトリックに基づいて、モニタリングされる運動イベントの少なくとも一部を仮想的に再現するように構成される、請求項１２７から１２９のいずれかに記載のシステム。
【請求項１３１】
前記メトリックをトレーニングデバイスに提供するように構成される前記ウェブサーバシステムをさらに備える、
請求項１２３から１３０のいずれかに記載のシステム。
【請求項１３２】
前記メトリックをモバイルａｐｐに提供するように構成される前記ウェブサーバシステムをさらに備える、
請求項１２３から１３１のいずれかに記載のシステム。
【請求項１３３】
前記メトリックをソーシャルネットワーキングサービスに提供するように構成される前記ウェブサーバシステムをさらに備える、
請求項１２３から１３２のいずれかに記載のシステム。
【請求項１３４】
運動活動に参加する複数の個人をモニタリングするための方法であって、
複数の個人モニタを使用して、前記運動活動に参加する複数の個人のパフォーマンスをモニタリングするステップと、
基地局において、前記複数の個人モニタからメトリックを受信するステップと、
前記メトリックをリモートデバイスに提供するように構成されるウェブサーバシステムに、前記メトリックを前記基地局から送信するステップと
を含み、
前記メトリックが、前記個人の前記パフォーマンスを表す、
方法。
【請求項１３５】
１つまたは複数のプロセッサによって実行されたときに、複数の個人が参加する運動活動に関するパフォーマンス情報をユーザに提供するコンピュータプログラムロジックが記録された、コンピュータ使用可能媒体を含む、コンピュータプログラム製品であって、前記コンピュータプログラムロジックが、
複数の個人モニタから受信した情報を使用して、前記運動活動に参加する複数の個人のパフォーマンスをプロセッサがモニタリングすることを可能にする第１のコンピュータ可読プログラムコードと、
基地局において、プロセッサが前記複数の個人モニタからメトリックを受信することを可能にする第２のコンピュータ可読プログラムコードと、
前記メトリックをリモートデバイスに提供するように構成される、ウェブサーバシステムに、プロセッサが前記メトリックを送信することを可能にする第２のコンピュータ可読プログラムコードと
を含み、
前記メトリックが前記個人の前記パフォーマンスを表す、
コンピュータプログラム製品。
【請求項１３６】
プレーイングフィールドを規定するための方法であって、
第１のロケーションに位置センサを配置するよう求める命令を、管理デバイスを使用して表示するステップと、
前記位置センサから第１の位置データを受信するステップと、
前記第１の位置データを前記第１のロケーションに対応するように規定するステップと、
第２のロケーションに前記位置センサを配置するよう求める命令を、前記管理デバイスを使用して表示するステップと、
前記位置センサから第２の位置データを受信するステップと、
前記第２の位置データを前記第２のロケーションに対応するように規定するステップと
を含み、
前記第１のロケーションの前記位置および前記第２のロケーションの前記位置が、共に前記プレーイングフィールドを規定する、
方法。
【請求項１３７】
前記第１の位置および前記第２の位置に基づいて、第３のロケーションの位置を決定するステップを含み、
前記第１のロケーションの前記位置、前記第２のロケーションの前記位置、および前記第３のロケーションの前記位置が、共に前記プレーイングフィールドを規定する、
請求項１３６に記載のシステム。
【請求項１３８】
パフォーマンスデータに基づいて、トレーニング計画を自動的に調整するための方法であって、
個人の運動パフォーマンスに関するデータを、グループモニタリングシステムを使用して受信するステップと、
前記運動パフォーマンスにおける改善分野を識別するために、前記データを解析するステップと、
前記識別された改善分野に基づいて推奨トレーニング案を決定するステップと、
確立されたトレーニング計画を識別するステップと、
前記確立されたトレーニング計画を前記推奨トレーニング案と比較するステップと、
前記トレーニング計画が前記推奨トレーニング案のトレーニングを含まないとの判定に応答して、前記推奨トレーニング案の前記トレーニングを含むように前記トレーニング計画を調整するステップと
を含む方法。
【請求項１３９】
活動をモニタリングするためのシステムであって、
基地局と、
前記基地局と無線で通信するように構成されたオブジェクトモニタと、
前記オブジェクトモニタと通信し、また前記活動において使用されている移動可能なスポーツオブジェクトの特性を感知し、前記活動中に、前記オブジェクトの前記特性を表すデータを前記オブジェクトモニタに送信するように構成されたオブジェクトセンサと、
前記基地局と無線で通信するように構成されたグループモニタリングデバイスと
を備え、
前記オブジェクトモニタが、前記活動中に、前記オブジェクトの前記特性を表す前記データを前記基地局に送信するように構成され、
前記基地局が、前記データを受信し、前記活動中に、前記データに基づいたメトリックを前記グループモニタリングデバイスに送信するように構成され、
前記グループモニタリングデバイスが、前記メトリックの表現を表示するように構成される、
システム。
【請求項１４０】
前記メトリックが前記スポーツオブジェクトのロケーションの表示である、請求項１３９に記載のシステム。
【請求項１４１】
前記メトリックがイベントの発生の表示である、請求項１３９に記載のシステム。
【請求項１４２】
前記イベントがゴールが決まったことである、請求項１４１に記載のシステム。
【請求項１４３】
前記基地局と無線で通信するように構成された個人モニタと、
複数の個人センサであって、各個人センサが、前記個人モニタと通信し、また前記活動に参加している個人の特性を感知し、前記活動中に、前記個人の前記特性を表すデータを前記個人モニタに送信するように構成される、複数の個人センサと
をさらに備え、
前記個人モニタが、前記活動中に、前記個人の前記特性を表す前記データを前記基地局に送信するように構成され、
前記メトリックが、前記オブジェクトの前記特性を表す前記データと、前記個人の前記特性を表す前記データとの両方に基づく、
請求項１３９から１４２のいずれかに記載のシステム。
【請求項１４４】
前記グループモニタリングデバイスが、前記メトリックを改善するための推奨案を表示するように構成される、請求項１３９から１４３のいずれかに記載のシステム。
【請求項１４５】
請求項９５、１０２、１０３、１１９、１３４、１３６、または１３８のいずれかの方法を実行するための命令を含むコンピュータプログラム。
【発明の詳細な説明】
【技術分野】
【０００１】
本発明は、一般に、活動モニタリングシステムに関し、詳細には、複数の個人のライブモニタリングを容易にする運動活動モニタリングシステムに関する。
【背景技術】
【０００２】
運動は、健康的なライフスタイルおよび個人の幸福を維持するために重要である。個人が運動を行う一般的な方法は、例えば、スポーツおよびトレーニングプログラムなどの、運動活動に参加することである。運動活動のセッションは、例えば、トレーニングセッション、または例えばサッカーの試合もしくはバスケットボールのゲームなどの、競技セッションを含むことができる。競技的または協調的環境において運動活動に参加する場合、ある人のパフォーマンスは、他の個人のパフォーマンスに依存することがある。例えば、チームスポーツの場合、様々な運動動作および奮戦のパフォーマンスは、味方または敵の運動動作および奮戦によって影響を受けることがある。しばしば、トレーナ（例えばコーチ）は、そのような運動活動をモニタリングしている。
【０００３】
運動活動を効果的にモニタリングするために、トレーナまたは他の個人は、一般に、例えばスポーツフィールドのサイドラインのところから、運動活動を見ることによって、運動活動の参加者についての情報を収集する。したがって、運動活動に影響を与える判断を行うのに使用される情報は、一般に、トレーナがサイドラインのところから観察したものに限定される。トレーナは、この観察を助けるためのアシスタントを持つことができ、または複数のトレーナが、共同して作業にあたることができるが、運動活動中に、複数の個人をモニタリングしながら、各個人のパフォーマンスを効果的に追跡し、管理することは、依然として難しい。
【先行技術文献】
【特許文献】
【０００４】
【特許文献１】米国特許出願第１２／４６７９４４号
【特許文献２】米国特許出願第１２／４６７９４８号
【特許文献３】米国特許出願第１３／０７７４９４号
【特許文献４】米国特許出願第１３／０７７５２０号
【特許文献５】米国特許出願第１３／０７７５１０号
【特許文献６】米国特許出願第１３／４４６９３７号
【特許文献７】米国特許出願第１３／４４６９８２号
【特許文献８】米国特許出願第１３／４４６９８６号
【発明の概要】
【課題を解決するための手段】
【０００５】
いくつかの実施形態は、運動活動に参加する複数の個人をモニタリングするためのグループモニタリングデバイスを提供し、デバイスは、運動活動中に、運動活動に参加する複数の個人のうちの各々に関する少なくとも１つのメトリック（metric）、および運動活動をモニタリングするのに使用されるシステムコンポーネントのステータスを表示するように構成されたディスプレイを含む。グループモニタリングデバイスは、ディスプレイの操作を可能にするように構成された入力手段も含むことができる。
【０００６】
いくつかの実施形態は、運動活動に参加する複数の個人をモニタリングするための方法を提供し、方法は、運動活動中に、運動活動に参加する複数の個人に関する複数のメトリックを表示するステップと、運動活動中に、運動活動をモニタリングするのに使用されるシステムコンポーネントのステータスを表示するステップとを含む。
【０００７】
いくつかの実施形態は、１つまたは複数のプロセッサによって実行されたときに、複数の個人が参加する運動活動に関するパフォーマンス情報をユーザに提供するコンピュータプログラムロジックが記録された、コンピュータ使用可能媒体を含む、コンピュータプログラム製品を提供し、コンピュータプログラムロジックは、運動活動中に、運動活動に参加する複数の個人に関する複数のメトリックをプロセッサが表示することを可能にする第１のコンピュータ可読プログラムコードと、運動活動中に、運動活動をモニタリングするのに使用されるシステムコンポーネントのステータスをプロセッサが表示することを可能にする第２のコンピュータ可読プログラムコードとを含む。
【０００８】
いくつかの実施形態は、運動活動に参加する複数の個人をモニタリングするためのグループモニタリングデバイスを提供し、デバイスは、運動活動中に、運動活動に参加する複数の個人に関する複数のメトリックを表示するように構成されたディスプレイであって、各メトリックが、複数の個人のうちの１人に関係する、ディスプレイと、ディスプレイの操作を可能にするように構成された入力手段とを含み、複数のメトリックのうちの少なくとも１つのメトリックは相対メトリックであり、相対メトリックは、それが関連する個人のパフォーマンスのレベルの、その関連する個人のパーソナル能力に対する表示を提供する。
【０００９】
いくつかの実施形態は、運動活動に参加する複数の個人をモニタリングするための方法を提供し、方法は、運動活動中に、運動活動に参加する複数の個人に関する複数のメトリックを表示するステップであって、各メトリックが、複数の個人のうちの１人に関係する、ステップを含み、複数のメトリックのうちの少なくとも１つのメトリックは相対メトリックであり、相対メトリックは、それが関連する個人のパーソナル能力に対する、その関連する個人のパフォーマンスのレベルの表示を提供する。
【００１０】
いくつかの実施形態は、１つまたは複数のプロセッサによって実行されたときに、複数の個人が参加する運動活動に関するパフォーマンス情報をユーザに提供するコンピュータプログラムロジックが記録された、コンピュータ使用可能媒体を含む、コンピュータプログラム製品を提供し、コンピュータプログラムロジックは、運動活動中に、運動活動に参加する複数の個人に関する複数のメトリックをプロセッサが表示することを可能にするコンピュータ可読プログラムコードであって、各メトリックが、複数の個人のうちの１人に関係する、コンピュータ可読プログラムコードを含み、複数のメトリックのうちの少なくとも１つのメトリックは相対メトリックであり、相対メトリックは、それが関連する個人のパーソナル能力に対する、その関連する個人のパフォーマンスのレベルの表示を提供する。
【００１１】
いくつかの実施形態は、運動活動に参加する複数の個人をモニタリングするためのグループモニタリングデバイスを提供し、デバイスは、運動活動中に、運動活動に参加する複数の個人のプレーイングフィールド上におけるロケーション、および移動可能なスポーツオブジェクトのロケーションを表す表現を表示するように構成されたディスプレイを含み、表現は、複数の個人のうちの個人に結合された個人モニタによって生成されるロケーション情報、およびスポーツオブジェクトに結合されたオブジェクトモニタによって生成されるロケーション情報に基づく。
【００１２】
いくつかの実施形態は、運動活動に参加する複数の個人をモニタリングするための方法を提供し、方法は、運動活動中に、運動活動に参加する複数の個人のプレーイングフィールド上におけるロケーション、および移動可能なスポーツオブジェクトのロケーションを表す表現を表示するステップを含み、表現は、複数の個人のうちの個人に結合された個人モニタによって生成されるロケーション情報、およびスポーツオブジェクトに結合されたオブジェクトモニタによって生成されるロケーション情報に基づく。
【００１３】
いくつかの実施形態は、１つまたは複数のプロセッサによって実行されたときに、複数の個人が参加する運動活動に関するパフォーマンス情報をユーザに提供するコンピュータプログラムロジックが記録された、コンピュータ使用可能媒体を含む、コンピュータプログラム製品を提供し、コンピュータプログラムロジックは、運動活動中に、運動活動に参加する複数の個人のプレーイングフィールド上におけるロケーション、および移動可能なスポーツオブジェクトのロケーションを表す表現をプロセッサが表示することを可能にするコンピュータ可読プログラムコードを含み、表現は、複数の個人のうちの個人に結合された個人モニタによって生成されるロケーション情報、およびスポーツオブジェクトに結合されたオブジェクトモニタによって生成されるロケーション情報に基づく。
【００１４】
いくつかの実施形態は、運動活動に参加する複数の個人をモニタリングするためのグループモニタリングシステムを提供し、システムは、複数の個人モニタであって、各個人モニタが、運動活動に参加する個人のパフォーマンスをモニタリングするように構成される、複数の個人モニタと、複数の個人モニタからメトリックの第１の組を受信するように構成された第１の基地局であって、メトリックの第１の組のうちのメトリックが、個人のパフォーマンスを表す、第１の基地局と、複数の個人モニタからメトリックの第２の組を受信するように構成された第２の基地局であって、メトリックの第２の組のうちのメトリックが、個人のパフォーマンスを表す、第２の基地局とを含み、メトリックの第１の組はメトリックの第２の組と異なる。
【００１５】
いくつかの実施形態は、運動活動に参加する複数の個人をモニタリングするためのグループモニタリングシステムを提供し、システムは、複数の個人モニタであって、各個人モニタが運動活動に参加する個人のパフォーマンスをモニタリングするように構成される、複数の個人モニタと、複数の個人モニタからメトリックを受信するように構成された基地局であって、メトリックが、個人のパフォーマンスを表し、基地局が、メトリックをウェブサーバシステムに送信するように構成され、ウェブサーバシステムが、メトリックをリモートデバイスに提供するように構成される、基地局とを含む。
【００１６】
いくつかの実施形態は、運動活動に参加する複数の個人をモニタリングするための方法を提供し、方法は、複数の個人モニタを使用して、運動活動に参加する複数の個人のパフォーマンスをモニタリングするステップと、基地局において、複数の個人モニタからメトリックを受信するステップと、メトリックを基地局からウェブサーバシステムに送信するステップであって、ウェブサーバシステムが、メトリックをリモートデバイスに提供するように構成される、ステップとを含み、メトリックは、個人のパフォーマンスを表す。
【００１７】
いくつかの実施形態は、１つまたは複数のプロセッサによって実行されたときに、複数の個人が参加する運動活動に関するパフォーマンス情報をユーザに提供するコンピュータプログラムロジックが記録された、コンピュータ使用可能媒体を含む、コンピュータプログラム製品を提供し、コンピュータプログラムロジックは、複数の個人モニタから受信した情報を使用して、運動活動に参加する複数の個人のパフォーマンスをプロセッサがモニタリングすることを可能にする第１のコンピュータ可読プログラムコードと、基地局において、プロセッサが複数の個人モニタからメトリックを受信することを可能にする第２のコンピュータ可読プログラムコードと、プロセッサがメトリックをウェブサーバシステムに送信することを可能にする第２のコンピュータ可読プログラムコードであって、ウェブサーバシステムが、メトリックをリモートデバイスに提供するように構成される、第２のコンピュータ可読プログラムコードとを含み、メトリックは、個人のパフォーマンスを表す。
【００１８】
いくつかの実施形態は、プレーイングフィールドを規定するための方法を提供し、方法は、第１のロケーションに位置センサを配置するよう求める命令を、管理デバイスを使用して表示するステップと、位置センサから第１の位置データを受信するステップと、第１の位置データを第１のロケーションの位置として規定するステップと、第２のロケーションに位置センサを配置するよう求める命令を、管理デバイスを使用して表示するステップと、位置センサから第２の位置データを受信するステップと、第２の位置データを第２のロケーションの位置として規定するステップとを含み、第１のロケーションの位置と、第２のロケーションの位置とが、共にプレーイングフィールドを規定する。
【００１９】
いくつかの実施形態は、パフォーマンスデータに基づいて、トレーニング計画を自動的に調整するための方法を提供し、方法は、個人の運動パフォーマンスに関するデータを、グループモニタリングシステムを使用して受信するステップと、運動パフォーマンスにおける改善分野を識別するために、データを解析するステップと、識別された改善分野に基づいて推奨トレーニング案を決定するステップと、確立されたトレーニング計画を識別するステップと、確立されたトレーニング計画を推奨トレーニング案と比較するステップと、トレーニング計画が推奨トレーニング案のトレーニングを含まないとの判定に応答して、推奨トレーニング案のトレーニングを含むようにトレーニング計画を調整するステップとを含む。
【００２０】
いくつかの実施形態は、活動をモニタリングするためのシステムを提供し、システムは、基地局と、基地局と無線で通信するように構成されたオブジェクトモニタと、複数のオブジェクトセンサであって、各オブジェクトセンサが、オブジェクトモニタと通信し、また活動において使用されている移動可能なスポーツオブジェクトの特性を感知し、活動中に、オブジェクトの特性を表すデータをオブジェクトモニタに送信するように構成される、複数のオブジェクトセンサと、基地局と無線で通信するように構成されたグループモニタリングデバイスとを含み、オブジェクトモニタが、活動中に、オブジェクトの特性を表すデータを基地局に送信するように構成され、基地局が、データを受信し、活動中に、データに基づいたメトリックをグループモニタリングデバイスに送信するように構成され、グループモニタリングデバイスが、メトリックの表現を表示するように構成される。
【００２１】
本明細書に組み込まれ、本明細書の一部を形成する添付の図面は、本発明を図説し、また本明細書の本文とともに、本発明の原理を説明し、当業者が本発明を作成および使用することを可能にするのにも役立つ。図面において、同様の参照番号、参照文字、または参照表現は、同一または機能的に類似の要素を指し示す。
【図面の簡単な説明】
【００２２】
【図１】本発明の例示的な一実施形態による、モニタリングシステムを示す図である。
【図２Ａ】本発明の例示的な一実施形態による、個人モニタおよび関連するコンポーネントを示す図である。
【図２Ｂ】本発明の例示的な一実施形態による、オブジェクトモニタを示す図である。
【図３】本発明の例示的な一実施形態による、例示的なグループモニタリングデバイスを示す図である。
【図４】本発明の例示的な一実施形態による、個人モニタの図である。
【図５】本発明の例示的な一実施形態による、個人モニタを示す図である。
【図６】本発明の例示的な一実施形態による、個人モニタを示す図である。
【図７】本発明の例示的な一実施形態による、個人モニタを示す図である。
【図８】本発明の例示的な一実施形態による、モニタリングシステムの図である。
【図９】本発明の例示的な一実施形態による、グループモニタリングデバイスを示す図である。
【図１０】本発明の例示的な一実施形態による、解析デバイスを示す図である。
【図１１】本発明の例示的な一実施形態による、モニタリングシステムの一部の図である。
【図１２】本発明の例示的な一実施形態による、モニタリングフロー図である。
【図１３】本発明の例示的な一実施形態による、グループモニタリングデバイスのディスプレイを示す図である。
【図１４】本発明の例示的な一実施形態による、グループモニタリングデバイスのディスプレイを示す図である。
【図１５】本発明の例示的な一実施形態による、グループモニタリングデバイスのディスプレイを示す図である。
【図１６】本発明の例示的な一実施形態による、グループモニタリングデバイスのディスプレイを示す図である。
【図１７】本発明の例示的な一実施形態による、グループモニタリングデバイスのディスプレイを示す図である。
【図１８】本発明の例示的な一実施形態による、グループモニタリングデバイスのディスプレイを示す図である。
【図１９】本発明の例示的な一実施形態による、グループモニタリングデバイスのディスプレイを示す図である。
【図２０】本発明の例示的な一実施形態による、グループモニタリングデバイスのディスプレイを示す図である。
【図２１】本発明の例示的な一実施形態による、基地局を示す図である。
【図２２】本発明の例示的な一実施形態による、基地局を示す図である。
【図２３】本発明の例示的な一実施形態による、基地局を示す図である。
【図２４】本発明の例示的な一実施形態による、基地局のアンテナを示す図である。
【図２５】本発明の例示的な一実施形態による、基地局を示す図である。
【図２６】本発明の例示的な一実施形態による、基地局を示す図である。
【図２７】本発明の例示的な一実施形態による、グループモニタリングデバイスのディスプレイを示す図である。
【図２８】本発明の例示的な一実施形態による、グループモニタリングデバイスのディスプレイを示す図である。
【図２９】本発明の例示的な一実施形態による、グループモニタリングデバイスのディスプレイを示す図である。
【図３０】本発明の例示的な一実施形態による、グループモニタリングデバイスのディスプレイを示す図である。
【図３１】本発明の例示的な一実施形態による、グループモニタリングデバイスのディスプレイを示す図である。
【図３２】本発明の例示的な一実施形態による、グループモニタリングデバイスのディスプレイを示す図である。
【図３３Ａ】本発明の例示的な一実施形態による、グループモニタリングデバイスのディスプレイを示す図である。
【図３３Ｂ】本発明の例示的な一実施形態による、グループモニタリングデバイスのディスプレイを示す図である。
【図３４】本発明の例示的な一実施形態による、グループモニタリングデバイスのディスプレイを示す図である。
【図３５Ａ】本発明の例示的な一実施形態による、グループモニタリングデバイスのディスプレイを示す図である。
【図３５Ｂ】本発明の例示的な一実施形態による、グループモニタリングデバイスのディスプレイを示す図である。
【図３５Ｃ】本発明の例示的な一実施形態による、グループモニタリングデバイスのディスプレイを示す図である。
【図３５Ｄ】本発明の例示的な一実施形態による、グループモニタリングデバイスのディスプレイを示す図である。
【図３６Ａ】本発明の例示的な一実施形態による、グループモニタリングデバイスのディスプレイを示す図である。
【図３６Ｂ】本発明の例示的な一実施形態による、グループモニタリングデバイスのディスプレイを示す図である。
【図３７Ａ】本発明の例示的な一実施形態による、グループモニタリングデバイスのディスプレイを示す図である。
【図３７Ｂ】本発明の例示的な一実施形態による、グループモニタリングデバイスのディスプレイを示す図である。
【図３８】本発明の例示的な一実施形態による、グループモニタリングデバイスのディスプレイを示す図である。
【図３９】本発明の例示的な一実施形態による、グループモニタリングデバイスのディスプレイを示す図である。
【図４０】本発明の例示的な一実施形態による、グループモニタリングデバイスのディスプレイを示す図である。
【図４１】本発明の例示的な一実施形態による、グループモニタリングデバイスのディスプレイを示す図である。
【図４２Ａ】本発明の例示的な一実施形態による、グループモニタリングデバイスのディスプレイを示す図である。
【図４２Ｂ】本発明の例示的な一実施形態による、グループモニタリングデバイスのディスプレイを示す図である。
【図４２Ｃ】本発明の例示的な一実施形態による、グループモニタリングデバイスのディスプレイを示す図である。
【図４２Ｄ】本発明の例示的な一実施形態による、グループモニタリングデバイスのディスプレイを示す図である。
【図４２Ｅ】本発明の例示的な一実施形態による、グループモニタリングデバイスのディスプレイを示す図である。
【図４２Ｆ】本発明の例示的な一実施形態による、グループモニタリングデバイスのディスプレイを示す図である。
【図４３】本発明の例示的な一実施形態による、グループモニタリングデバイスのディスプレイを示す図である。
【図４４】本発明の例示的な一実施形態による、グループモニタリングデバイスのディスプレイを示す図である。
【図４５】本発明の例示的な一実施形態による、グループモニタリングデバイスのディスプレイを示す図である。
【図４６】本発明の例示的な一実施形態による、グループモニタリングデバイスのディスプレイを示す図である。
【図４７】本発明の例示的な一実施形態による、グループモニタリングデバイスのディスプレイを示す図である。
【図４８】本発明の例示的な一実施形態による、グループモニタリングデバイスのディスプレイを示す図である。
【図４９】本発明の例示的な一実施形態による、グループモニタリングデバイスのディスプレイを示す図である。
【図５０】本発明の例示的な一実施形態による、グループモニタリングデバイスのディスプレイを示す図である。
【図５１】本発明の例示的な一実施形態による、グループモニタリングデバイスのディスプレイを示す図である。
【図５２】本発明の例示的な一実施形態による、グループモニタリングデバイスのディスプレイを示す図である。
【図５３】本発明の例示的な一実施形態による、グループモニタリングデバイスのディスプレイを示す図である。
【図５４】本発明の例示的な一実施形態による、グループモニタリングデバイスのディスプレイを示す図である。
【図５５】本発明の例示的な一実施形態による、解析デバイスのディスプレイを示す図である。
【図５６】本発明の例示的な一実施形態による、解析デバイスのディスプレイを示す図である。
【図５７】本発明の例示的な一実施形態による、グループモニタリングデバイスのディスプレイを示す図である。
【図５８】本発明の例示的な一実施形態による、グループモニタリングデバイスのディスプレイを示す図である。
【図５９】本発明の例示的な一実施形態による、グループモニタリングデバイスのディスプレイを示す図である。
【図６０】本発明の例示的な一実施形態による、グループモニタリングデバイスのディスプレイを示す図である。
【図６１】本発明の例示的な一実施形態による、グループモニタリングデバイスのディスプレイを示す図である。
【図６２】本発明の例示的な一実施形態による、グループモニタリングデバイスのディスプレイを示す図である。
【図６３】本発明の例示的な一実施形態による、グループモニタリングデバイスのディスプレイを示す図である。
【図６４】本発明の例示的な一実施形態による、グループモニタリングデバイスのディスプレイを示す図である。
【図６５】本発明の例示的な一実施形態による、グループモニタリングデバイスのディスプレイを示す図である。
【図６６】本発明の例示的な一実施形態による、グループモニタリングデバイスのディスプレイを示す図である。
【図６７】本発明の例示的な一実施形態による、グループモニタリングデバイスのディスプレイを示す図である。
【図６８】本発明の例示的な一実施形態による、グループモニタリングデバイスのディスプレイを示す図である。
【図６９】本発明の例示的な一実施形態による、グループモニタリングデバイスのディスプレイを示す図である。
【図７０】本発明の例示的な一実施形態による、グループモニタリングデバイスのディスプレイを示す図である。
【図７１】本発明の例示的な一実施形態による、グループモニタリングデバイスのディスプレイを示す図である。
【図７２】本発明の例示的な一実施形態による、グループモニタリングデバイスのディスプレイを示す図である。
【図７３】本発明の例示的な一実施形態による、グループモニタリングデバイスのディスプレイを示す図である。
【図７４】本発明の例示的な一実施形態による、グループモニタリングデバイスのディスプレイを示す図である。
【図７５】本発明の例示的な一実施形態による、グループモニタリングデバイスのディスプレイを示す図である。
【図７６】本発明の例示的な一実施形態による、グループモニタリングデバイスのディスプレイを示す図である。
【図７７】本発明の例示的な一実施形態による、グループモニタリングデバイスのディスプレイを示す図である。
【図７８】本発明の例示的な一実施形態による、グループモニタリングデバイスのディスプレイを示す図である。
【図７９】本発明の例示的な一実施形態による、グループモニタリングデバイスのディスプレイを示す図である。
【図８０】本発明の例示的な一実施形態による、グループモニタリングデバイスのディスプレイを示す図である。
【図８１】本発明の例示的な一実施形態による、グループモニタリングデバイスのディスプレイを示す図である。
【発明を実施するための形態】
【００２３】
添付の図面に示されるような本発明の実施形態を参照しながら、今から本発明を詳細に説明する。「一実施形態（ｏｎｅ  ｅｍｂｏｄｉｍｅｎｔ）」、「一実施形態（ａｎ  ｅｍｂｏｄｉｍｅｎｔ）」、「例示的な一実施形態（ａｎ  ｅｘｅｍｐｌａｒｙ  ｅｍｂｏｄｉｍｅｎｔ）」などに対する言及は、説明される実施形態は、特定の特徴、構造、または特性を含むことができるが、必ずしもすべての実施形態が、その特定の特徴、構造、または特性を含むとは限らないことを示唆している。さらに、そのような文言は、必ずしも同じ実施形態に言及しているわけではない。さらに、一実施形態との関連において、特定の特徴、構造、または特性が説明される場合、明示的に説明されているかどうかに係わらず、他の実施形態との関連において、そのような特徴、構造、または特性に影響を与えることは、当業者の知識の範囲内にあると考えられる。
【００２４】
本明細書で使用される「発明」または「本発明」という用語は、非限定的な用語であり、特定の発明のいずれか単一の実施形態を指示する意図はなく、本出願において説明されるすべての可能な実施形態を包含する。
【００２５】
本発明の様々な態様、または本発明のいずれかの部分もしくは機能は、ハードウェア、ソフトウェア、ファームウェア、命令が記憶される有形なコンピュータ可読もしくはコンピュータ使用可能記憶媒体、またはそれらの組み合わせを使用して、実施することができ、１つもしくは複数のコンピュータシステムまたは他の処理システムにおいて、実施することができる。
【００２６】
運動活動に参加する個人、およびトレーナ（例えば、コーチ、医師、または他の公認された個人）は、様々な理由で、運動活動のセッション中に共に働くことがある。例えば、トレーナが、個人のパフォーマンスをモニタリングし、個人の健康レベルを最大化するために、推奨案を作成し、または他の方法で個人のパフォーマンスに影響を与えることが望まれることがある。代わりに、またはそれに加えて、トレーナが、運動活動における個人の有効性を最大化するのを助けるために、個人をモニタリングし、個人に影響を与えることが望まれることがある。さらに、トレーナは、運動活動における成功の可能性を最大化するのを助けるために、個人をモニタリングし、個人に影響を与えることが望まれることがある（ここで、成功とは、例えば、ゲーム、例えばサッカー、で相手チームを負かすこと、または運動活動に参加している１人もしくは複数の個人にとって所望の健康レベルを達成／維持することとすることができる）。運動活動のセッションは、例えば、トレーニングセッション（例えば、フィールドセッション、ジムセッション、トラックセッション）、または競技セッション（サッカーの試合もしくはバスケットボールのゲーム）を含むことができる。
【００２７】
いくつかの例示的な実施形態では、トレーナは、個人の健康および安全を追跡し、維持するために、個人をモニタリングし、個人に影響を与えることができる。そのような一実施形態では、例えば、怪我、病気、および危険な状態など、健康および安全に関する情報を、トレーナに提供することが有益なことがある。
【００２８】
トレーナは、個人およびグループの両面で、これらおよび他の目標を検討し、個人をモニタリングし、個人のパフォーマンスに影響を与えるための決定を行わなければならない。それを行う際、トレーナは、運動活動のセッションに参加している間の個人および個人のパフォーマンスについての情報に依存する。トレーナは、トレーナが直接的に観察可能な情報に加えて、情報を受け取ることからも恩恵を受けることができる。本発明の例示的な一実施形態によるグループモニタリングシステムは、直接的に観察できる情報以上の、運動活動に参加している個人についての理解しやすい情報をトレーナに提供することができ、それによって、運動活動において成功を成し遂げる可能性を最大化するために、トレーナが迅速で効果的な判断を行うことを容易にする。経時的なパフォーマンスメトリックを用いた詳細なプレーヤプロファイルを生成し、維持することができる。グループモニタリングシステムによって提供される情報を使用することによって、トレーナは、経時的な動向を見ることができ、それは、例えば、病気の運動者、トレーニング過剰の運動者、および怪我のリスクが相対的に高い運動者を識別する助けとすることができる。特別なトレーニングプログラムを計画して、これらの状態に対処し、（例えば、ゲーム時に）ピークパフォーマンスを可能にすることができる。
【００２９】
従来、トレーナは、（例えば、１つまたは複数のメトリックについての目標値によって表される）ある作業負荷を、チームまたは特定の個人もしくは個人の小集団に与えたいと考えて、運動活動のセッションを計画したが、意図した作業負荷が実際に与えられたかどうかを測定するための信頼できる方法を有していなかった。本発明の実施形態によるグループモニタリングシステムを用いることで、今ではトレーナは、（例えば、総作業負荷を示す、または総作業負荷を決定するための基礎を提供する、１つまたは複数のメトリックを直接的に測定することによって）意図した作業負荷が実際に与えられたかどうかを判定することができる。これによって、トレーナは、個人またはチームパフォーマンスを表す測定値に基づいて、運動活動のセッションを計画し、適合させることによって、それらをより正確に計画し、適合させることができる。そのようなグループモニタリングシステムは、必要に応じてトレーニングを修正するために、トレーナがそれに従って行動することができるフィードバックを提供することができる。例示的な一実施形態では、グループモニタリングシステムは、例えば、個人の疲労または個人の心拍数が閾値を上回ったことなど、他の方法ではトレーナが直接的に観察できない、危機的または重大な状態について警告するアラートをトレーナに提供することができる。
【００３０】
例示的な一実施形態では、例えば図１および図１１に示される、グループモニタリングシステム１００は、個人モニタ２００（図２Ａを参照）と、オブジェクトモニタ２５０と、基地局３００と、少なくとも１つのグループモニタリングデバイス４００（図３を参照）とを含む。個人モニタ２００は、図２Ａに示されるように、個人１０に結合することができる。オブジェクトモニタ２５０は、図２Ｂに示されるように、スポーツオブジェクト４０に結合することができる。個人１０は、例えば、運動活動への参加者（例えば、プレーヤ、レフリー、またはボールボーイ、ゴルフキャディ、もしくはラインマンなどの支援要員）とすることができる。スポーツオブジェクト４０は、例えば、スポーツ用品、例えば、運動活動中に個人（例えば、個人１０）によって使用される、任意のタイプのスポーツ用ボール、任意のタイプのスポーツ用「スティック」（例えば、野球のバット、ホッケーのスティック、ゴルフクラブ、卓球のラケット、もしくはテニスのラケット）、スポーツ用グローブ（例えば、ボクシングのグローブ）、自転車、オール、シューズ、ブーツ、スキー、ハット、ヘルメット、バンド、スケートボード、サーフボード、メガネ、またはゴーグルとすることができる。個人モニタ２００および／またはオブジェクトモニタ２５０は、様々なセンサ２０２を含むこと、または様々なセンサ２０２と通信することができ、様々なセンサ２０２は、加速度計、歩数計、心拍数モニタ、位置センサ、衝撃センサ、カメラ、磁気計、ジャイロスコープ、マイクロフォン、温度センサ、圧力センサ、呼吸センサ、姿勢センサ、乳酸センサ、および風センサを含むが、これらに限定されない。グループモニタリングシステム１００は、異なる特性をモニタリングするために別個のシステムを必要としないですむように、これらまたは他のセンサのいずれかまたはすべてを含むことができる。さらに、複数の異なるセンサからのデータストリームを統合し、処理することによって、グループモニタリングシステム１００は、異なるモニタリング対象の特性を表すデータに基づいて、メトリックを決定し、提供することができる。これによって、複数のデータストリームに基づいてメトリックを決定するために（例えば、高水準のトレーニング洞察を決定するために）、データストリームを人手で組み合わせる必要がなくなる。
【００３１】
例示的な一実施形態では、個人モニタ２００は、センサ衣類２０４と、心拍数モニタ２０６と、位置センサ２０８とを含むことができる。例示的な一実施形態では、オブジェクトモニタ２５０は、位置センサ２０８と、加速度センサ２１０と、磁気計２３２とを含むことができる。位置センサ２０８は、例えば、衛星ベースの測位システム（例えば、ＧＰＳ（全地球測位システム））とともに使用される位置センサ、ビーコンシステムとともに使用される位置センサ（例えば、三角測量および／またはフィールドもしくは活動エリアの周囲の知られた位置にあるアンテナによって受信された信号の時間差を使用する位置決定）、あるいは、他の任意の適切な位置決定システムとともに使用される位置センサを含むことができる。
【００３２】
いくつかの例示的な実施形態では、グループモニタリングデバイス４００は、図３に示されるように、トレーナ２０が使用することができる。例示的な一実施形態では、グループモニタリングシステム１００、および／またはグループモニタリングシステム１００のコンポーネント（例えば、個人モニタ２００、オブジェクトモニタ２５０）は、例えば、２００９年５月１８日に出願された米国特許出願第１２／４６７９４４号、２００９年５月１８日に出願された米国特許出願第１２／４６７９４８号、２０１１年３月３１日に出願された米国特許出願第１３／０７７４９４号、２０１１年３月３１日に出願された米国特許出願第１３／０７７５２０号、２０１１年３月３１日に出願された米国特許出願第１３／０７７５１０号、２０１２年４月１３日に出願された米国特許出願第１３／４４６９３７号、２０１２年４月１３日に出願された米国特許出願第１３／４４６９８２号、および２０１２年４月１３日に出願された米国特許出願第１３／４４６９８６号に開示されている要素など、別のモニタリングシステムの要素を含むこと、または別のモニタリングシステムの要素とともに使用することができ、上記の米国特許出願の各々は、その全体が、参照により本明細書に組み込まれる。
【００３３】
一般に、センサ２０２は、個人１０が運動活動のセッションに参加する準備として、個人１０に取り付けられる。特定の個人１０に取り付けられたセンサ２０２は、やはりその特定の個人１０に取り付けられた個人モニタ２００に、有線を介してまたは無線で結合される。個人１０の個人モニタ２００と通信するセンサ２０２は、個人１０が運動活動のセッションに参加している間、個人１０についての特性を感知することができ、その特性を表すデータを個人モニタ２００に送信することができる。今度は、個人モニタ２００が、運動活動のセッション中に、またはセッション後に、そのデータを基地局３００に送信することができる。
【００３４】
スポーツオブジェクト４０のオブジェクトモニタ２５０と通信するセンサ２０２は、例えば、オブジェクト４０が、運動活動のセッション中に、（例えば、個人１０によって）使用されている間に、オブジェクト４０についての特性を感知することができ、その特性を表すデータをオブジェクトモニタ２５０に送信することができる。今度は、オブジェクトモニタ２５０が、運動活動のセッション中に、またはセッション後に、そのデータを基地局３００に送信することができる。
【００３５】
いくつかの実施形態では、第１の個人モニタ２００は、それがモニタリングする個人１０についての特性を表すデータを、第２のモニタ（例えば、異なる個人１０をモニタリングする個人モニタ２００、またはスポーツオブジェクト４０をモニタリングするオブジェクトモニタ２５０）に送信することができる。いくつかの実施形態では、第１のオブジェクトモニタ２５０は、それがモニタリングするオブジェクト４０についての特性を表すデータを、第２のモニタ（例えば、個人１０をモニタリングする個人モニタ２００、または異なるスポーツオブジェクト４０をモニタリングする第２のオブジェクトモニタ２５０）に送信することができる。モニタ２００、２５０の間のそのような通信は、任意の適切なプロトコルに従って、無線で行うことができる。例えば、そのような通信は、ＲＦＩＤ（無線周波数識別）信号、磁気信号、ＷＬＡＮ（無線ローカルエリアネットワーク）信号、ＩＳＭ（産業、科学、医療）帯域信号、Ｂｌｕｅｔｏｏｔｈ（登録商標）（もしくはＢｌｕｅｔｏｏｔｈ（登録商標）低エネルギー（ＢＴＬＥ））信号、またはセルラ信号に基づくことができる。
【００３６】
モニタ２００、２５０の間のそのような通信は、２つ以上のソースからのデータに基づいた決定および計算を容易にすることができる。例えば、２人のモニタリング対象の個人１０が、スポーツオブジェクト４０（例えば、ボール）をキックした場合、スポーツオブジェクト４０のオブジェクトモニタ２５０は、個人１０の個人モニタ２００の各々からデータを受信することができる。そのようなデータは、スポーツオブジェクト４０のオブジェクトモニタ２５０からのデータと比較することができ、２人の個人のうちのどちらが最初にスポーツオブジェクト４０をキックしたかを（例えば、スポーツオブジェクト４０、基地局３００、またはアクセスデバイスにおいて）決定するために使用することができる。また、例えば、モニタリング対象の個人１０が、スポーツオブジェクト４０（例えば、ボール）をキックした場合、個人１０の個人モニタ２００は、スポーツオブジェクト４０のオブジェクトモニタ２５０から、スポーツオブジェクト４０がキックされた力もしくはスピード、またはそのキックが原因で生じたスポーツオブジェクト４０のスピード、運動方向、もしくは予測着地地点を示すデータを受信することができる。そのようなデータは、スポーツオブジェクト４０の圧力センサによって感知し、モニタリング対象の個人１０の個人モニタ２００に無線で送信することができる。そのようなデータは、個人モニタ２００からのデータと比較することができ、個人１０のキックの特性を決定するために使用することができる。いくつかの実施形態では、そのようなデータに基づいて、グループモニタリングシステム１００は、（例えば、より遠く、より速く、より高く飛ぶように）個人１０がそのキックをどのようにしたら改善できるかに関する推奨案を提供することができる。
【００３７】
いくつかの例示的な実施形態では、グループモニタリングシステム１００のシステムコンポーネント間でのデータ送信の一部またはすべては、リアルタイムで行うことができる。本明細書で使用される「リアルタイム」は、伝送技術が本質的に有する遅延、リソースを最適化するために設計された遅延、および当業者には明らかな他の内在的または望ましい遅延を含むことができる。いくつかの例示的な実施形態では、これらの送信の一部またはすべては、リアルタイムよりは遅れることができ、または活動が完了した後で行うことができる。基地局３００は、データを受信し、データからメトリックを決定し、メトリックは、センサ２０２によって測定された特性を表すことができ、またはアルゴリズムおよび他のデータ操作技法の使用を通してデータから導出されるさらなる特性を表すことができる。メトリックは、個人モニタ２００だけから、オブジェクトモニタ２５０だけから、または個人モニタ２００とオブジェクトモニタ２５０の両方からのデータに基づくことができる。今度は、基地局３００が、運動活動のセッション中に、メトリックをグループモニタリングデバイス４００に送信することができ、グループモニタリングデバイス４００は、メトリックを受信し、メトリックの表現を表示する。
【００３８】
グループモニタリングデバイス４００は、複数の個人１０および／または１つもしくは複数のオブジェクト４０に関連付けられたメトリックを受信することができ、メトリックが関連付けられた個人１０および／またはオブジェクト４０と関連付けて、受信したメトリックを表示することができる。このようにして、運動活動のセッション中にグループモニタリングデバイス４００を見るトレーナ２０は、複数の個人１０および／またはオブジェクト４０についての詳細な情報を受け取り、その情報に基づいて、必要または得策であると決定されたように行動することができ、それによって、運動活動のセッション中に、個人１０を効率的にモニタリングし、管理する。
【００３９】
メトリックの表示は、個人１０または個人１０のグループについてのリアルタイムな要約を表すことができ、１人もしくは複数の個人１０または１つもしくは複数の個人１０のグループと、１人もしくは複数の他の個人１０または１つもしくは複数の他の個人１０のグループとの比較、あるいは第１の時間における１人もしくは複数の個人１０または１つもしくは複数の個人１０のグループと、第２の時間における１人もしくは複数の個人１０または１つもしくは複数の個人１０のグループとの比較を容易にすることができる。
【００４０】
いくつかの例示的な実施形態では、個人モニタ２００および／またはオブジェクトモニタ２５０は、データ（例えば、センサ２０２によって生成されたデータ）に基づいてメトリックを計算し、これらのメトリックをデータとともに、またはデータの代わりに、基地局３００に転送する。いくつかの例示的な実施形態では、基地局３００は、データをメトリックとともに、またはメトリックの代わりに、グループモニタリングデバイス４００に送信する。いくつかの例示的な実施形態では、グループモニタリングデバイス４００は、データに基づいて、メトリックを計算する。
【００４１】
例示的な実施形態では、図４に示されるように、個人モニタ２００および／またはオブジェクトモニタ２５０は、バッテリ２１２と、データポート２１４と、位置モジュール２１６と、心拍数モニタモジュール２１８と、コントローラ２２０と、ユーザインタフェース２２２と、トランシーバ２２３と、アンテナ２２４と、加速度センサモジュール２２６と、メモリ２２８と、ジャイロスコープモジュール２３０と、磁気計モジュール２３２と、温度センサモジュール２３３とを含むことができる。本明細書で説明されるセンサおよび対応するモジュールは、例示的なものにすぎず、本発明の実施形態と併せて、他のセンサおよびモジュールを使用することができる。バッテリ２１２（または他の任意の適切な電源）は、個人モニタ２００および／またはオブジェクトモニタ２５０に電力を提供することができ、例えば、個人モニタ２００および／またはオブジェクトモニタ２５０に組み込むこと、または取り外し可能にすることができ、再充電可能または再充電不能とすることができる。データポート２１４は、個人モニタ２００および／またはオブジェクトモニタ２５０への情報転送、ならびにそれらからの情報転送を容易にすることができ、例えば、ユニバーサルシリアルバス（ＵＳＢ）ポートとすることができる。それに加えて、または代わりに、いくつかの例示的な実施形態では、データポート２１４は、バッテリ２１２に充電するための、バッテリ２１２への電力転送を容易にすることができる。理解されるように、トランシーバ２２３は、データ送信および受信能力を含むことができ、単一のコンポーネントまたは別々のコンポーネントを含むことができる。
【００４２】
個人モニタ２００（またはオブジェクトモニタ２５０）の要素は、例えば、配線、プリント回路基板、導電糸、導電布、布上のプリント導電層、プリント（配線）ハーネス、無線通信技術、シリアルポート、シリアル周辺インタフェース、他の接続技術、またはそれらの組み合わせなど、様々な技法を使用して、互いに相互接続することができる。各モニタ２００、２５０は、基地局３００に対してポータブルである。いくつかの実施形態では、各個人モニタ２００は、運動活動に参加している個人１０によって運ぶことができる。各モニタ２００、２５０は、それ自体がセンサ２０２を含むことができ、ならびに／または個人１０および／もしくはスポーツオブジェクト４０によって運ばれるセンサ２０２と通信することができ、モニタ２００、２５０からリモートに配置することができる。各モニタ２００、２５０は、基地局３００とペアになることができ、個人１０および／またはスポーツオブジェクト４０に関連付けることができる。各モニタ２００、２５０は、一意識別子を含むことができる。一意識別子は、例えば、個人モニタ２００および／もしくはオブジェクトモニタ２５０（またはそれらが関連付けられた、例えば衣類もしくはスポーツオブジェクトなどの、物品）の目で見える面上に刻印された番号、あるいは個人モニタ２００および／もしくはオブジェクトモニタ２５０に関連付けられたボタンが押された場合、または基地局３００から要求信号を受信した場合に、伝達または表示されるデータによって表すことができる。
【００４３】
基地局３００とペアになるため、個人モニタ２００および／またはオブジェクトモニタ２５０は、（例えば、基地局３００のドッキングポート３１８を介して−例えば、図２３を参照）基地局３００によって受け入れることができ、または他の方法で基地局３００に通信可能に接続することができる。基地局３００は、その後、個人モニタ２００および／またはオブジェクトモニタ２５０の一意識別子を記録することができ、個人モニタ２００および／またはオブジェクトモニタ２５０に一意暗号鍵を割り当てることができる。この暗号鍵は、運動活動のセッション中に、データの安全な送信をサポートするために使用することができる。データのそのような安全な送信は、例えば、個人モニタ２００および／またはオブジェクトモニタ２５０から基地局３００への送信、基地局３００から個人モニタ２００および／またはオブジェクトモニタ２５０への送信、ならびに１つの個人モニタ２００および／またはオブジェクトモニタ２５０から１つまたは複数の個人モニタ２００および／またはオブジェクトモニタ２５０への送信とすることができる。暗号鍵は、必要とされる場合または望まれる場合（例えば、運動活動の各新規セッションの開始時）には、更新することができる。
【００４４】
いくつかの例示的な実施形態では、個人モニタ２００および／またはオブジェクトモニタ２５０の個人１０および／またはスポーツオブジェクト４０への割り当ては、例えば、図５３に示されるような、グループモニタリングデバイス４００を使用することによって、容易にすることができる。例えば、グループモニタリングデバイス４００のディスプレイ４０２は、チームもしくは個人１０の他のグループ、および／または１つもしくは複数のスポーツオブジェクト４０を、個人１０および／またはスポーツオブジェクト４０に関連付けられた個人モニタ２００および／またはオブジェクトモニタ２５０の（個人モニタ２００および／またはオブジェクトモニタ２５０の一意識別子を示す）モニタ識別情報２４２とともに表示することができる。グループモニタリングデバイス４００のユーザは、個人１０および／またはスポーツオブジェクト４０に関連付けられた特定の個人モニタ２００および／またはオブジェクトモニタ２５０の識別情報２４２を選択し、個人１０および／またはスポーツオブジェクト４０に関連付けられることになる異なる個人モニタ２００および／またはオブジェクトモニタ２５０の識別情報２４２を入力することによって、この関連付けを変更することができる。ディスプレイ４０２は、モニタ２００、２５０と基地局３００との間の接続性または信号強度の表示も表示することができる（例えば、図６１を参照）。
【００４５】
（基地局３００上に配置された例えば入力手段およびディスプレイとすることができる、またはリモートデバイス、例えばグループモニタリングデバイス４００もしくは解析デバイス６００など、に組み込むことができる）基地局３００の管理インタフェースを介して、個人１０の識別情報（例えば、個人１０の名前および／もしくは背番号）、ならびに／またはスポーツオブジェクト４０の識別情報（例えば、スポーツオブジェクト４０のタイプおよび／もしくはサイズ）を、個人１０および／またはスポーツオブジェクト４０によって運ばれることになる個人モニタ２００および／またはオブジェクトモニタ２５０の一意識別子と関連付けることができる。ひとたび基地局３００と適切にペアにされ、個人１０に関連付けられると、個人モニタ２００は、（例えば、ドッキングポート３１８から取り外すことによって）基地局３００から切断することができる。個人１０および／またはスポーツオブジェクト４０に取り付けられていない場合、個人モニタ２００および／またはオブジェクトモニタ２５０を、個人１０および／またはスポーツオブジェクト４０に取り付けることができ、任意の外部センサ２０２を、個人１０および／またはスポーツオブジェクト４０に適切に取り付け、個人モニタ２００および／またはオブジェクトモニタ２５０に接続することができる。
【００４６】
図４〜図７に示されるような、例示的な一実施形態では、個人モニタ２００は、ポッドライク（ｐｏｄ−ｌｉｋｅ）なデバイスであり、個人モニタ２００のロケーション（したがって、個人モニタ２００を運んでいる個人１０のロケーション）を表すデータを決定するための位置モジュール２１６と、個人１０の心拍数を表すデータを決定するための心拍数モニタモジュール２１８と、個人１０の加速度を表すデータを決定するための３軸加速度センサモジュール２２６と、例えばプレーイングフィールドおよび／または基地局３００に対する、個人１０の向きを表すデータを決定するためのジャイロスコープモジュール２３０と、ジャイロスコープモジュール２３０および加速度センサモジュール２２６によって決定された身体動作データを較正するための磁気計モジュール２３２とを含む。そのようなポッドライクなデバイスは、例えば、シャツ、シューズ、または個人１０が着用する他の衣服もしくは機器に収めて、個人１０が運ぶことができる。いくつかの実施形態では、個人モニタ２００は、近距離無線通信（ＮＦＣ）デバイス（例えば、無線周波数識別（ＲＦＩＤ）タグ）、または任意の能動もしくは受動通信デバイスとすることができる。
【００４７】
同様に、例示的な一実施形態では、オブジェクトモニタ２５０は、オブジェクトモニタ２５０のロケーション（したがって、オブジェクトモニタ２５０を運んでいるスポーツオブジェクト４０のロケーション）を表すデータを決定するための位置モジュール２１６と、スポーツオブジェクト４０と相互作用している（例えば、オブジェクトモニタ２５０の心拍数センサが個人の脈拍を感知できるように、スポーツオブジェクト４０を握っている、または他の方法で保持している）個人（例えば、個人１０）の心拍数を表すデータを決定するための心拍数モニタモジュール２１８と、スポーツオブジェクト４０の加速度を表すデータを決定するための３軸加速度センサモジュール２２６と、例えばプレーイングフィールドおよび／または基地局３００に対する、スポーツオブジェクト４０の向きを表すデータを決定するためのジャイロスコープモジュール２３０と、ジャイロスコープモジュール２３０および加速度センサモジュール２２６によって決定された動作データを較正するための磁気計モジュール２３２とを含むデバイスである。いくつかの実施形態では、オブジェクトモニタ２５０は、ポッドライクなデバイスであり、スポーツオブジェクト４０に付着させる（例えば、ラケットまたはバットの外面上でラケットまたはバットに結合される）ように構成することができる。いくつかの実施形態では、オブジェクトモニタ２５０は、スポーツオブジェクト４０内に組み込まれた（例えば、ボールの外面下でボールに結合される）チップである。いくつかの実施形態では、オブジェクトモニタ２５０は、近距離無線通信（ＮＦＣ）デバイス（例えば、無線周波数識別（ＲＦＩＤ）タグ）、または任意の能動もしくは受動通信デバイスとすることができる。
【００４８】
位置モジュール２１６、心拍数モニタモジュール２１８、加速度センサモジュール２２６、ジャイロスコープモジュール２３０、および磁気計モジュール２３２の各々は、それ自体が、関連するセンサ（例えば、それぞれ、ＧＰＳセンサ、心拍数センサ、加速度センサ、ジャイロスコープ、および磁気計）を含むことができ、またはそのような関連するセンサと通信することができる。そのような通信は、有線または無線とすることができる。無線通信の場合、各モジュールは、他のコンポーネントの通信に起因する通信誤りおよび干渉を回避するために、関連するセンサと通信可能にペアになることができる。いくつかの例示的な実施形態では、これらおよび他のモジュールのいくつかまたはすべては、単一のモジュール内に含めることができる。
【００４９】
例示的な一実施形態では、センサ２０２のいくつかまたはすべては、センサ衣類２０４に組み込まれる。そのような一実施形態では、センサ衣類２０４に組み込まれたセンサ２０２は、やはりセンサ衣類２０４に組み込まれた配線を介して、個人モニタ２００に接続することができる。
【００５０】
個人１０が運動活動のセッションに参加している間、個人モニタ２００のセンサ２０２は、個人１０の様々な特性を感知し、それらの特性を表すデータを生成し、そのデータを個人モニタ２００のメモリ２２８に送信し、データは、メモリ２２８に記憶される。スポーツオブジェクト４０が運動活動のセッションにおいて使用されている間、オブジェクトモニタ２５０のセンサ２０２は、スポーツオブジェクト４０の様々な特性を感知し、それらの特性を表すデータを生成し、そのデータをオブジェクトモニタ２５０のメモリ２２８に送信し、データは、メモリ２２８に記憶される。今度は、個人モニタ２００および／またはオブジェクトモニタ２５０が、生成されたデータを基地局３００に無線で送信する。データが（個人モニタ２００および／またはオブジェクトモニタ２５０の）メモリ２２８に記憶される分解能と、データが基地局３００に送信される分解能とは、帯域幅を最適化するため、バッテリ寿命を最適化するため、または他の任意の理由のために、異なることがある。例えば、個人１０の心拍数は、心拍数モニタモジュール２１８によって２００Ｈｚでサンプリングすることができ、心拍数を表すデータは、２００Ｈｚで生成し、２００Ｈｚでメモリ２２８に記憶することができるが、運動活動中は２Ｈｚで基地局３００に無線で送信することができる。いくつかの実施形態では、メモリ２２８は、運動活動の１回のセッション（例えば、３時間のデータ収集）からのデータを十分に記憶でき、いくつかの実施形態では、メモリ２２８は、運動活動の最大５回のセッション（例えば、最大１５時間のデータ収集）からのデータを十分に記憶できる。
【００５１】
加速度センサモジュール２２６は、加速度を表すデータを決定することができ、加速度は、例えば、スピード、距離、および以下で説明するメトリックを計算する際に使用することができる。いくつかの例示的な実施形態では、加速度を表すデータは、例えば、ステップカウンタとして加速度計を使用することによって、位置データの精度を高めるために、またはＧＰＳ信号計算のためのフィルタを決定するために、使用することができる。いくつかの例示的な実施形態では、加速度を表すデータは、個人１０が行っている、および／またはスポーツオブジェクト４０が使用されている活動（例えば、スポーツ、動作、および／またはドリル）を決定するために、パターン認識ソフトウェアと併せて使用することができる。
【００５２】
加えて、加速度センサモジュール２２６は、動作決定を較正するために、磁気計モジュール２３２およびジャイロスコープモジュール２３０と併せて使用することができる。例えば、衝撃、動作変化、重力、および足取りまたは他の衝撃カウントを表す情報は、加速度センサモジュール２２６を使用して獲得することができる。角運動は、ジャイロスコープモジュール２３０を使用して獲得することができ、絶対的「北」方位は、磁気計モジュール２３２を使用して獲得することができる。これらのセンサ示度は、例えば、個人１０の姿勢、重力、空間における個人１０および／またはオブジェクト４０の向き、ならびに個人１０および／またはオブジェクト４０の進行方向を決定するために、使用することができる。
【００５３】
位置モジュール２１６は、例えば１０Ｈｚで、絶対位置を表すデータを決定することができる。加速度センサモジュール２２６は、例えば２００Ｈｚで、加速度を表すデータを決定することができる。ジャイロスコープモジュール２３０は、例えば２００Ｈｚで、位置および向きの変化を表すデータを決定することができる。磁気計２３２は、例えば２００Ｈｚで、向きを表すデータを決定することができる。データは、個人モニタ２００および／またはオブジェクトモニタ２５０から（アンテナ２２４を介して）基地局３００に、無線周波数（ＲＦ）リンクを使用して送信することができる。個人モニタ２００と基地局３００の間、および／またはオブジェクトモニタ２５０と基地局３００の間のＲＦリンクは、運動活動の予想エリア（例えば、プレーイングフィールド３０）をカバーするのに十分な頑健性を有するべきである。いくつかの例示的な実施形態では、ＲＦリンクは、すべての動作条件下で、５０〜３００メートルの距離を十分にカバーできる。いくつかの例示的な実施形態では、ＲＦリンクは、全世界で利用可能な免許不要帯域（例えば、２．４ＧＨｚ周波数）を使用する。いくつかの例示的な実施形態では、ＲＦリンクは、全世界で使用される複数の免許不要帯域をカバーするように構成可能である。以下でより詳細に説明するように、いくつかの例示的な実施形態では、基地局３００は、例えば、最大２５個の個人モニタ２００および／もしくはオブジェクトモニタ２５０、または最大３０個の個人モニタ２００および／もしくはオブジェクトモニタ２５０など、複数の個人モニタ２００および／またはオブジェクトモニタ２５０と同時に接続するために、ＲＦリンクを使用することが可能である。
【００５４】
個人モニタ２００は、例えば、図５〜図７に示されるような、ポッドライクなデバイスとすることができ、例えば、上で説明したモジュールなど、個人モニタ２００のコンポーネントを格納するプラスチックハウジング２３４を含む。オブジェクトモニタ２５０も、例えば、ポッドライクなデバイスとすることができ、例えば、上で説明したモジュールなど、オブジェクトモニタ２５０のコンポーネントを格納するプラスチックハウジング２３４を含む。オブジェクトモニタ２５０は、スポーツオブジェクト４０に付着させる（例えば、ラケットもしくはバットの外面上でラケットもしくはバットに結合される）ように構成することができ、またはスポーツオブジェクト４０内に組み込まれた（例えば、ボールの外面下でボールに結合される）チップとすることができる。
【００５５】
個人モニタ２００および／またはオブジェクトモニタ２５０は、個人モニタ２００および／またはオブジェクトモニタ２５０を例えばセンサ２０２に取り外し可能に接続するための、導体への接続を提供できるコネクタ２３６を含むことができる。コネクタ２３６は、例えば、スナップ、クリップ、ラッチ、または他の任意の適切な技法を介して、取り外し可能にセンサ２０２に接続することができる。個人モニタ２００および／またはオブジェクトモニタ２５０は、さらに入力手段２３８を含むこと、または入力手段２３８に結合することができ、入力手段２３８は、ボタンとすることができ、適切に操作された場合に、個人モニタ２００および／またはオブジェクトモニタ２５０をオンまたはオフにするように機能することができる。入力手段２３８は、背景光インジケータを含むことができ、背景光インジケータは、例えば、個人モニタ２００および／またはオブジェクトモニタ２５０のクォリティ（ｑｕａｌｉｔｙ）を示す１つまたは複数の発光ダイオード（ＬＥＤ）とすることができる。そのようなクォリティは、例えば、動作状態（例えば、オン、オフ、アクティブ、非アクティブ、充電中、低バッテリ残量）、メモリステータス、およびバッテリステータスを含むことができる。いくつかの例示的な実施形態では、個人モニタ２００および／またはオブジェクトモニタ２５０は、これらおよび他の情報を表示できる、例えば液晶表示（ＬＣＤ）画面などの、視覚的ディスプレイを含み、または視覚的ディスプレイに結合される。
【００５６】
個人モニタ２００および／またはオブジェクトモニタ２５０は、さらにドッキングポート２４０を含むこと、またはドッキングポート２４０に結合することができ、ドッキングポート２４０は、個人モニタ２００および／またはオブジェクトモニタ２５０が基地局３００とドッキングされた場合に、基地局３００との有線通信を容易にし、個人モニタ２００および／またはオブジェクトモニタ２５０のバッテリ２１２の充電を容易にすることができる。個人モニタ２００および／またはオブジェクトモニタ２５０のハウジング２３４は、個人１０の運動活動のパフォーマンス、および／または運動活動中のスポーツオブジェクト４０の使用をできるだけ妨げずに、個人モニタ２００および／またはオブジェクトモニタ２５０のコンポーネントを収容するようなサイズとすることができる。ハウジング２３４は、例えば、衣類（例えばセンサ衣類２０４）のポケットまたはスポーツオブジェクト４０の空洞にフィットして収まるようなサイズとすることができる。いくつかの例示的な実施形態では、ハウジング２３４の寸法は、７０ｍｍ×５５ｍｍ×１１ｍｍを超えない。
【００５７】
いくつかの例示的な実施形態では、ハウジング２３４は、耐水性であり、すべての開口（例えば、ドッキングポート２４０、コネクタ２３６）は、運動活動中に使用されている間、密閉される。そのような耐水性は、個人モニタ２００（特にハウジング２３４）の露出部分の間を密に閉じることによって、開口に密にはまる（例えば、プラスチックまたはゴムの）プラグを使用することによって、耐水性の封止用コンパウンドを使用することによって、他の技法によって、またはそれらの任意の組み合わせによって達成することができる。
【００５８】
個人モニタ２００および／またはオブジェクトモニタ２５０は、原データ整理およびフィルタリングなど、データ処理機能を含むことができる。例えば、個人モニタ２００のプロセッサ（例えば、コントローラ２２０）は、センサ２０２から原データを受信し、そのようなデータを、基地局３００に送信する前に、個人モニタ２００および／またはオブジェクトモニタ２５０において処理するように構成することができる。例えば、心拍数モニタセンサ２０６または加速度センサ２１０によって感知された電気的活動を表す原データを送信する代わりに、個人モニタ２００および／またはオブジェクトモニタ２５０のコントローラ２２０は、原データを処理して、心拍数、一定期間内の心拍数、加速度の大きさ、加速度の変化率、または関心のある他のメトリックを計算することができ、それらを基地局３００に送信することができる。いくつかの例示的な実施形態では、個人モニタ２００および／またはオブジェクトモニタ２５０のコントローラ２２０は、そのようなデータを基地局３００に安全に送信するために、（基地局３００のデータ処理モジュール３０４によって割り当てられた）一意的な暗号鍵を使用して、データを暗号化することができる。しかし、個人モニタ２００および／またはオブジェクトモニタ２５０のそのような処理は、必ずしも必要ではなく、そのような処理を行わずに、原データを基地局３００に直接的に送信することもできる。
【００５９】
個人モニタ２００および／またはオブジェクトモニタ２５０の動作は、個人モニタ２００および／またはオブジェクトモニタ２５０に記憶された（例えば、メモリ２２８に記憶された）ソフトウェアによって制御することができる。このソフトウェアは、必要または適切な場合には、更新することができる。ソフトウェアは、基地局３００との通信を介して更新することができ、基地局３００は、個人モニタ２００および／またはオブジェクトモニタ２５０にソフトウェアアップデートを無線で送信することができる。代わりに、またはそれに加えて、個人モニタ２００および／またはオブジェクトモニタ２５０のファームウェアを適切にフラッシュできるように、個人モニタ２００および／またはオブジェクトモニタ２５０のソフトウェアは、（以下で説明するような）ドッキングポート３１８を介する基地局３００との直接接続を通して更新することができる。
【００６０】
センサ２０２は、それが関連付けられた個人１０および／またはスポーツオブジェクト４０のメトリックを決定する基礎を提供するように選択され、構成される。本明細書で使用される「メトリック」は、個人１０および／もしくはスポーツオブジェクト４０、または個人１０および／もしくはスポーツオブジェクト４０の１つもしくは複数のグループに関連する特性の表現を指示することができ、例えば、生理学ベース、パフォーマンスベース、またはロケーションベースとすることができる。「メトリック」は、単純にセンサ２０２の１つによって感知された特性の表現とすることができ、またはセンサ２０２の１つによって測定された特性を表すデータから導出されたクォリティの表現とすることができる。例えば、加速度センサ２１０は、加速度を感知し、この特性を表すデータを提供する。このデータは、メトリックとして表現することができる。加えて、このデータは、速度、加速度の方向、および距離など、さらなるメトリックを決定するために、さらに処理することができる。（異なるセンサ２０２からのデータを含む）センサ２０２から受信したデータ、および他のソースから受信したデータに作用する式およびアルゴリズムを伴う処理は、カスタム設計された結果を含む、トレーナ２０にとって有益であると判断された（例えば、メトリック、アラート、マーカ、目標、目的を含む）多種多様な結果を決定するために使用することができる。
【００６１】
いくつかの実施形態では、グループモニタリングシステム１００にデータを提供できるそのような他のソースは、例えば、システムコンポーネントと通信する他のセンサ（例えば、基地局３００に結合された温度センサもしくは風センサ）、または個人１０のパーソナル機器（例えば、歩数計、心拍数モニタ、体重計、睡眠モニタ、または呼吸モニタ）のセンサを含むことができる。
【００６２】
そのような他のソースからのデータは、モニタリング対象の運動活動とは別に、またはその最中に、収集することができる。例えば、そのようなデータは、個人１０のプライベートトレーニングセッション中に収集することができ（そして例えば、グループモニタリングシステム１００によってモニタリングされるグループトレーニングセッション中に使用することができ）、またはモニタリングされているスポーツ、グループ、もしくはセッションとは異なるスポーツ、グループ、もしくはセッションのトレーニング中に収集することができる。
【００６３】
そのような他のソースは、例えば、システムコンポーネントとの有線もしくは無線通信を介して、またはそのような他のソースから出力されたデータを人手で入力する（例えば、個人１０が自分のパーソナル歩数計の出力を読み取り、システムコンポーネントの入力手段を介して、その出力をグループモニタリングシステム１００に入力する）ことによってなど、任意の適切な方法で、グループモニタリングシステム１００と通信することができる。いくつかの実施形態では、そのような他のソースは、データベースにデータを送信することができ、今度は、データベースが、そのようなデータを（例えば、ウェブサーバシステム５００または基地局３００を介して）グループモニタリングシステム１００に送信することができる。
【００６４】
メトリックは、複数の個人１０および／またはスポーツオブジェクト４０についての有益な情報を個別に提供することができ、個人１０および／またはスポーツオブジェクト４０のグループについての有益な情報を提供することができる。メトリックは、例えば、身長、体重、持久力、およびトップスピードなど、特定の個人１０または個人１０のグループの属性も考慮することができる。メトリックは、例えば、スピード、軌道、飛行時間、反応時間、加速度、飛行距離、発射角、向き、および回転速度など、特定のスポーツオブジェクト４０またはスポーツオブジェクト４０のグループの属性も考慮することができる。
【００６５】
メトリックは、運動活動自体、またはゲームイベントにも関係することができる。例えば、スポーツオブジェクト４０において感知された力の特徴は、スポーツオブジェクトが１人の個人１０からパスされたことを示すことができる。また、例えば、スピードおよび／または回転の減少という特徴は、スポーツオブジェクト４０がゴールネットなどのネットに接触することによって引き起こされることがあり、ゴールが決まったことを示すことができる。また、例えば、多数の個人１０の運動またはスピードが一斉に減少した場合、それは、試合時間が終了したことを示すことができる。
【００６６】
基地局３００は、図２１〜図２６に示される例示的な実施形態など、自己完結型のポータブルシステムとすることができ、本明細書で説明する基地局３００の機能を実行するために必要な、または望ましい、すべてのハードウェアを含む。いくつかの例示的な実施形態では、基地局３００は、たかだか２５キログラムの重量である。いくつかの例示的な実施形態では、基地局３００は、自動車のトランク、または旅客機の頭上収納エリアに容易に収まるようなサイズである。いくつかの例示的な実施形態では、基地局３００は、基地局３００の移動性を高めるために、一方の端に１対の車輪３２２を、他方の端に取っ手３２４を含む。いくつかの例示的な実施形態では、基地局３００は、防水性であり、また通常使用および運搬に関連する衝撃に耐えることができる。いくつかの例示的な実施形態では、基地局３００は、硬質のシェル型ケース３２６に格納される。いくつかの例示的な実施形態では、基地局３００は、軟質のダッフルバッグ型ケース３２８内に収容される。
【００６７】
いくつかの例示的な実施形態では、基地局３００は、ポータブルとなるように構成される。いくつかの例示的な実施形態では、基地局３００は、活動の現場に配置されるように構成される。いくつかの例示的な実施形態では、基地局３００は、様々な活動の現場に配置できるように、活動の現場の間を移動できるように構成される。いくつかの例示的な実施形態では、基地局３００は、個人モニタ２００、オブジェクトモニタ２５０、およびグループモニタリングデバイス４００の少なくとも１つに対してポータブルとなるように構成される。いくつかの例示的な実施形態では、基地局３００は、個人モニタ２００、オブジェクトモニタ２５０、およびグループモニタリングデバイス４００の各々に対してポータブルとなるように構成される。
【００６８】
いくつかの例示的な実施形態では、基地局３００は、それ自体が、例えば、ＧＰＳセンサ（もしくは他の位置センサ）、ジャイロスコープ、磁気計、温度センサ、湿度センサ、および／または風センサなどの、センサを含む。そのようなセンサは、以下で説明するように、個人１０および／またはスポーツオブジェクト４０に関連するメトリックを決定するためのアルゴリズムにおいて使用できる、価値のあるデータを提供することができる。
【００６９】
いくつかの例示的な実施形態では、基地局３００は、基準センサ３３４（例えば、ＧＰＳ基準センサ）を含み、基準センサ３３４は、基地局３００内に物理的に含まれることができ、または基地局３００に対して知られた位置に、基地局３００から独立してリモートに配置することができる。基準センサ３３４は、有線または無線を介して、基地局３００に接続することができる。基準センサ３３４は、偏差信号を検出し、偏差信号を使用して、受信した位置信号（例えば、ＧＰＳデータ）に対する補正信号を計算するために使用することができる。この補正信号は、（例えば、基地局３００を介して）モニタ２００、２５０に送信することができる。この補正信号は、モニタ２００、２５０の位置決定を補正するために使用することができ、それによって、位置決定の精度を向上させる。そのような補正信号を決定し、その後、それをモニタ２００、２５０に送信することによって、処理能力の効率的使用が達成されるが、その理由は、モニタ２００、２５０は、補正信号自体の決定という負担を負わず、基地局３００または基準センサ３３４において決定された補正信号を受信し、使用するだけだからである。
【００７０】
基地局３００は、ＲＦ通信、ＷＬＡＮ通信、ＩＳＭ通信、セルラ（例えば、ＧＳＭ（登録商標）広帯域２．５Ｇもしくは３Ｇ）通信、他の適切な通信、またはそれらの組み合わせのうちの１つまたは複数のために構成されたアンテナ３３０を介して、モニタ２００、２５０にデータを送信し、モニタ２００、２５０からデータを受信することができる。基地局３００とモニタ２００、２５０との間の通信は、双方向または単方向とすることができる。アンテナ３３０は、高利得アンテナとすることができ、いくつかの例示的な実施形態では、基地局３００は、複数（例えば、２つ）のそのようなアンテナ３３０を含む。いくつかの例示的な実施形態では、基地局３００は、衛星ベースの測位システム（例えば、ＧＰＳ）の測位信号などの、測位信号を送信および／または受信するように構成されたアンテナを含む。その後、基地局３００は、受信したデータからメトリックを決定することができる。図８は、グループモニタリングシステム１００の例示的な一実施形態の図を示している。図８に示されるように、基地局３００は、データ受信モジュール３０２と、データ処理モジュール３０４と、中央同期（ｓｙｎｃ）モジュール３１０と、論理モジュール３１２と、ウェブサーバモジュール３１４と、基地局データベース３１６とを含む。
【００７１】
上で説明したように、基地局３００は、モニタ２００、２５０からデータを受信する。基地局３００のデータ受信モジュール３０２は、アクティブな各モニタ２００、２５０と通信することができる。いくつかの例示的な実施形態では、データ受信モジュール３０２は、上で説明したようなＲＦリンクを通してモニタ２００、２５０と通信するアンテナ３３０を介して、モニタ２００、２５０からデータを受信する。データ受信モジュール３０２は、受信したデータをデータファイルに書き込み、データファイルは、例えば、カンマ区切り値ファイル、またはタブ区切りファイルとすることができる。ファイルは、例えば、データを書き込むために使用される単一のファイル、または例えば、時間、エントリの数、もしくはサイズに基づいた、ローリングファイル（ファイルロール）とすることができる。データファイルは、任意の適切な間隔およびパラメータを使用して、更新することができる。例えば、３０個のモニタ２００、２５０をアクティブとすることができ、３０個のモニタ２００、２５０は、データファイルを準リアルタイムで更新するために、２Ｈｚで５つのデータポイントを更新していくことができる。
【００７２】
データ受信モジュール３０２は、受信したデータに対して、データ整合性チェックを実行することができる。いくつかの例示的な実施形態では、データ受信モジュール３０２は、受信したデータの暗号化を解除する。いくつかの例示的な実施形態では、データ受信モジュール３０２は、受信したデータについて不可知であり、受信したデータの暗号化を解除しない。いくつかの例示的な実施形態では、データ受信モジュール３０２は、必要に応じて、内容をバッファリングする。
【００７３】
データ受信モジュール３０２は、データファイルからデータを読み取り、それをデータ処理モジュール３０４に送信する、データ読み取りモジュール３３２を含むことができる。データ読み取りモジュール３３２は、データファイルに書き込まれたデータの変化を読み取るために、例えば５００ｍｓ（ミリ秒）など、任意の適切な間隔で実行することができる。
【００７４】
運動活動のセッション中にモニタ２００、２５０が使用される前に、各モニタ２００、２５０は、（例えば、ドッキングポート３１８にドッキングすることによって、または無線で）基地局３００に接続することができ、データ処理モジュール３０４によって暗号鍵を割り当てることができる。モニタ２００、２５０は、この暗号鍵を使用して、データをデータ受信モジュール３０２に安全に送信することができる。データ処理モジュール３０４は、上で説明したように、データ受信モジュール３０２からデータを受信し、それが暗号化されている場合は、特定のモニタ２００、２５０に割り当てられた一意的な暗号鍵を使用することによって、データの暗号化を解除する。データ処理モジュール３０４は、暗号化解除されたデータを、記憶するために、基地局データベース３１６に送信する。
【００７５】
基地局データベース３１６は、好ましくは、運動活動のセッション中に生成されたデータの短期記憶のために構成され、長期記憶は、以下でより詳細に説明するように、ウェブサーバシステム５００によって達成される。基地局データベース３１６は、少なくとも、運動活動の１回のセッションにおいて生成されると予想されるすべてのデータに対して十分な記憶空間を含むことができる。いくつかの例示的な実施形態では、基地局データベース３１６は、少なくとも、運動活動の３回のセッションにおいて生成されると予想される（例えば、約２ギガバイトよりも多くの）すべてのデータに対して十分な記憶空間を含むことができる。いくつかの例示的な実施形態では、基地局データベース３１６は、長期記憶のために構成され、例えば、少なくとも、運動活動をモニタリングする１０年間の使用において生成されると予想される（例えば、約６００ギガバイトよりも多くの）すべてのデータに対して十分な記憶空間を含む。
【００７６】
論理モジュール３１２は、基地局データベース３１６にポーリングを行い、ポーリングで得たデータに対してアルゴリズムを適用して、メトリックおよびアラートを決定する。論理モジュール３１２は、適切なアルゴリズムを適用することによって、カスタム設計のメトリックを含む、多種多様なメトリックを決定することができる。論理モジュール３１２は、ウェブサーバモジュール３１４にそのようなメトリックを送信することができる。例示的なメトリックおよびそれらの使用についてのより詳細な説明は、以下で提供される。
【００７７】
いくつかの実施形態では、システムコンポーネント（例えば、センサ２０２、個人モニタ２００、オブジェクトモニタ２５０、基地局３００、グループモニタリングデバイス４００、ウェブサーバシステム５００、解析デバイス６００、カメラモニタリングシステム７００）は、オンボード動作状態および／または他のシステムコンポーネントの動作状態をモニタリングするための、評価ハードウェアおよび／またはソフトウェアを含むことができる。そのようなモニタリング対象の動作状態は、例えば、コンポーネントのシリアル番号、コンポーネントにおけるＧＰＳ信号の（存在の有無を含む）強度、コンポーネントにおける通信信号の（存在の有無を含む）強度、コンポーネントのバッテリの残余バッテリ電力、コンポーネントのバッテリが充電中か、それとも放電中か、コンポーネントから送信された、および／またはコンポーネントによって受信されたデータ（例えば、アクティブなデータ送信、最後のデータ送信の時刻、送信されたデータのボリューム、データ送信の速度）、コンポーネントの利用可能なメモリ、コンポーネントに現在インストールされているソフトウェアまたはファームウェアのバージョン、コンポーネントが対象とするソフトウェアまたはファームウェアバージョン、コンポーネントの同期ステータス、コンポーネントの動作エラー、コンポーネントから最後に通信を受信したとき以降の時間、コンポーネントにドッキングされた他のコンポーネントの数、関連する個人、オブジェクト、またはエリアに対して、コンポーネントが適切な位置および／または向きに配置されているかどうかを含むことができる。
【００７８】
いくつかの実施形態では、システムコンポーネントの動作状態に関連するデータは、（例えば、メトリック関連のデータ転送を含む、他の任意のデータ転送について本明細書で説明するように）システムコンポーネント間で送信することができる。例えば、モニタ２００、２５０に関連する動作状態データは、モニタ２００、２５０から基地局３００に送信することができる。また、例えば、モニタ２００、２５０および／または基地局３００に関連する動作状態データは、基地局３００から（例えば、論理モジュール３１２およびウェブサーバモジュール３１４を介して）、リモートデバイス（例えば、グループモニタリングデバイス４００、解析デバイス６００）に送信することができる。さらに、いくつかの実施形態では、動作状態データは（例えば、メトリック関連のデータ記憶を含む、他の任意のデータ記憶について本明細書で説明するように）記憶することができる。例えば、動作状態データは、基地局データベース３１６に記憶することができる。
【００７９】
いくつかの例示的な実施形態では、トレーナ２０または他の人（例えば、システム監督者、医師、医療スタッフ、機器製造業者）は、トレーナ２０またはそのような他の人にイベントの発生を通知するために、個人１０のついてのパフォーマンスアラートを作成することができる。そのようなパフォーマンスアラートは、例えば、トレーニングの有効性を測定するため、トレーニングの負荷を管理するため、トレーニング目標の達成を識別するため、または危険な状態を識別するために使用することができる。パフォーマンスアラートは、例えば、距離（合計距離、および／または特定のスピード範囲内にある時間）、心拍数（現在の心拍数、および／または特定の心拍数ゾーン内にある累積時間、特定の心拍数ゾーン外に出た心拍数）、パワーまたはトレーニング負荷、決まったゴール、ボール（または他のスポーツオブジェクト４０）との接触など、多くのメトリックに基づくことができる。そのようなパフォーマンスアラートは、すべての個人１０に（個別もしくはグループで）汎用的に適用することができ、または特定の個人１０向けに適合させることができる。そのようなパフォーマンスアラートは、運動活動のすべてのセッションに汎用的に適用することができ、または運動活動の特定のセッション向けに適合させることができる。同様のパフォーマンスアラートを、スポーツオブジェクト４０のために作成することができる。
【００８０】
いくつかの実施形態では、トレーニングセッションは、トレーニング目標に達しているかどうかをトレーナ２０がリアルタイムに見ることを可能にする、パフォーマンスアラートを用いて計画することができる。ひとたびトレーニング目標に達すると、トレーナは、目標に達した個人１０については、過剰トレーニングを防止するために、トレーニングセッションを終了することができる。いくつかの実施形態では、トレーナ２０は、ドリル（または他の運動活動）もリアルタイムにモニタリングして、運動者がトレーニング目標（例えば、目標強度）に達しており、意図したように回復しているかどうかを見ることができる。トレーナ２０が望むようには目標に達していない場合、トレーナ２０は、トレーニングをリアルタイムに調整して、目標への到達を助けることができる。
【００８１】
いくつかの実施形態では、そのようなパフォーマンスアラートは、それ自体が、アラートに基づいた特定のコーチングアドバイスを含むことができる。例えば、個人１０がスピード閾値を上回るスピードで走っていることを示すアラートは、個人１０をスローダウンさせよという忠告を伴うことができる。また、例えば、プレーヤ１０の疲労を示すアラート（例えば、閾値期間にわたって持続する閾値レベルを上回る心拍数、閾値レベルを下回るスピードと組み合わされた閾値レベルを上回る心拍数）は、個人１０を交代させよという忠告を伴うことができる。また、例えば、個人１０が繰り出した、または受けた単位時間当たりの打撃の回数が閾値を下回ることを示すアラートは、個人１０により多くの打撃を繰り出させよという忠告を伴うことができる。
【００８２】
トレーナ２０は、そのようなパフォーマンスアラートを、管理デバイスを介して作成することができ、管理デバイスは、例えば、以下でより詳細に説明する、グループモニタリングデバイス４００または解析デバイス６００などの、デバイスとすることができる。いくつかの例示的な実施形態では、パフォーマンスアラートは、（例えば、チーム監督または医療サポート要員が）リモートコンピュータを使用して作成することができ、（例えば、インターネット、および／または本明細書で説明する通信チャネルのいずれかを介して）基地局に、またモニタ２００、２５０、グループモニタリングデバイス４００、または解析デバイス６００のいずれかに転送することができる。トレーナ２０は、例えば、メトリックを選択すること、条件（例えば、目標メトリック値、目標メトリック値をどれだけの期間維持するか、目標をいつまでに達成するか、目標メトリック範囲）を選択すること、例外を指定すること、パフォーマンスアラートを個人１０および／もしくはスポーツオブジェクト４０（または個人１０および／もしくはスポーツオブジェクト４０のグループ）に割り当てること、ならびにパフォーマンスアラートを運動活動のセッションに関連付けることによって、パフォーマンスアラートを作成することができる。
【００８３】
ダッシュボード（例えば、グループモニタリングデバイス４００または解析デバイス６００によって表示される、関連する個人１０および／またはスポーツオブジェクト４０に関する情報を示すダッシュボードなど、例えば、図１６および図２０を参照）を見る場合には、作成されたパフォーマンスアラートは、関連する個人１０および／またはスポーツオブジェクト４０に関連付けて見ることができる。個人１０および／またはスポーツオブジェクト４０が、パフォーマンスアラートのトリガに近づきつつある場合（トリガはパフォーマンスアラートの条件が満たされた場合に発生する）、その様子は、運動活動のセッション中に、グループモニタリングデバイス４００を介してモニタリングすることができる。トリガされた過去のパフォーマンスアラートは、個人１０および／もしくはスポーツオブジェクト４０、または個人１０および／もしくはスポーツオブジェクト４０のグループに関連付けて記憶することができ、これらのパフォーマンスアラート履歴は、例えば、グループモニタリングデバイス４００または解析デバイス６００を使用して見ることができる。あり得るパフォーマンスアラートの例は、不規則な心拍数が生じていること、３８℃を超える体温が生じていること（異常高温の徴候である可能性）、１０分間以上にわたって最大心拍数の８５％以上の心拍数が続いていること、毎秒６．０メートル以上のスピードで９００メートルの距離を走っていること、７００ワット以上のトレーニング負荷を達成していることを含む。
【００８４】
いくつかの例示的な実施形態では、トレーナ２０または他の人は、システムコンポーネント（例えば、個人モニタ２００、オブジェクトモニタ２５０、基地局３００、グループモニタリングデバイス４００、ウェブサーバシステム５００、解析デバイス６００、カメラモニタリングシステム７００）のためのシステムアラートを作成することができる。システムアラートは、例えば、システムコンポーネントの動作状態（ステータス）を伝達するために構成することができる。いくつかの実施形態では、コンポーネントのためのアラートは、動作状態がシステムアラート閾値を超えたという（例えば、関連するコンポーネント、またはそれと通信する別のシステムコンポーネントによる）判定に応答して、トリガすることができる。例えば、システムアラートは、ある特定の個人モニタ２００について、その個人モニタ２００のバッテリの残余バッテリ電力が容量の５％未満に低下したという、個人モニタ２００による判定に応答して、トリガすることができる。また、例えば、システムアラートは、ある特定の個人モニタ２００について、その個人モニタ２００から所定の期間にわたってデータ送信を受信していないという、個人モニタ２００と通信する基地局３００による判定に応答して、トリガすることができる。
【００８５】
論理モジュール３１２は、個人１０の運動活動中、および／またはスポーツオブジェクト４０の使用中に、（例えば、アラートのトリガに近づきつつあることを示す情報、およびアラートがトリガされたことを示す情報を含む）そのようなアラートについての情報を、（基地局３００のウェブサーバモジュール３１４を介して）グループモニタリングデバイス４００に送信することができる。そのようなアラートについての情報は、基地局データベース３１６に記憶することができる。
【００８６】
ウェブサーバモジュール３１４は、個人モニタ２００、個人１０、オブジェクトモニタ２５０、および／もしくはスポーツオブジェクト４０についての、または（個人モニタ２００、個人１０、オブジェクトモニタ２５０、および／もしくはスポーツオブジェクト４０のグループを含む）複数の個人モニタ２００、個人１０、オブジェクトモニタ２５０、および／もしくはスポーツオブジェクト４０についてのメトリックおよびアラート情報を、論理モジュール３１２から受信することができる。ウェブサーバモジュール３１４は、例えば、グループモニタリングデバイス４００などの、クライアントデバイスからの要求に基づいて、（例えば、ｈｔｍｌ５（ハイパーテキストマークアップ言語５）準拠のコードなどの）表示コードを表現することができる。いくつかの実施形態では、ウェブサーバモジュール３１４は、ウェブソケットをオープンし、維持するために、ＪａｖａＳｃｒｉｐｔ（登録商標）を使用する。ウェブサーバモジュール３１４は、要求を行うクライアントデバイスが適切に認可されていること、およびすべてのデータがｈｔｔｐｓ（ハイパーテキスト転送プロトコルセキュア）を使用して渡されることを保証することによって、セキュリティ機能も提供することができる。ウェブサーバモジュール３１４は、運動活動中に、要求されたメトリックおよび生成されたアラートを、例えばＡＰＩレイヤを介して、グループモニタリングデバイス４００に提供することができる。
【００８７】
グループモニタリングデバイス４００は、メトリック、アラート、および他の情報（例えば、個人モニタ２００、個人１０、オブジェクトモニタ２５０、および／もしくはスポーツオブジェクト４０の識別情報および属性、個人モニタ２００、個人１０、オブジェクトモニタ２５０、および／もしくはスポーツオブジェクト４０に関する統計、または一般に運動活動に関する統計）を、基地局３００から無線で受信することができる。単一のグループモニタリングデバイス４００は、基地局３００と通信することができ、または複数のグループモニタリングデバイス４００は、基地局３００と同時に通信することができる。グループモニタリングデバイス４００は、基地局３００に対してポータブルとすることができ、例えば、ＷＬＡＮ（無線ローカルエリアネットワーク）、２．４ＧＨｚ  ＩＳＭ（産業、科学、医療）帯域、Ｂｌｕｅｔｏｏｔｈ（登録商標）（またはＢｌｕｅｔｏｏｔｈ（登録商標）低エネルギー（ＢＴＬＥ））、またはセルラプロトコルを介して、基地局３００と通信することができる。いくつかの実施形態では、通信のモードおよび／またはチャネルは、（例えば、基地局３００またはリモートデバイスの入力手段を介して）選択することができる。例えば、基地局３００の通信チャネルを選択するための選択肢を提示する設定ページを表示した、グループモニタリングデバイス４００のディスプレイ４０２の一実施形態を示す図６８を参照されたい。
【００８８】
いくつかの例示的な実施形態では、グループモニタリングデバイス４００は、表示される１つまたは複数の動作モジュールの選択を可能にする、モジュール選択要素４４６を含む。動作モジュールは、動作モジュールアイコンを使用して選択可能とすることができる。いくつかの例示的な実施形態では、計画モジュールアイコン４６４を選択することで、運動活動のセッションを計画するために使用するように設計された機能を含む、計画モジュールの表示をトリガすることができる。いくつかの例示的な実施形態では、モニタモジュールアイコン４６６を選択することで、本明細書でさらに説明するように、運動活動のセッション中にリアルタイムで、運動活動のセッションをモニタリングするために使用するように設計された機能を含む、モニタモジュールの表示をトリガすることができる。いくつかの例示的な実施形態では、解析モジュールアイコン４６８を選択することで、本明細書でさらに説明するように、運動活動のセッション中にリアルタイムで、または運動活動のセッションの完了後に、運動活動のセッションを解析するために使用するように設計された機能を含む、解析モジュールの表示をトリガすることができる。いくつかの例示的な実施形態では、レポートモジュールアイコン４７０を選択することで、運動活動のセッションに関するレポート（例えば、選択された情報の印刷可能または表示可能な要約）を作成するために使用するように設計された機能を含む、レポートモジュールの表示をトリガすることができる。
【００８９】
いくつかの例示的な実施形態では、グループモニタリングデバイス４００は、例えば、図９に示されるように、ディスプレイディスプレイ４０２と、入力手段４０４とを含む。好ましい一実施形態では、グループモニタリングデバイス４００は、（タブレットパーソナルコンピュータ、またはＡｐｐｌｅ  Ｉｎｃ．（登録商標）が販売するｉＰａｄ（登録商標）などの）タブレットコンピューティング型デバイスである。しかし、グループモニタリングデバイス４００は、例えば、ラップトップコンピュータ、スマートフォン、パーソナルコンピュータ、モバイルフォン、電子ブックリーダ、ＰＤＡ（携帯情報端末）、スマートフォン、腕時計デバイス、衣類に（例えば袖もしくはアームバンドに）組み込まれたディスプレイ、または情報を受け取り、表示すること、および入力を受け取ることが可能な他の類似のデバイスなど、他の任意の適切なデバイスとすることができる。いくつかの実施形態では、グループモニタリングシステム１００は、（例えば、モニタリング対象の運動活動への参加中に）個人１０が運ぶことができる、複数のグループモニタリングデバイス４００を含む。説明を簡潔かつ明瞭にするため、本明細書では、グループモニタリングデバイス４００は、主にトレーナ２０が使用するものとして説明される。しかし、グループモニタリングデバイスは、個人１０を含む任意の人によっても、同様に使用することができる。
【００９０】
いくつかの例示的な実施形態では、運動活動のセッション中に、トレーナ２０は、個人１０および／またはスポーツオブジェクト４０についてのリアルタイム情報を受け取るために、グループモニタリングデバイス４００を使用することができる。この情報は、トレーナ２０が、様々な目標をより容易に達成することを可能にする。運動活動がフィットネス運動である場合、トレーナ２０は、例えば、個人１０のパフォーマンスを最適化し、怪我の可能性を減らす、データに基づいたリアルタイムの判断を通知するために、特定の個人１０または個人１０のグループの疲労についてのリアルタイムに受け取ったデータを利用することができる。例えば、トレーナ２０は、グループモニタリングデバイス４００から受け取った情報に基づいて、運動活動の現在のセッションを変更する（例えば、短縮する、延長する、休止する、終了する、またはセッションの活動のスケジュールを変更する）ことができる。トレーナ２０は、特定の個人１０または個人１０のグループのセッションを変更することができる。運動活動の現在のセッションが、（本明細書でさらに説明するように）モニタリングデバイス４００の計画モジュールを使用してスケジュールされた場合、計画されたスケジュールは、トレーナ２０の判断に対応するように、リアルタイムに変更することができる。同様に、運動活動が競技（例えば、サッカーのゲーム）である場合、トレーナ２０は、例えば、競技で勝利を収める可能性を最適化する、データに基づいたリアルタイムの判断を通知するために、特定の個人１０および／もしくはスポーツオブジェクト４０、または個人１０および／もしくはスポーツオブジェクト４０のグループのパフォーマンスについてのリアルタイムに受け取ったデータを利用することができる。例示的な一実施形態では、グループモニタリングデバイス４００は、単一の個人１０および／またはスポーツオブジェクト４０だけばかりでなく、個人１０および／またはスポーツオブジェクト４０のグループをモニタリングするためにも使用することができる。
【００９１】
いくつかの例示的な実施形態では、グループモニタリングデバイス４００は、例えば、運動活動に参加している個人１０および／または運動活動のために使用されているスポーツオブジェクト４０についての情報を決定し、視聴者に中継するために、運動活動の放送者が使用することができる。
【００９２】
ディスプレイ４０２は、個人１０および／またはスポーツオブジェクト４０が運動活動のセッションに参加している最中に、個人モニタ２００、個人１０、オブジェクトモニタ２５０、および／またはオブジェクト４０の（例えば、識別情報、属性、メトリック、およびアラートを含む）表現を表示するように機能する。表現は、例えば、チャート（図１３および図１４を参照）、ダッシュボード（図１６を参照）、グラフ（図１５を参照）、マップ（図１６参照）、色、シンボル、テキスト、画像、およびアイコンを含む、多くの形式を取ることができる。
【００９３】
ディスプレイ４０２が表示することが可能な様々な表現が、本明細書で詳細に説明される。説明を簡潔かつ明瞭にするために、表現の多くは、個人１０に関して説明され、スポーツオブジェクト４０には言及しないことがある。１つまたは複数のスポーツオブジェクト４０に関する情報は、個人１０について説明したのと同様に、上記の表現のいずれかで、または上記の表現のいずれかに類似するフォーマットで表示することができる。そのようなスポーツオブジェクト４０に関する（メトリックを含む）情報は、個人１０に関する情報とは別に表示することができ、または個人１０に関する情報と共に表示することができる。スポーツオブジェクト４０に関して表示される情報は、別々に表示されるか、それとも共に表示されるかに係わらず、個人１０について表示される情報と同じタイプであることも、または異なるタイプ（例えば、異なるメトリック）であることもある。
【００９４】
入力手段４０４は、トレーナ２０などのユーザが、ディスプレイ４０２によって表示された表現を操作することを可能にする、インタフェースである。好ましい一実施形態では、入力手段４０４は、タッチスクリーン入力手段である。しかし、入力手段４０４は、例えば、キーボード、音声認識、音声入力手段、またはプッシュボタン入力手段など、他の任意の適切な入力手段とすることができる。入力手段４０４は、様々なタイプの入力手段の組み合わせをさらに含むことができる。入力手段４０４は、ディスプレイ４０２に所望の表現を表示させるように、トレーナ２０が操作することができる。表現は、グループモニタリングデバイス４００と基地局３００との通信を通して、運動活動中にリアルタイムに更新することができ、今度は、基地局３００が、上で説明したように、運動活動に参加している個人１０が身に付けた個人モニタ２００、および／または運動活動のために使用されているスポーツオブジェクト４０が運ぶオブジェクトモニタ２５０と通信する。
【００９５】
例示的な一実施形態では、トレーナ２０は、入力手段４０４を介して一意的なログイン認証情報を入力することによって、グループモニタリングデバイス４００にアクセスする。代替として、トレーナ２０は、ログイン認証情報を入力することなく、グループモニタリングデバイス４００にアクセスする。グループモニタリングデバイス４００にアクセスすると、トレーナ２０は、グループモニタリングデバイス４００を使用して、リアルタイムに個人１０および／またはスポーツオブジェクト４０をモニタリングするために、入力手段４０４を操作することができる。グループモニタリングデバイス４００のディスプレイ４０２は、完全にカスタマイズ可能とすることができ、異なるディスプレイ４０２を使用する異なる人物が、それらの表示を異なるようにカスタマイズすることができる。例えば、異なるトレーナは、異なるトレーニング理念を有することがあり、自らのトレーニング理念に特有な方法で（例えば、１つのメトリックまたはメトリックの組を別のメトリックまたはメトリックの組よりも強調して）、トレーニング結果を見たいと望むことがある。グループモニタリングデバイス４００は、グループモニタリングディスプレイデバイス４００を使用する特定のトレーナに固有の必要性または所望に従って構成することができる。さらに、特定のトレーナ２０用の（例えば、ウェブサーバシステム５００または基地局３００を介して、例えば、解析デバイス６００、パーソナルコンピュータ、または他の解析デバイスによって表示される）ウェブダッシュボードも、同様に、トレーナ２０が最も有益であると思う方法で、情報または解析を提示するように構成することができる。複数のモニタリングデバイス４００を、複数のトレーナ２０が同時に使用することができ、各モニタリングデバイスは、他のモニタリングデバイスとは独立にカスタマイズすることができる。複数のモニタリングデバイス４００の各々は、異なる個人１０および／もしくはスポーツオブジェクト４０、または個人１０および／もしくはスポーツオブジェクト４０の異なるグループをモニタリングすることができる。複数のモニタリングデバイス４００の各々は、異なる情報を、または同じ情報を異なるフォーマットでモニタリングし、提示することができる。例えば、（例えば、数値またはグラフによる）メトリックの表現は、絶対値（例えば、パワー出力）として、または相対値（例えば、相対パワー出力）として提示することができる。また、例えば、メトリックまたは他の情報を提示するために使用される色は、ユーザが選択することができる。
【００９６】
複数のモニタリングデバイス４００の各々は、（本明細書でさらに説明するように）異なるアラートおよび／またはマーカを含むように、カスタマイズすることができる。そのようなカスタマイズ可能性は、トレーナ２０のグループ内の各人が、個人１０および／もしくはスポーツオブジェクト４０、または個人１０および／もしくはスポーツオブジェクト４０のグループの異なる側面に重点をおいて、それをモニタリングすることを可能にすることができる。本明細書で説明する各ディスプレイ機能は、ディスプレイ４０２のユーザ（例えば、トレーナ２０）の選択に応じて、変更することができ、および／またはディスプレイ４０２の特定の表示に含まれることができる。しかし、説明を容易にするため、本明細書では、ディスプレイ４０２は、様々な異なる「ダッシュボード」を表現するものとして提示され、ダッシュボードとは、１つまたは複数の要素の視覚的表現のことである。いくつかの例示的な実施形態では、ダッシュボードは、デフォルト表示として規定することができ、その後、デフォルト表示は、ユーザの選択に応じて、使用することができ、または変更することができる。例えば、チームビューダッシュボードは、チームの各個人１０に関する情報ばかりでなく、全体としてのチームに関する情報も表現することができ、個人ビューダッシュボードは、特定の個人１０に関する情報を表現することができる。
【００９７】
いくつかの例示的な実施形態では、グループモニタリングデバイス４００のディスプレイ４０２は、チームビューダッシュボードを示す（例えば、図１３、図１７、図１８、図２７〜図３２、図３３Ａ、図３３Ｂ、図３４、図３５Ａ〜図３５Ｄ、および図６９〜図７２の例示的なディスプレイ４０２を参照）。チームビューダッシュボードは、モニタリング対象の運動活動に現在参加しているすべての個人１０、および／もしくはモニタリング対象の活動のために現在使用されているすべてのスポーツオブジェクト４０、またはそれらの１つもしくは複数のグループのための識別情報および要約メトリックを同時に表示することができる。識別情報は、例えば、個人の名前４０６および個人の背番号４０８、またはスポーツオブジェクトのタイプ４１７を含むことができる。いくつかの実施形態では、各個人１０および／またはスポーツオブジェクト４０の写真４１０または他のグラフィックも、識別情報として含まれる（例えば、図２７、図２８、図３１、図３２、および図３３Ａを参照）。チームビューダッシュボードに示される要約メトリックは、トレーナ２０にとって最も応用範囲が広く、最も有益なメトリックとなるように構成することができる。図１３の例示的なディスプレイ４０２には、プレーヤＡからプレーヤＨの各々について、現在の心拍数、スピード、トレーニング負荷、およびパワーが示されており（プレーヤＡからプレーヤＨは、モニタリング対象の運動活動に現在参加している個人１０であり）、ボールについて、スピードが示されている（ボールは、モニタリング対象の運動活動のために現在使用されているスポーツオブジェクト４０である）。図１３に示されたメトリックは、数値として示されている。しかし、メトリックの表示は、数値の表示に限定されない。メトリックは、例えば、グラフ（例えば、図１５を参照）で、またはマップ形式（例えば、図１６および図１７を参照）でなど、当業者が理解するような、他の適切な方法で表現することができる。
【００９８】
いくつかの実施形態では、メトリックは、相対値として表示することができる。例えば、メトリックの現在の値は、そのメトリックの値のパーセンテージとして表示することができる。例えば、メトリックの値は、そのメトリックの基準値のパーセンテージとして表示することができる。基準値は、各個人１０および／またはスポーツオブジェクト４０別に変化することができ、関連する個人１０の個人能力に基づくことができる。基準値は、（例えば、較正評価活動を介する）実験によって決定することができ、推定することができ、計算することができ、または他の方法で決定することができる。
【００９９】
例えば、個人１０の相対パワーメトリックは、パーセンテージ値として表現することができ、パーセンテージ値は、個人１０の現在のパワー出力を、個人１０の基準（例えば、最大）パワー出力のパーセンテージとして表すことができる。いくつかの実施形態では、個人１０のパワー出力は、個人１０の上部胴体の動きに基づいて近似することができる（例えば、個人モニタ２００を上部胴体に配置し、したがって、個人１０の質量中心近くに結合する）。そのような近似は、個人１０の四肢の動きに起因するパワー出力を考慮することができず（すなわち、個人１０の胴体の動きに起因するパワー出力だけを考慮し）、または例えば、風の抵抗、および足取りの相違など、他の未知の要因に起因するパワー出力を考慮することができない。
【０１００】
相対パワーメトリックは、較正評価活動に基づいて、基準パワー出力値を決定することによって、そのような未知の要因および考慮されていない要因を補償することができる。較正評価活動中、個人１０は、高レベルの強度で（または別途指示されたように）運動活動に参加し、後にモニタリングされるそのタイプの運動活動に典型的な（または別途指示されたような）動きを行う。この較正評価活動中、個人モニタ２００は、（例えば、個人１０の感知された動きに基づいて）個人１０の動きのパワー出力を近似する。基準パワー出力は、活動中に近似されたパワー出力に基づいて（いくつかの実施形態では、例えば、心拍数などの他のモニタリング対象のメトリックも併用して）、（例えば、較正評価活動の完了後に）決定することができる。
【０１０１】
基準パワー出力は、較正評価活動からのデータを入力に用いるアルゴリズムによって計算することができ、またはそのような近似パワー出力の表現を（例えば、グループモニタリングデバイス４００を介して）時間の関数として視覚的に解析する人によって選択することができる。基準パワー出力は、較正評価活動中の個人１０の近似パワー出力を表すものとして選択することができ、パワー出力が相対的に安定している期間中の近似パワー出力（例えば、そのような期間中の平均近似パワー出力）に基づくことができる。
【０１０２】
個人１０の相対パワー出力は、較正評価活動中に決定された基準パワー出力に対する、（個人モニタ２００によって近似された）測定パワー出力の尺度として決定することができる。例えば、個人１０の相対パワー出力は、個人モニタ２００によって測定（または近似）されたパワー出力を、基準パワー出力によって除算したものとして（いくつかの実施形態では、相対パワー出力をパーセンテージ値として表現するために、さらに１００を乗算したものとして）、計算することができる。したがって、個人１０の相対パワー出力は、個人１０の基準パワー出力に対する、個人１０が現在発している（または測定時間において発していた）パワーのパーセンテージとして表現することができる。上で説明したような未知の要因および考慮されていない要因は、較正評価活動中およびモニタリング対象の運動活動中のどちらにも発生するので、それによって、パワー出力測定に導入される誤差は、相対パワー計算では実質的に相殺される。
【０１０３】
いくつかの実施形態では、トレーナ２０は、各個人１０のための個人別の基準パワー出力を定めるために、複数の個人１０に対して較正評価活動を実行することができる。このように、パワー出力は、複数の個人１０の間で直接的に比較することができる（例えば、複数の個人１０の相対パワーを、例えば、グループモニタリングデバイス４００のディスプレイ４０２に同時に表示することができる）。複数の個人１０の相対パワーは、そのような比較を容易にするように、（例えば、グループモニタリングデバイス４００を介して）トレーナ２０に表示することができる。
【０１０４】
相対メトリックは、トレーナ２０が、個人１０のパフォーマンスの強度を理解する助けとすることができる。例えば、異なるフィットネスレベルの２人の個人１０は、両方の個人１０が同様の強度で運動している場合であっても、絶対的には非常に異なるパワー出力を有することがある。したがって、絶対パワー出力の表現は、個人１０が運動している強度を必ずしも伝えない。しかし、相対パワー出力は各個人について正規化されているので、相対パワー出力の表現は、個人１０が運動している強度を伝える。各個人１０についての相対パワー出力の表現は、各個人についての絶対パワー出力を正規化したものとしての役目を務め、モニタリング対象の個人１０がどれだけ激しく運動しているかを比較可能なようにしてトレーナ２０に伝えることができる。
【０１０５】
いくつかの実施形態では、トレーナは、共通のトレーニング計画を使用して、複数の個人１０をモニタリングすることができ、共通のトレーニング計画は、相対メトリックに基づいている。相対メトリックに基づくことによって、（例えば、共通のトレーニング計画の）トレーニング目標を、複数の個人１０にわたって効果的に正規化することができ、共通のトレーニング計画の下で、個人能力が異なる複数の個人１０の意味ある評価を可能にする。
【０１０６】
いくつかの実施形態では、第１の個人１０のための個人トレーニング計画を、相対メトリックに基づいて開発することができる。個人トレーニング計画は、相対メトリックに基づいているので、調整の必要なしに、第２の個人１０に適用することができる。例えば、相対メトリックに基づいて、有名運動選手のための個人向けのトレーニング計画を開発することができる。その運動選手のファンは、その有名運動選手ほどの身体能力がなくても、同じトレーニング計画を実行することができるが、その理由は、計画が、ファン自らの相対メトリックを使用することによって、自らの能力に対して正規化されるからである。そのような計画をスケジュールして、本明細書で説明されるようなグループモニタリングシステム１００に組み込むことができる。
【０１０７】
いくつかの実施形態では、推奨トレーニング案、または自動トレーニング計画調整を、管理デバイスを介して提供することができ、管理デバイスは、例えば、グループモニタリングデバイス４００または解析デバイス６００などのデバイスとすることができる。運動パフォーマンス中、または運動パフォーマンス後に、パフォーマンスに関するデータを、グループモニタリングシステム１００の１つまたは複数のシステムコンポーネントによって解析することができる（そのようなデータは、１人の個人１０について、またはグループとしての複数の個人１０について解析することができる）。パフォーマンスデータを解析する際、グループモニタリングシステム１００は、パフォーマンスにおける改善分野（例えば、弱点）を識別することができる。そのような弱点は、例えば、個人１０のチームメートの当該メトリックの平均よりも低く、その低さが閾値量よりも大きい、個人１０のメトリック、またはチームの他のメトリックよりも改善率が低い、個人１０が所属するチームのメトリックとすることができる。グループモニタリングシステム１００は、そのような解析に基づいて、識別された改善分野に対処するための推奨トレーニング案を決定することができる。いくつかの実施形態では、推奨トレーニング案は、個人モニタ２００だけからのデータ、オブジェクトモニタ２５０だけからのデータ、または個人モニタ２００およびオブジェクトモニタ２５０の両方からのデータに基づいている。
【０１０８】
いくつかの実施形態では、グループモニタリングデバイス４００は、そのような推奨トレーニング案の表現を表示することができる。いくつかの実施形態では、グループモニタリングシステム１００と連携して、トレーニング計画が定められる場合、グループモニタリングシステム１００は、（関連する個人１０またはグループのための）トレーニング計画を、推奨トレーニング案と比較することができる。トレーニング計画が、推奨トレーニング案のトレーニングを含まない場合、グループモニタリングシステムは、そのような解析に基づいて、推奨トレーニング案のトレーニングを含めるように提言すること、または推奨トレーニング案のトレーニングを含めるようにトレーニング計画を自動的に調整することができる。いくつかの実施形態では、グループモニタリングシステム１００と連携して、トレーニング計画が定められない場合、グループモニタリングシステム１００は、（関連する個人１０またはグループのための）トレーニング計画を、推奨トレーニング案を用いて提言すること、または推奨トレーニング案を用いて自動的に定めることができる。
【０１０９】
例えば、解析されたメトリックまたはアラートが、個人１０または個人１０のグループによるランニング関連のパフォーマンスが最適とは言えない（例えば、アラートの数が閾値数を上回る）ことを示す場合、より多くのもしくは異なるランニングトレーニングを提供する推奨トレーニング案を提供することができ、またはより多くのもしくは異なるランニング関連の練習を含めるように、トレーニング計画を自動的に定めること、もしくは調整することができる。また、例えば、解析されたメトリックまたはアラートが、個人１０または個人１０のグループによるエネルギー出力が最適とは言えないことを示す場合、特定のエネルギー供給食品を食べるよう勧める推奨トレーニング案を提供することができ、または特定のエネルギー供給食品を含めるように、食事計画を自動的に定めること、もしくは調整することができる。また、例えば、解析されたメトリックまたはアラートが、個人１０または個人１０のグループによる疲労耐性が最適とは言えないことを示す場合、特定の時刻にもしくは特定の長さの時間にわたって睡眠を取るよう勧める推奨トレーニング案を提供することができ、または特定の時刻のもしくは特定の長さの時間にわたる睡眠を含めるように、睡眠計画を自動的に定めること、もしくは調整することができる。また、例えば、（例えば、ボールを蹴る、バットを振るなどの）運動行為を行うためのテクニックを（例えば、蹴られたボールがより遠く、より高く、より速く飛ぶように、またはバットのスイングがボールをより一定して捉えるように）調整するための推奨トレーニング案を、個人１０による先の行為に関して解析されたメトリックまたはアラートに基づいて提供することができる。
【０１１０】
いくつかの実施形態では、トレーニング計画は、（例えば、本明細書で説明するようなセカンダリサーバを使用して）エキスポート、販売、または共有することができる。このようにして、個人１０は、例えば、有名運動選手またはスポーツチームが使用するトレーニング計画、個人１０の弱点を改善するように適合させたトレーニング計画、個人１０がプレーするポジション向けに適合させたトレーニング計画、または特定のトレーニング理念向けに適合させたトレーニング計画（例えば、朝のトレーニング、天気が暖かなときのトレーニング、もしくは日差しの中でのトレーニング）を獲得することができる。
【０１１１】
さらに、所定のチームのコーチ、トレーナ、医師、および他の関係者の間で計画を共有することで、協力して総合的なトレーニング戦略を開発することを容易にすることができる。例えば、グループモニタリングシステム１００は、コーチおよびトレーナが、１つまたは複数のトレーニングセッションから収集したデータに基づいて解析を行い、レポートを準備することを可能にすることができる。（そのようなデータは、例えば、コーチまたはトレーナによって作成されたカスタマイズされたメトリックおよびパフォーマンスアラートを含むことができる）。これによって、コーチまたはトレーナが、各セッションのレポートを他のコーチまたはトレーナと迅速かつ容易に共有すること、他のコーチまたはトレーナからレポートを受け取ること、およびレポートに基づいて次のセッションの計画を立てることを可能にすることができる。レポートは、各コーチまたはトレーナのトレーニング理念をサポートするためのカスタム解析を提供するように適合させることができ、例えば、ウェブシステム（例えば、ウェブサーバシステム５００）を介して提供することができる。
【０１１２】
いくつかの実施形態では、グループモニタリングデバイス４００は、トレーナ２０が個人１０および／またはスポーツオブジェクト４０の特性にリアルタイムに応じることを助けるリアルタイム解析および要約レポートを、トレーニング中に提供することができる。トレーナ２０は、個人のメトリックをチームの残りの個人のメトリックと比較することができる。このフィードバックは、トレーナ２０が個人１０のやる気を、または他のトレーナのやる気をさえ鼓舞する助けとすることできる。
【０１１３】
いくつかの実施形態では、相対メトリックは、効率メトリックに組み込むことができる。例えば、効率メトリックは、個人１０の心拍数（例えば、相対パワー出力について上で説明したのと同様に決定される相対心拍数）と比較した、個人１０の相対パワーに基づくことができ、個人１０の効率の尺度と見なすことができる、相対心拍数の関数としての個人１０の相対パワーの大きさを決定する。
【０１１４】
いくつかの例示的な実施形態では、例えば、図２７のディスプレイ４０２には、プレーヤＡからプレーヤＬの各々について、心拍数、パワー、距離、および効率が示されており、さらなるプレーヤについてのこれらの値は、プレーヤＬを越えて下方にスクロールすることによって見ることができる。また、プレーヤＡからプレーヤＬの各々について、アラート分野（例えば、パフォーマンスアラート）およびメモも示されている。いくつかの例示的な実施形態では、例えば、図２７および図３１に示されるように、メモアイコン４２５およびアラートアイコン４３２は、メモまたはアラートの存在を示すことができる。そのようなメモアイコン４２５およびアラートアイコン４３２を選択することで、関連するメモまたはアイコンに関連する追加情報の表示をトリガすることができる。例えば、図２７のチームビューダッシュボードは、プレーヤＡが１つのアラートを有し、プレーヤＥが３つのアラートを有し、プレーヤＬが２つのアラートを有すること、およびプレーヤＡ、Ｄ、Ｅ、Ｉ、Ｋの各々が、各自のエントリに関連するメモを有することを示している。そのようなメモおよびアラートは、本明細書でより詳細に説明される。そのようなメモおよびアラートは、スポーツオブジェクト４０についても同様に表示することができる。
【０１１５】
いくつかの例示的な実施形態では、ディスプレイ４０２は、モニタリング対象のすべての個人１０の部分集合を表示する。このようにして、トレーナ２０は、特定の個人１０にフォーカスすることができる。いくつかの例示的な実施形態では、表示される個人１０の部分集合は、トレーナ２０が定めることができ、ディスプレイ４０２は、例えば、図２８および図２９の選択機能４２８など、特定の個人１０を表示対象の部分集合に含めるか、それとも含めないかを、トレーナ２０が選択することを可能にする選択機能を含むことができる。
【０１１６】
それに加えて、または代わりに、チームビューダッシュボードは、モニタリング対象の運動活動に参加する個人１０のグループのためのグループ要約メトリックを示すことができる。グループ要約メトリックは、グループに属する各個人１０についての対応するメトリックの平均とすることができ、またはグループ要約メトリックは、グループ全体の所望の属性を反映するように設計された独立のアルゴリズムを使用して計算することができる。図１３の例示的なディスプレイ４０２には、現在の平均心拍数、スピード、トレーニング負荷、およびパワーが、チーム（すなわち、プレーヤＡからプレーヤＨ）について、およびチームの一部に含まれるグループ（すなわち、プレーヤＡ、プレーヤＣ、プレーヤＥ）について示されている。心拍数、スピード、トレーニング負荷、およびパワーの値は、現在値を反映するように、運動活動中にリアルタイムに更新することができる。
【０１１７】
チームビューダッシュボードは、心拍数、スピード、トレーニング負荷、およびパワーの表示に限定されず、４つのメトリックの表示に限定されない。チームビューダッシュボードは、最も応用がきき、またはトレーナ２０に最も有益なようにそれらのメトリックを表示するためにカスタマイズすることができ、個人１０および／またはスポーツオブジェクト４０に対して、例えば３つから５つの異なるメトリックを表示することができる。いくつかの例示的な実施形態では、表示されるメトリックは、セットアップ手順中に運動活動に先立って設定することができる。いくつかの例示的な実施形態では、表示されるメトリックは、入力手段４０４の操作によって運動活動中に変更することができる。
【０１１８】
いくつかの例示的な実施形態では、例えば、図６９〜図７２のディスプレイ４０２には、複数の個人１０の相対メトリックを表示することができる。例えば、図６９〜図７２の実施形態では、複数の個人１０についての相対パワーおよび相対心拍数が、チャート４１１に表示されている。また、図６９〜図７２の実施形態では、個人１０の効率も表示されている。効率は、同じチャート４１１における相対心拍数と相対パワー出力のオーバレイ比較によって表され、各個人１０の相対心拍数と相対パワー出力の差の大きさを伝える。
【０１１９】
チームダッシュボードビューに表示されたメトリックのうちの特定のメトリックは、他のメトリックと比べて強調して表示できる注目メトリック４１４として指定することができる。注目メトリックは、個人１０のため、または個人１０のグループのために、（例えば、トレーナ２０によって）独立に指定することができる。運動活動に参加しているすべての個人１０についてトレーナ２０が注目メトリックを一目で容易に見られるように、注目メトリック４１４は、他のメトリックよりも目立つように、または詳細に表示することができる。いくつかの例示的な実施形態では、注目メトリック４１４は、（例えば、図３０に示される注目メトリック選択肢４３０の１つを選択することによってなど、注目を引きたいメトリックを選択するなどの）入力手段４０４の適切な操作によって、運動活動のモニタリング中に、任意の利用可能なメトリックに変更することができる。いくつかの例示的な実施形態では、トレーナ２０は、注目メトリック表示を切り替えることができる。
【０１２０】
注目メトリック４１４は、様々な方法で注目を引くようにすることができる。例えば、注目メトリック４１４は、他の表示メトリックの色とは異なる色で（または背景色を用いて）表示することができ、他のメトリックよりも大きく表示することができ、点滅もしくは明滅することができ、他のメトリックの背景領域よりも大きな背景領域を含むことができ、個人１０の識別情報の最も近くに配置することができ、ステータスバー、チャート、もしくはグラフ（例えば、ステータスバー４６２）を含むことができ、または上記もしくは他の特性を組み合わせて示すことができる。図１３の例示的なディスプレイ４０２では、他のメトリックよりも大きな背景領域を含むことによって、また個人１０の識別情報の最も近くに配置することによって、心拍数が注目を引くようにされている。図２７の例示的なディスプレイ４０２では、各個人１０のパワー項目の隣にステータスバーを含むことによって、パワーが注目を引くようにされている。図３０および図３２の例示的なディスプレイでは、加えて、パワーを表示する値を他の値よりも大きく表示することによって、パワーがひときわ注目を引くようにされている。図３１の例示的なディスプレイ４０２では、ステータスバーを含むことによって、また心拍数を表示する値を他の値よりも大きく提示することによって、心拍数が注目を引くようにされている。
【０１２１】
いくつかの例示的な実施形態は、アラート（例えば、個人１０のメトリックについてのパフォーマンスアラート、またはシステムコンポーネントについてのシステムアラート）が設定されている場合には、メトリックまたはステータスの値がアラートパラメータに関する特定のゾーン内にあるかどうかの表示を含むことができる。例えば、値がゾーン内にあるか、それともゾーン外にあるか、または値が閾値に近いかどうかに基づいて、例えば、メトリックまたはステータスの背景領域の色を変更することができ、またはアイコンを出現させることができる。心拍数が１０分以上にわたって最大心拍数の８５％以上に維持されていることに対してアラートが設定された例示的な一実施形態では、個人１０の心拍数の値が最大心拍数の８５％以上にあるとき、個人１０の心拍数値を含む領域の背景が緑色になり、心拍数が１０分以上にわたって最大心拍数の８５％以上にあるとき、個人１０の心拍数値を含む領域内に星型アイコンが出現し、グループモニタリングデバイス４００のスピーカによって可聴音が鳴らされる。いくつかの例示的な実施形態では、例えば、図３１〜図３３Ａに示されるように、アラートがトリガされたことを示す表示を、関連する個人１０の名前の周囲の領域の色を変化させることによって提供することができ、アラートを表す円形または他のアラートアイコン４３２を提示して、個人１０に関連するアラートの存在および／または数を示すことができる。色の変化は、アラートがアクティブである限り維持することができ、またはアラートがトリガされたときに変化させ、ある期間の後、色を薄めること、もしくは再びその元の色に変化させることができる。いくつかの例示的な実施形態では、個人モニタ２００は、例えば、（例えば、スピーカを介して）可聴音を発すること、振動すること、または（例えば、ＬＥＤもしくはＬＣＤディスプレイを介して）可視的表示を提供することによって、関連する個人１０にアラートの表示を提供することができる。
【０１２２】
いくつかの例示的な実施形態では、アラートがトリガされた場合、トレーナ２０は、アラートの表現を選択し、それによって、例えば、図３３Ａおよび図３４に示されるような、アラートについてのより多くの情報にアクセスすることができる。いくつかの例示的な実施形態では、アラートの表現を選択することで、アラートをトリガしたメトリックの詳細なチャート表示がもたらされる。いくつかの例示的な実施形態では、ディスプレイ４０２は、モニタリング対象のすべての個人１０またはその一部についての、ある時点または期間における、すべてのアクティブなアラートを表示することができる。いくつかの例示的な実施形態では、例えば、点滅アイコンによって、または例えば、図３３Ａ、図３３Ｂ、図３４、および図３５Ａ〜図３５Ｄの例示的な実施形態に示されるような、新しいアラートに関する情報を示す一時的なポップアップボックス４３４によって、新しいアラートを示すことができる。
【０１２３】
いくつかの例示的な実施形態では、ポップアップボックス４３４は、単一のアラートについての情報を含む（例えば、図３３Ａ）。いくつかの例示的な実施形態では、ポップアップボックス４３４は、複数のアラートについての情報を含む（例えば、図３３Ｂ、図６５、図６６）。複数のアラートは、任意の適切な基準に従って表示することができる。例えば、複数のアラートは、特定の個人モニタ２００、個人１０、オブジェクトモニタ２５０、および／もしくはスポーツオブジェクト４０、またはそれらのグループに関するアクティブなアラートとすることができ、すべてのアクティブなアラートとすることができ、あるいは現時点以前のある期間内にトリガされたアラートとすることができる。いくつかの例示的な実施形態では、ポップアップボックス４３４は、トリガされたアラートの存在および／または数を示す。この数は、例えば、すべてのアクティブなアラート、すべての未表示アラート、または現時点以前のある期間内にトリガされたアラートの数を含むことができる（例えば、図３５Ｃ、図６５）。いくつかの例示的な実施形態では、表示されるアラートの数が何らかの閾値数を上回った場合、トリガされたアラートの数を示すポップアップボックス４３４が、追加のアラート情報を含むポップアップボックス４３４に代わって出現する。
【０１２４】
いくつかの例示的な実施形態では、例えば、図３５Ｄに示されるように、アラート管理アイコン４４８の選択に応答して、アラート管理ウィンドウ４３８を表示することができる。アラート管理ウィンドウ４３８は、すべてのアクティブなアラートまたはそれらの一部についての情報を含むことができ、そのようなアラートの棄却または確認を可能にすることができる。
【０１２５】
いくつかの例示的な実施形態では、チームビューダッシュボードは、リアルタイムにソート可能である。トレーナ２０は、ディスプレイ４０２が、所望のメトリックによってソートされた、個人１０についての情報を示すように、入力手段４０４を操作することができる。例えば、トレーナ２０は、表示された心拍数メトリックを（例えば、メトリックのラベル、またはメトリックに関連付けられたソートアイコンを選択することによって）選択することができ、個人１０についての情報を、昇順または降順で表されるように、再配列することができる。例えば、図１９は、最低の心拍数を有する個人１０から最高の心拍数を有する個人１０まで再配列された個人１０を示している。心拍数メトリックをさらに選択することで、個人１０についての情報を昇順表現から降順表現に、および降順表現から昇順表現に変化させることができる。いくつかの例示的な実施形態では、トレーナ２０は、例えば、名前４０６、空間内の位置（例えば、フィールドまたはコート上のロケーション）、チームにおけるポジション（例えば、ゴールキーパー、ディフェンダ、ポイントガード）、背番号４０８、生理学的ステータス、接続ステータス、またはアクティブなアラートによっても同様にソートすることができる。そのような機能は、トレーナ２０が、他の個人１０と比べて、どの個人１０が高いメトリックおよび低いメトリックを有するかを容易に調べることを可能にすることができる。
【０１２６】
いくつかの例示的な実施形態では、チームビューダッシュボードは、リアルタイムにフィルタ可能である。トレーナ２０は、ディスプレイ４０２が、個人１０の一部についての情報を示すように、入力手段４０４を操作することができる。例えば、トレーナ２０は、個人１０の一部に相当する１つまたは複数のグループを選択することができる。グループは、様々な方法で選択することができる。いくつかの例示的な実施形態では、トレーナ２０は、グループラベル、またはグループに関連付けられたフィルタアイコンを選択する。いくつかの例示的な実施形態では、トレーナ２０は、リアルタイムにグループを作成するために個人を選択する。いくつかの例示的な実施形態では、トレーナ２０は、例えば、心拍数が特定の値よりも高いすべての個人１０、トレーニング負荷パーセンテージが特定の値よりも高いすべての個人１０、特定のポジションを任されたすべての個人、または特定の生理学的ステータスを有するすべての個人など、グループのメンバを識別するために使用される情報を入力する。グループが選択されると、表示は、グループに含まれる個人１０だけが表示されるように変化することができる。そのような機能は、トレーナ２０が、個人１０のグループに関連するメトリックに容易にフォーカスすることを可能にすることができる。
【０１２７】
いくつかの例示的な実施形態では、チームビューダッシュボードは、個人モニタ２００と基地局３００との接続のステータスをモニタリングするために使用することもできる。例えば、個人１０が、基地局３００の範囲の外へ移動した場合、基地局３００は、その個人１０の個人モニタ２００からの送信を正常に受信できないことがある。チームビューダッシュボードは、例えば、その個人１０の識別情報をグレー表示することによって（例えば、図２７、図３１、図３２、図３４のプレーヤＧを参照）、その個人１０に関する情報に引かれた取り消し線を含むことによって、またはその個人１０の識別情報に関連付けられたアイコンを含むことによって、その個人１０についてのデータを基地局３００が受信していないことを示すことができる。
【０１２８】
いくつかの例示的な実施形態では、図１３の上で説明した表現を代替表現で置き換えることができ、または選択可能な代替表示として代替表現を使用することができ、トレーナ２０が上で説明した表現と代替表現のどちらかを選択することを可能にする。図１７および図１８の代替表現は、複数のパネルを含み、各パネルは、特定の個人１０についての情報を示す。図１７は、プレーイングフィールド３０における個人１０の現在のロケーションを示す、ロケーションコンポーネント４１２を含み、ロケーションコンポーネント４１２では、識別番号によって表された個人１０が示される。いくつかの例示的な実施形態では、例えば、図６０に示されるように、個人１０は、写真によって表される。図１８は、各パネルの中央に目立つように表示された注目メトリック４１４（心拍数）を含むほか、各パネル内の値がどのメトリックを表すかを示す凡例４１６も含む。トレーナ２０は、凡例４１６においてメトリックを選択して、それを注目メトリック４１４として表示させることができる。図１８は、アクティブにモニタリングしていない個人１０のリストも含む。トレーナ２０は、このリストから個人１０を選択して、その個人をアクティブにモニタリングするようにすることができる。図１７および図１８の代替表現の動作は、図１３の上で説明した表現の動作と同様である。
【０１２９】
いくつかの例示的な実施形態では、ロケーションコンポーネント４１２は、プレーイングフィールドにおける個人１０の現在のロケーションを示し、個人１０のうちの１人の表現を選択することで、選択された個人１０の現在のステータスについての情報を表示するステータスボックスの表示をトリガする。いくつかの例示的な実施形態では、例えば、図６０に示されるように、ロケーションコンポーネント４１２は、プレーイングフィールドのエリアに個人１０がどれだけ集中しているかについての視覚的表示を提供する、ヒートマップ４１３を含むことができ、この情報は、トレーナ２０が、個人１０を再分散させるべきかどうかを判断する助けとすることができる。そのような視覚的表示は、個人１０が多数集中しているエリアに、個人１０があまり集中していないエリアとは異なる色を付けることを含むことができる。ロケーションコンポーネント４１２は、個人１０をリアルタイムにモニタリングするために使用することができ、または運動活動の過去のセッションに基づいて、または運動活動の現在のセッションにおけるそれ以前の部分に基づいて、個人１０のロケーションを再検討するために使用することができる。
【０１３０】
いくつかの例示的な実施形態では、グループモニタリングデバイス４００のディスプレイ４０２は、個人ビューダッシュボードを示す（例えば、図１６、図３６Ａ、図３６Ｂ、図３７Ａ、図３７Ｂ、および図３８〜図４１の例示的なディスプレイ４０２を参照）。トレーナ２０は、例えば、チームビューダッシュボードにおいて個人１０を選択することによって、個人ビューダッシュボードにアクセスすることができる。個人ビューダッシュボードは、例えば、略歴情報（例えば、写真４１０、名前４０６、背番号４０８、ポジション）、属性（例えば、身長、体重）、メトリック（例えば、活動時間、心拍数、スピード、移動距離、強度レベル、トレーニング負荷、効率、ロケーション）、統計（例えば、あげた得点）、アラート、メモ、および状態（例えば、強壮、健康、リハビリテーション）など、選択された個人１０についての情報を示すことができる。いくつかの例示的な実施形態では、個人ビューダッシュボードは、図１６の実施形態に示される情報とは異なる、選択された個人１０についての情報を示す。
【０１３１】
いくつかの例示的な実施形態では、トレーナ２０が情報項目を選択した場合、その情報の詳細な表示を表示することができる。例えば、トレーナ２０が、図１６に示される、プレーヤＡについての個人ビューダッシュボードにおいて「心拍数」を選択した場合、ディスプレイ４０２は、現在の運動活動中におけるプレーヤＡの心拍数の履歴を示す、詳細なチャートおよび／またはグラフ４１８を表示することができる（例えば、図２０を参照）。いくつかの例示的な実施形態では、トレーナ２０は、個人ビューダッシュボードにおいて「パワー」インジケータを選択することができ、ディスプレイ４０２は、選択されたプレーヤのパワーの履歴を示す、詳細なチャートおよび／またはグラフ４１８を表示することができる（例えば、図３６Ａを参照）。
【０１３２】
いくつかの例示的な実施形態では、選択された個人１０の選択されたメトリックに特有な任意の適用可能なアラート情報（例えば、トレーニングゾーン、閾値）が、詳細な表示に表示される。例えば、図２０および図３６Ａの詳細な表示に示されるように、プレーヤＡの心拍数についてのトレーニングゾーン４２０が、プレーヤＡの心拍数のグラフ４１８に重ねられる。いくつかの例示的な実施形態では、例えば、図３６Ｂに示されるように、グラフ４１８のデータと一致するゾーン４２０の領域は、強調表示することができる。また、例えば、図３６Ａの詳細な表示に示されるように、（例えば、プレーヤのスピードについての）トレーニングゾーン４２０は、パイチャート４７２で表示することができる。いくつかの例示的な実施形態では、特定のメトリックに関連するアラートは、そのメトリックを表すチャートおよび／またはグラフに関連付けて表示されるアイコンによって示すことができる。例えば、図３９の詳細な表示では、アラートアイコン４３２は、プレーヤの心拍数に関連付けられたアラートがあることを示し、アラートアイコン４３２は、全般的にプレーヤに関連付けられたアラートが３つあることを示す。
【０１３３】
これらのアラートを選択することで、例えば、図４０に示されるような、ポップアップグラフィック４３４の形式での、アラートについてのより詳細な情報の提示をトリガすることができる。いくつかの例示的な実施形態では、トレーナ２０は、複数の情報項目を選択することができ、ディスプレイ４０２は、選択された複数の情報項目に関する情報を、詳細な表示に含むことができる。例えば、図２０は、ディスプレイ４０２のグラフ４１８に示されたプレーヤＡのスピードを示している。いくつかの例示的な実施形態では、ディスプレイ４０２は、主チャートおよび／またはグラフ４１８を表示しながら、さらなる詳細なチャートおよび／またはグラフ４３６を表示することができる。いくつかの例示的な実施形態では、さらなる詳細なチャートおよび／またはグラフ４３６は、例えば、図３６Ａおよび図３９に示されるように、主チャートおよび／またはグラフ４１８ほどには目立たずに（例えば、より小さく）表示される。いくつかの例示的な実施形態では、（例えば、トレーナ２０が）チャートおよび／またはグラフ４１８の領域を選択した場合、表示されたメトリックについてのより詳細な情報を表示することができる。例えば、線グラフの特定のポイント付近を選択することで、そのポイントにおける１つまたは複数の値を示すグラフィック４７４の表示をトリガすることができる（例えば、図３７Ｂおよび図３８を参照）。いくつかの例示的な実施形態では、チャートおよび／またはグラフ４１８は、２つ以上のメトリックを示す情報を含むことができる。例えば、チャートおよび／またはグラフ４１８は、同じチャートおよび／またはグラフ上に、パワーおよび心拍数を含むことができる（例えば、図３７Ａおよび図３７Ｂを参照）。
【０１３４】
いくつかの例示的な実施形態では、チャートおよび／またはグラフ４１８は、運動活動の過去のセッションについてのメトリック情報を含むことができ、そのようなメトリック情報は、グループモニタリングデバイス４００内に記憶することができ、または例えば基地局３００によって、グループモニタリングデバイス４００に送信することができる。いくつかの例示的な実施形態では、チャートおよび／またはグラフ４１８は、１つまたは複数のメトリックについて２つ以上の期間を示す情報を含むことができる。例えば、チャートおよび／またはグラフ４１８は、同じチャートおよび／またはグラフ上に、運動活動の１つまたは複数の以前のセッションについての心拍数情報とは分離して、またはそれらに重ねて、運動活動の現在またはごく最近のセッションについての心拍数情報を含むことができる。
【０１３５】
いくつかの例示的な実施形態では、トレーナ２０は、例えば、図１６および図４１に示されるように、例えば、個人ビューダッシュボードのメモフィールド４２２を選択することによって、特定の個人１０、個人１０のグループ、またはチームについてのメモを入力することができる。いくつかの例示的な実施形態では、メモフィールド４２２は、メモの存在を示すこと、メモを表示すること、および／または新しいメモを作成するためのオプションもしくは入力を提供することができる。いくつかの例示的な実施形態では、メモフィールド４２２を選択することで、または別の方法でメモ追加機能にアクセスすることで、例えば、図４４に示されるように、トレーナ２０がメモを入力できるメモ作成ウィンドウ４３９をディスプレイ４０２に表示させることができる。
【０１３６】
メモフィールド４２２を選択することで、トレーナ２０がテキストを入力できるフリーテキストメモ入力フィールドを出現させることができる。いくつかの実施形態では、メモフィールド４２２を選択することで、グループモニタリングデバイス４００のマイクロフォンを起動し、マイクロフォンにトレーナ２０の音声入力を記録させ、トレーナ２０が音声メモを記録することを可能にする。トレーナ２０は、例えば、個人１０の心拍数を念入りにモニタリングすることについての備忘録、個人１０が脱水状態を呈することについての備忘録、ファインプレーについて個人１０を褒めようという決定、またはチームに特定のプレーを練習させようという決定など、所望の情報をメモフィールド４２２に入力することができる。いくつかの例示的な実施形態では、メモは、例えば、メモが関係する時間、またはメモが作成もしくは変更された時間を示す、時間情報を含み、時間情報は、記録データとメモとを後で相互に関連付けるのに役立てることができる。そのような時間情報は、人手によって入力すること、または自動的に決定することができる。
【０１３７】
いくつかの例示的な実施形態では、トレーナ２０は、セッションタイムライン４２４に含ませるためのマーカ４４０を選択することができる。そのようなマーカ４４０は、（例えば、本明細書でさらに説明されるような、計画モジュールを使用して）運動活動の前に、運動活動の最中に、または運動活動の後に選択することができる。セッションタイムライン４２４は、運動活動のセッションにおいて、または運動活動のセッションの一部もしくはインターバルにおいて、経過した時間または残りの時間を追跡することができ、例えば、図１３、図１６、図１９、図２０、および図２７〜図４４に示されるように、例えば、数値（例えば、数値４５０）によって、または全セッション時間を表すライン上の移動点によって表すことができる。マーカ４４０は、トレーニングセッション内のイベントを識別するために使用することができる。トレーナ２０は、例えば、マーカ追加ボタン４２６を選択することによって（例えば、図１３、図１６、図２０、および図４２Ａを参照）、または例えば、セッションタイムライン４２４上のポイントを選択することによって、マーカ４４０を選択することができる。
【０１３８】
いくつかの例示的な実施形態では、マーカ追加ボタン４２６を選択することで、例えば、図４２Ｅおよび図４３に示されるように、ディスプレイ４０２にマーカ追加ウィンドウ４４２を表示させ、マーカを規定するパラメータの入力を可能にする。マーカ追加ウィンドウ４４２は、トレーナ２０がマーカ４４０に関連するメモを入力できる、メモ入力エリア４４４を含むことができる。マーカ４４０は、チーム全体に、個人１０のサブグループに、または特定の個人１０に関連付けることができる。マーカ４４０を選択する場合、トレーナ２０は、マーカタイプを指定することができ、マーカタイプは、例えば、活動が開始する時点を指定する「活動開始」マーカ、活動が停止する時点を指定する「活動停止」マーカ、または特定のイベントが発生する時点を指定する「フラグマーカ」とすることができる。活動ベースのマーカの場合、マーカ属性は、例えば、活動のタイプ（例えば、カーディオ、ドリル、ストレングス、リカバリ、その他）、および活動名を含むことができる。フラグベースのマーカの場合、マーカ属性は、フラグのタイプ（例えば、怪我、休憩、フィールド外、範囲外）を含むことができる。
【０１３９】
いくつかの例示的な実施形態では、マーカ４４０は、例えば、マーカ４４０が関係する時間、またはマーカ４４０が作成および／もしくは変更された時間を示す、時間情報を含み、時間情報は、記録データとマーカとを後で相互に関連付けるのに役立てることができる。そのような時間情報は、人手によって入力すること、または自動的に決定することができる。いくつかの例示的な実施形態では、トレーナ２０は、マーカに関連する、またはセッションタイムライン４２４上の特定のポイントに関連するメモを入力することができる。いくつかの例示的な実施形態では、例えば、図２７および図３１に示されるように、セッションタイムライン４２４上のポイントに配置されたメモアイコン４２５が、そのようなメモを表すことができる。マーカ４４０の属性は、トレーナがリアルタイムに指定することができ、または事前に規定することができる。マーカ４４０は、それらが作成された時刻においてセッションタイムライン４２４と関連付けることができ、またはセッションタイムライン４２４上の他の任意の時刻と関連付けることができる。マーカは、コンテキスト情報を特定の時刻および個人と関連付けることによって、運動活動中および運動活動後に個人１０のパフォーマンスを解析する際に、トレーナ２０にとって有益であり得る。いくつかの例示的な実施形態では、セッションの一部が活動マーカを用いてマークされた場合、個人１０の同じタイプの活動についての過去のデータを取り出し、個人１０の（現在生成中のものを含む）より最近のデータと重ね合わせることができ、それによって、個人１０のデータの比較が容易になる。本明細書で説明するような、マーカ４４０およびそれらの使用は、特定の個人１０、あるいは個人１０のグループ（例えば、個人１０が所属する１つもしくは複数のチームもしくはリーグ、または個人１０が所属する１つもしくは複数のチームもしくはリーグの１つもしくは複数のサブグループ）に適用することができる。
【０１４０】
いくつかの例示的な実施形態では、解析マーカ４４０をユーザ（例えば、トレーナ２０）が規定し、操作することができる。解析マーカ４４０は、メトリック情報の一部を区間パラメータの関数として確定するための境界として使用することができる。その場合、グループモニタリングデバイス４００は、解析マーカ４４０によって確定されたメトリック情報の一部だけに対応するメトリック情報（例えば、心拍数などのパフォーマンスメトリック情報）を表示することができる。解析マーカ４４０は、特定の個人１０に対して、または個人１０のグループに対して規定することができる。区間パラメータは、指定された第１のポイントと第２のポイントとを有することができる任意のパラメータとすることができ、それらのポイントは、例えば、第１の解析マーカ４４０と第２の解析マーカ４４０とによって指定することができ、それによって、パフォーマンスを測定するのに適した、マーカ間の区間が規定される。例えば、区間パラメータは、時間または距離とすることができる。
【０１４１】
いくつかの例示的な実施形態では、解析マーカ４４０は、個人１０が参加する運動活動の部分を確定する。運動活動の部分は、例えば、ウォームアップ、ドリル、ライブプレー、クールダウン、ラインドリル、ダッシュ、反復ダッシュ、コンディショニングドリル、ストレングストレーニングドリル、戦術ドリル、または特定のスポーツのスキルズドリルとすることができる。例えば、コンディショニングドリルが、運動活動が始まって１０分後に開始し、運動活動が始まって１５分後に終了した場合、第１の解析マーカ４４０は、運動活動が始まって１０分の時刻に指定することができ、第２の解析マーカ４４０は、運動活動が始まって１５分の時刻に指定することができ、それによって、その間にコンディショニングドリルに対応する５分間のインターバルを規定する。
【０１４２】
いくつかの例示的な実施形態では、解析マーカ４４０は、運動活動のセッション後に入力手段４０４を操作する（例えば、過去において区間を確定する）ことによって、過去のメトリック情報に基づいて規定することができる。いくつかの例示的な実施形態では、解析マーカ４４０は、運動活動のセッション中に入力手段４０４を操作する（例えば、運動活動中にリアルタイムに開始点を、次にリアルタイムに終了点を確定する）ことによって、現在のメトリック情報に基づいて規定することができる。いくつかの例示的な実施形態では、解析マーカ４４０は、運動活動のセッション前に入力手段４０４を操作する（例えば、計画された運動活動のセッション中の予測開始時点および終了時点を確定する）ことによって、予測される将来のメトリック情報または予測される活動に基づいて規定することができる。
【０１４３】
予測される将来のメトリック情報に基づいて定められる場合、グループモニタリングデバイス４００は、特定の運動活動のインターバルをスケジュールすることによって、計画された運動活動のセッションを調整するために使用することができる。例えば、解析マーカ４４０は、運動活動の最初の５分間にコンディショニングドリルが、次の５分間にストレングストレーニングドリルが、次の５分間にスキルズドリルが行われるように定めることができる。グループモニタリングデバイス４００は、インターバルがいつ開始して、いつ終了するようにスケジュールされているか、またインターバルの間の移行がいつ起こるようにスケジュールされているかを、トレーナ２０に示すことができ、トレーナ２０は、この情報を個人１０に伝えることができる。いくつかの例示的な実施形態では、基地局３００は、インターバルの間の移行、または特定のインターバルの開始もしくは終了を示す信号を、個人モニタ２００に送信することができ、個人モニタ２００は、例えば、（例えば、スピーカを介して）可聴音を発すること、振動すること、または（例えば、ＬＥＤもしくはＬＣＤディスプレイを介して）可視的表示を提供することによって、この情報を個人１０に伝えることができる。このようにして、個人１０は、定められたインターバルに対応する運動活動の部分の開始または終了に関するアラートを受けることができる。
【０１４４】
いくつかの例示的な実施形態では、運動活動のセッションの計画を容易にするため、ディスプレイ４０２は、計画モジュールを表示することができ、計画モジュールは、例えば、図４５〜図５１に示されるように、運動活動のセッションを計画するために使用可能なユーティリティを含むことができる。ディスプレイ４０２は、セッション持続時間４８２を含むことができ、セッション持続時間４８２は、運動活動のセッションの持続時間を定めるために、ユーザが操作することができる。ディスプレイ４０２は、セッションタイムライン４２４を表示することができ、セッションタイムライン４２４は、計画された運動活動のセッションについてのタイムラインを示すことができる。トレーナ２０は、選択された時間にスケジュールされる運動活動のインターバルを定めるために、セッションタイムライン４２４のポイントおよび部分を選択することができる。運動活動のそのようなインターバルは、個人１０が所属するチーム全体に対して、個人１０の他のグループに対して、または１人の個人１０に対してスケジュールすることができる。例示的な一実施形態では、例えば、図４５に示されるように、運動活動のインターバルは、個人１０のグループに対してスケジュールされ、これらのグループは、それら独自のタイムライン４７８を用いて表示される。いくつかの例示的な実施形態では、セッションタイムライン４２４上のポイントを選択したとき、またはそのポイントに対応する時刻になったときに、例えば、図４６に示されるように、ラインまたは他のインジケータ４９４が、タイムライン４７８上の対応するポイントに向かって延びるように、タイムライン４７８は、セッションタイムライン４２４と揃えて並べられる。いくつかの例示的な実施形態では、計画モジュールは、例えば、図５０および図５１に示されるように、運動活動の複数のセッションをスケジュールするために使用可能なユーティリティを含むことができる。
【０１４５】
計画された運動活動のセッションおよび／またはそのインターバルに関連付けて、例えば、マーカ、トレーニング目標およびアラート、ならびに強度レベルを含む、様々なパラメータを規定することができる。いくつかの例示的な実施形態では、そのようなパラメータは、例えば、図４５〜図４７に示されるように、オプションおよび／またはメニュー４８０を使用する選択によって規定することができ、その選択が、例えば、図４９に示されるように、トレーニング目標およびアラートウィンドウ４８６の表示をトリガすることができる。トレーニング目標およびアラートウィンドウ４８６は、メトリック（例えば、心拍数、パワー、スピード）の選択、およびメトリックの最大値のパーセンテージに対するトレーニングまたはアラートゾーンの規定を可能にすることができる。トレーニング目標およびアラートウィンドウ４８６は、メトリックの確定値によって境界を定められたトレーニングまたはアラートゾーンの規定も可能にすることができる。いくつかの例示的な実施形態では、計画された運動活動のセッションに関連付けて規定されたマーカ４４０は、例えば、図４２Ｅに示されるように、運動活動のセッション中に、セッションタイムライン４２４上に表示することができる。ディスプレイ４０２は、運動活動のセッション中に、トレーナ２０がそのようなマーカ４４０を変更、追加、または削除できるように構成することができる。
【０１４６】
いくつかの例示的な実施形態では、そのようなパラメータ（例えば、マーカ、トレーニング目標、アラート、強度レベル）は、例えば、図４７に示されるように、タイムライン４７８上のポイントを選択することによって規定することができる。いくつかの例示的な実施形態では、タイムライン４７８上のポイントのそのような選択は、選択されたポイントに対応する時点または区間に関連付けられた、マーカ、トレーニング目標、アラート、および／または強度レベルを入力するための、オプションおよび／またはメニュー４８１の表示をトリガすることができる。いくつかの例示的な実施形態では、タイムライン４７８上のポイントのそのような選択は、選択されたポイントに対応する時点または区間に関連付けられた、アラートまたはマーカを入力するための、ウィンドウをトリガすることができる。
【０１４７】
いくつかの例示的な実施形態では、例えば、図４８に示すように、ディスプレイ４０２は、活動編集ウィンドウ４８４を表示し、活動編集ウィンドウ４８４は、運動活動のセッションのインターバルに関連付けられた活動の様々な側面の規定を容易にするオプションおよび入力手段を含む。様々な活動（例えば、ドリル、ゲーム、テスト、トレーニング構成要素）は、データベース（例えば、基地局データベース３１６、またはグループモニタリングデバイス４００に含まれるメモリ）に記憶することができる。活動編集ウィンドウ４８４は、ユーザが、トレーニング構成要素（例えば、ウォームアップ、ドリル、試合）を選択すること、強度レベル（例えば、低、中、高）を選択すること、および参加するプレーヤの数を選択することによって、活動を検索することを可能にすることができる。活動編集ウィンドウ４８４は、入力された検索基準に一致する活動を示す結果を提供することができる。活動編集ウィンドウ４８４は、結果として得られた活動を個人１０または個人１０のグループに割り当てるための、および割り当てられた活動を管理するコーチまたはトレーナ２０を選択するための選択肢を提供することができる。活動編集ウィンドウは、そのような活動を時刻および持続時間に関連付けることも可能にすることができ、それによって、運動活動のセッションのインターバルをスケジュールする。そのような活動は、マーカ４４０によって指定することができ、マーカ４４０は、例えば、図４２Ｅに示すように、運動活動のセッション中に、セッションタイムライン４２４上に表示することができる。そのような活動は、（例えば、グループモニタリングデバイス４００の計画モジュールを使用して）運動活動のセッションの前に、運動活動のセッション中に、または運動活動のセッションの後に指定することができる。
【０１４８】
いくつかの例示的な実施形態では、例えば、図５０に示すように、ディスプレイ４０２は、設定期間（例えば、１週間、１ケ月、５日、１日）に対してスケジュールされた、運動活動のセッションおよびそのインターバルを表す、カレンダ４８８を表示することができる。表示される期間は、ユーザが定めることができる。ディスプレイ４０２は、過去、現在、および／または未来に対してスケジュールされた、運動活動のセッションおよびそのインターバルを表示することができる。いくつかの例示的な実施形態では、表示される運動活動のセッションおよびそのインターバルのタイプは、ユーザが入力または選択した基準に従ってフィルタリングすることができる。いくつかの実施形態では、運動活動のセッションは、基地局３００と通信するデバイス（例えば、グループモニタリングデバイス４００、解析デバイス６００、リモートコンピュータ）を介して、スケジュールすることができる。いくつかの実施形態では、運動活動のセッションは、例えば、カレンダ４８８などの、トレーニングカレンダにおいて、スケジュールすることができる。いくつかの実施形態では、運動イベント（例えば、ゲーム、演技、試合）は、トレーニングカレンダにおいて、スケジュールすることができる。いくつかの実施形態では、トレーニングプログラム（例えば、複数のトレーニングセッション）は、トレーニングカレンダにおいて、スケジュールすることができる。いくつかの実施形態では、グループモニタリングシステム１００は、すでにスケジュールされた前後のイベントに基づいて、トレーニングプログラムのスケジューリングを（例えば、グループモニタリングデバイス４００を介して）提案することができる（例えば、グループモニタリングシステムは、トレーニングカレンダにスケジュールされた試合の前日には簡単なトレーニング活動を提案し、またはトレーニングカレンダにスケジュールされたレースの翌日にはトレーニングを行わないことを提案することができる）。
【０１４９】
いくつかの例示的な実施形態では、例えば、図５１に示すように、カレンダ４８８に表示された特定の期間（例えば、特定の日）を選択することで、選択された期間に対してスケジュールされたイベントについての詳細な表示の表示をトリガすることができる。例えば、詳細スケジュールウィンドウ４９０は、選択された期間に対してスケジュールされた運動活動の全セッションのほか、運動活動のセッションのインターバルおよびそれらの特性（例えば、インターバルのタイプ、特定のグループまたは個人１０へのインターバルの適用可能性、インターバルの開始時刻および終了時刻、インターバル中に実行される活動の説明、インターバルのロケーション）も表示することができる。
【０１５０】
いくつかの例示的な実施形態では、例えば、図５２に示すように、ディスプレイ４０２は、セッションリスト４９２を表示し、セッションリスト４９２は、スケジュールされた運動活動のセッションのリストのほか、それに関連する運動活動のインターバルも示すことができる。セッションリスト４９２は、過ぎ去った時間に対してスケジュールされた、現在（例えば、現時刻または本日）に対してスケジュールされた、および将来に対してスケジュールされた、運動活動のセッションを表示することができる。
【０１５１】
いくつかの例示的な実施形態では、ディスプレイ４０２は、セッション制御モニタ４５２を表示することができ、セッション制御モニタ４５２は、例えば、図４２Ａおよび図４２Ｂに示すように、運動活動の過去、現在進行中、または将来のセッションに関する情報を提供することができる。運動活動のセッション中に使用される場合、セッション制御モニタ４５２は、個人１０についての情報を提供するのに加えて、例えば、図４２Ａおよび図４２Ｆに示すように、セッション情報特徴４５４を提供することによって、トレーナ２０がセッションを進めるのを助けることができる。セッション情報特徴４５４は、例えば、運動活動の現在のインターバルについての情報を提供することができる。いくつかの例示的な実施形態では、セッション情報特徴４５４は、例えば、特定のプレーまたは他の戦略的行為中における個人１０の予定動作を示すダイアグラム４５６を含むことができる。いくつかの例示的な実施形態では、セッション情報特徴４５４は、例えば、特定のプレーまたは他の戦略的行為についての説明４５８を含むことができる。いくつかの例示的な実施形態では、セッション情報特徴４５４は、例えば、運動活動の過去および／または今度のインターバルについてのスケジュール４６０を含むことができる。
【０１５２】
いくつかの例示的な実施形態では、スケジュール４６０内の項目を選択することで、例えば、図４２Ｆに示すように、その項目に関連するセッション情報特徴４５４の表示をトリガすることができる。セッションタイムライン４２４は、スケジュール４６０内に表示された情報を含むことができ、セッションタイムライン上のポイントを選択することで、セッション内のそのポイントに関連する情報（例えば、選択された時刻、選択された時刻に対してスケジュールされた運動活動のインターバル）の表示をトリガすることができる。そのような情報は、例えば、例えば、図４２Ｃおよび図４２Ｄに示すように、例えば、タイムライン情報ウィンドウ４７６に表示することができる。この情報は、トレーナ２０が運動活動の現在進行中のセッションを進めるのを容易にするのに役立てることができ、運動活動のセッションに先立って規定することができる。いくつかの例示的な実施形態では、セッション情報特徴４５４内の情報は、運動活動の過去のセッションの後で規定し、それに適用することができ、例えば、トレーナ２０が過去のセッションを解析するのを助けるために使用することができる。
【０１５３】
いくつかの例示的な実施形態では、例えば、図５４に示すように、ディスプレイ４０２は、選択された場合にステータスメニュー４９８の表示をトリガする、ステータスアイコン４９６を含む。ステータスメニュー４９８は、グループモニタリングシステム１００の様々なコンポーネントのステータスについての情報を表示することができる。ステータスメニュー４９８は、例えば、グループモニタリングデバイス４００または基地局３００の残りのバッテリ寿命、グループモニタリングデバイス４００と基地局３００との間の接続性および／または信号強度、グループモニタリングデバイス４００とインターネットまたは他のネットワークとの間の接続性および／または信号強度、ならびに基地局３００に接続された個人の数についての情報を含むことができる。
【０１５４】
いくつかの実施形態では、個人モニタ２００および／またはオブジェクトモニタ２５０は各々、個人モニタ２００および／またはオブジェクトモニタ２５０のロケーション（したがって、個人モニタ２００を運ぶ個人１０および／またはオブジェクトモニタ２５０を運ぶスポーツオブジェクト４０のロケーション）を表すデータを決定するための位置モジュール２１６を含む。いくつかの実施形態では、グループモニタリングデバイス４００のディスプレイ４０２は、個人モニタ２００および／またはオブジェクトモニタ２５０のロケーションを表すデータに基づいて、個人１０および／またはスポーツオブジェクト４０のロケーションを示す。
【０１５５】
いくつかの実施形態では、個人１０および／またはスポーツオブジェクト４０のロケーションのそのような表示は、例えば、マップ（例えば、個人１０および／またはスポーツオブジェクト４０が所在するプレーイングフィールドのマップであって、例えば、境界線およびゴールなどのプレーイングフィールドの特徴に対する個人１０および／またはスポーツオブジェクト４０のロケーションを示すマップ）などのグラフィカル表現の形式を取ることができる。例えば、図１７は、プレーイングフィールド３０における個人１０およびスポーツオブジェクト４０のロケーションを示すロケーションコンポーネント４１２を含み、ロケーションコンポーネント４１２では、個人１０は、識別番号によって表される。プレーイングフィールドの特徴に対する個人１０および／またはスポーツオブジェクト４０の表示は、ディスプレイ４０２の視聴者（例えば、レフリーまたは運動活動を監視する役割の公式員）が、（例えば、個人１０が境界線の外に出たかどうか、またはボールがゴールゾーンに入ったかどうかを決定するために）活動をモニタリングするのに役立てることができる。
【０１５６】
いくつかの実施形態では、グループモニタリングデバイス４００のディスプレイ４０２は、個人１０および／またはスポーツオブジェクト４０の現在のロケーションを示す。いくつかの実施形態では、グループモニタリングデバイス４００のディスプレイ４０２は、個人１０および／またはスポーツオブジェクト４０の過去のロケーションを示す（例えば、ロケーションの表示を再生する）。いくつかの実施形態では、グループモニタリングデバイス４００のディスプレイ４０２は、運動活動中に過去のロケーションを示す。いくつかの実施形態では、グループモニタリングデバイス４００のディスプレイ４０２は、運動活動後に過去のロケーションを示す。
【０１５７】
いくつかの例示的な実施形態では、グループモニタリングデバイス４００のディスプレイ４０２は、個人１０および／またはスポーツオブジェクト４０のロケーションを、個人１０および／またはスポーツオブジェクト４０の向きと同時に示す。
【０１５８】
いくつかの例示的な実施形態では、グループモニタリングデバイス４００のディスプレイ４０２は、メトリックに基づいた推奨案を表示する。例えば、ディスプレイ４０２は、１人または複数の個人１０のロケーション情報に基づいた推奨案を表示することができる（例えば、１つのエリアに個人１０が集中していることを示すロケーション情報に基づいて、ディスプレイ４０２は、プレーイングフィールド全体に個人１０を分散させることを推奨する案を表示することができる）。そのような推奨案は、（例えば、特定の状況、ゲームのタイプ、特定の対戦チームまたは対戦プレーヤに対抗するプレー、特定の状況に）望ましいように、適合させることができる。
【０１５９】
いくつかの例示的な実施形態では、グループモニタリングデバイス４００のディスプレイ４０２は、１つまたは複数の個人１０および／またはスポーツオブジェクト４０のロケーション情報に基づいて、１つまたは複数のアラートを表示することができる。アラートは、１つまたは複数の個人１０および／またはスポーツオブジェクト４０のロケーションがアラート条件を満たしたとの判断に基づいて、トリガすることができる。例えば、アラートは、個人のロケーションと目標位置との間の距離が閾値距離よりも大きくなったことに応答して、トリガすることができ、ここで、目標位置は、例えば、プレーイングフィールドもしくはその特徴、別の個人１０、またはスポーツオブジェクト４０に関して定めることができる。また、例えば、アラートは、ゴールから閾値距離以内に個人１０が誰もいない（例えば、ゴールが無防備である）との判断に基づいて、トリガすることができる。また、例えば、アラートは、個人１０が境界線を越えた（例えば、境界の外に踏み出した）との判断に基づいて、トリガすることができる。また、例えば、アラートは、スポーツオブジェクト４０がゴールエリア内にある（例えば、ゴールが決まった）との判断に基づいて、トリガすることができる。また、例えば、アラートは、個人１０のロケーションの動きの特徴に基づいて、トリガすることができる（例えば、個人１０が速い動きと遅い動きを交互に素早く繰り返している場合、個人１０が足を引きずっており、怪我をしているかもしれないことを示すアラートをトリガすることができ、個人１０が前かがみまたは仰向けであることを示す向きデータと組み合わされた最低限の動きは、個人１０が倒れており、怪我をしているかもしれないことを示すアラートをトリガすることができる）。ディスプレイ４０２は、そのようなアラートの表現を、本明細書で説明するように表示することができる。いくつかの実施形態では、アクティブなアラートが適用された個人１０の表現は、アラートが適用されていないときの色とは異なる、アラートが適用されたときの色で表示することができる。いくつかの実施形態では、そのようなアラートは、それ自体が、アラートに基づいた特定のコーチングアドバイスを含むことができる。例えば、個人１０と目標位置との間の距離が閾値距離よりも大きくなったことを示すアラートには、個人１０が目標位置により近づくことを推奨する案を付随させることができる。また、例えば、特定のエリアから閾値距離以内に個人１０が誰もいない（すなわち、フィールドカバレージに「隙間」が生じている）ことを示すアラートには、（例えば、隙間をなくす、または隙間のサイズを小さくするために）１人または複数の個人１０が特定のエリアにより近づくことを推奨する案を付随させることができる。
【０１６０】
また、例えば、アラートは、複数の個人１０および／またはスポーツオブジェクト４０のロケーションに基づいて、トリガすることができる。例えば、アラートは、第１の個人１０がスポーツオブジェクト４０から閾値距離以内におり（例えば、第１の個人がボールを扱っている可能性があり）、第２の個人１０が対戦相手のどの個人１０からも閾値距離より遠く離れている場合に、トリガすることができる。アラートは、第２の個人１０が防御されていないことを知らせる通知を（例えば、トレーナ２０、第１の個人１０に）提供し、この通知は、第１の個人１０が第２の個人１０にボールをパスすべきかどうかの検討を促し、（例えば、トレーナ２０、第１の個人１０に）役立つことがある。いくつかの実施形態では、そのようなアラートは、それ自体が、戦略的プレーの推奨案、または現在の戦略を変更することを推奨する案（例えば、計算された「最善のプレー」、またはロケーション情報を含む、知られたメトリックを考慮した、１人または複数の個人１０のための新しい目標ロケーション）を含むことができる。例えば、アラートは、ボールを第１の個人１０から第２の個人１０にパスすることを推奨する案を提供することができる。そのようなアラートは、運動活動中に解析および迅速な意思決定を容易にするために、任意の所望のゲーム状況に対して規定し、適合させることができる。
【０１６１】
いくつかの実施形態では、グループモニタリングデバイス４００のディスプレイ４０２は、１つまたは複数の個人１０またはスポーツオブジェクト４０の経路を示す。経路は、プレーイングフィールドのマップにおける１つまたは複数の個人１０またはスポーツオブジェクト４０の過去のロケーションを辿った曲線とすることができる。表示される経路は、静的とする（すなわち、開始時および終了時が定められた期間の間の曲線を表示する）こと、または動的とする（例えば、開始時および終了時の一方もしくは両方が例えば現在の時間に依存する期間の間の曲線を表示する）ことができる。１つまたは複数の個人１０またはスポーツオブジェクト４０を示す際、ディスプレイ４０２は、１つまたは複数の個人１０またはスポーツオブジェクト４０の位置を時間の関数として示すことができる。
【０１６２】
いくつかの例示的な実施形態では、例えば、図７３〜図７７に示すように、ディスプレイ４０２は、ヒートマップ４１５を含み、ヒートマップ４１５は、１人または複数の個人１０がプレーイングフィールドのエリア内で費やした時間の視覚的表示を提供することができる。そのような視覚的表示は、個人１０があまり時間を費やさなかったエリアに対応する、プレーイングフィールドの表現の色付けされたエリアとは異なる色の、個人１０がより多くの時間を費やしたエリアに対応する、プレーイングフィールドの表現の色付けされたエリアを含むことができる。いくつかの実施形態では（例えば、図７３を参照）、ヒートマップ４１５は、１人の個人１０を表すことができる。いくつかの実施形態では（例えば、図７４〜図７７を参照）、ヒートマップ４１５は、複数の個人１０を表すことができ、異なる個人１０が費やした時間の視覚的表示は、異なる色によって表され、または１つのチームに所属する個人１０は、同じ色によって表されるが、相手チームに所属する個人１０は、異なる色によって表される。いくつかの実施形態では、ヒートマップ４１５は、個人１０に関して説明したのと同様に、１つまたは複数のスポーツオブジェクト４０を表すことができる。いくつかの実施形態では、個人１０が発光可能領域を有する衣類を着用している場合、発光可能領域は、ディスプレイ４０２において（例えば、ヒートマップ４１５において）個人１０を表すのに使用される色に対応する色で発光することができる。
【０１６３】
代わりに、またはそれに加えて、ヒートマップ４１５は、例えば、プレーヤ１０があるタイプの活動（例えば、ランニング、ジャンプ）を実行したプレーイングフィールドのエリア、プレーヤ１０が閾値を上回るもしくは下回るメトリック値を有したプレーイングフィールドのエリア、またはプレーヤ１０がスポーツオブジェクト（例えば、ボール）を持ったもしくは触れたプレーイングフィールドのエリアの視覚的表示を提供することができる。いくつかの実施形態では、ヒートマップ４１５は、例えば、プレーイングフィールドにおける１人または複数のプレーヤ１０の最適なポジショニングの視覚的表示を提供することができる。
【０１６４】
いくつかの実施形態では、グループモニタリングデバイス４００のディスプレイ４０２は、（例えば、別の個人１０もしくはスポーツオブジェクト４０、またはプレーイングフィールドにおけるポイントとすることができる）他の何らかの特徴に対する、個人１０またはスポーツオブジェクト４０のロケーションを示す。そのような表示は、個人１０またはスポーツオブジェクト４０と他の特徴との間の距離測定（すなわち、離隔距離の大きさ）の形式を取ることができ、例えば、離隔距離の履歴（例えば、時間対離隔距離を示すグラフ）として、または設定期間にわたる離隔距離の積分マップ（例えば、ヒストグラム）として表すことができる。
【０１６５】
個人１０および／またはスポーツオブジェクト４０のロケーションの様々な表示は、視聴者（例えば、トレーナ２０、個人１０）が、運動活動のセッション中の行われたプレーを解析するのを助けることができる。例えば、そうした表示は、事前計画プレーの設計およびモニタリング、または改善分野を探すための成功プレーもしくは失敗プレーの解析を容易にすることによって、戦術的トレーニングまたは戦略開発を容易にするのに有益なことがある。また、例えば、そうした表示は、チーム内で同じ役割を受けもつ２人の個人１０（例えば、２人のフルバック）の間の離隔距離の大きさを決定して、２人によるプレーイングフィールドのカバレージを最適化する（例えば、フィールドのエリアが無防備にならないことを保証するために、ゲーム中、２人のフルバックが少なくとも閾値離隔距離を維持することを保証する）のに有益なことがある。また、例えば、そうした表示は、ゲームの結果を含む、ゲームイベントにおける個人１０のポジショニングの効果を解析するのに有益なことがある（例えば、フルバックがペナルティボックスのコーナから外に出た距離および頻度、または２人のフルバックとゴールキーパーとの間の距離を、ゴールを決められたときなど、要所において解析し、最適とは言えないポジショニングを識別し、改善するのを助けること、および将来ゴールを決められないようにするのを助けることができる）。また、例えば、そうした表示は、（例えば、個人１０とスポーツオブジェクト４０との間の離隔距離が、閾値期間にわたって閾値距離を下回ることを識別することによって）、個人１０によるスポーツオブジェクト４０（例えば、ボール）の保有または保有の変化（例えば、パスの成功）を決定するのに有益なことがある。
【０１６６】
本発明の例示的な実施形態は、図１２に示されるようなデータフローを含むことができ、図１２は、リアルタイムモニタリングフロー９５０、セッション後データ整合性フロー９６０、およびセッション後解析フロー９７０を含むデータフローを示している。図１２のボックス９０２において、基地局３００のデータ処理モジュール３０４は、（「プレーヤポッド」とも呼ばれる）各個人モニタ２００に暗号鍵を割り当て、各個人モニタ２００は、センサ２０２に接続する。ボックス９０４において、センサ２０２は、モニタリング対象の個人１０の特性を表す原データ（例えば、生理的特性、パフォーマンス特性、位置特性、および／または向き特性を表すデータ）を決定する。ボックス９０６において、センサ２０２は、有線または無線接続を介して、原データを個人モニタ２００に送信する。ボックス９０８において、個人モニタ２００は、無線接続を介して、データを基地局３００のデータ受信モジュール３０２にリアルタイムに送信する。ボックス９４２において、カメラ（例えば、カメラモニタリングシステム７００、ビデオフィードカメラ８０４）が、画像データを決定する。ボックス９４４において、カメラは、画像データを基地局３００のデータ受信モジュール３０２に送信する。
【０１６７】
ボックス９１０において、基地局３００のデータ受信モジュール３０２は、データをファイルに書き込む。ボックス９１２において、基地局３００のデータ受信モジュール３０２は、ファイルを基地局３００のデータ処理モジュール３０４に送信する。ボックス９１４において、基地局３００のデータ処理モジュール３０４は、データを検証し、暗号解除する。ボックス９１６において、基地局３００のデータ処理モジュール３０４は、暗号解除したデータを基地局データベース３１６に記憶する。ボックス９１８において、基地局３００の論理モジュール３１２は、暗号解除したデータにアクセスし、アルゴリズムを使用してメトリックおよびアラートを決定する。ボックス９２０において、基地局３００の論理モジュール３１２は、メトリックを基地局３００のウェブサーバモジュール３１４に送信する。ボックス９２２において、基地局３００のウェブサーバモジュール３１４は、メトリックをライブモニタリングデバイス４００に送信する。
【０１６８】
ボックス９２４において、基地局３００の論理モジュール３１２は、メトリックおよびアラートを基地局データベース３１６に記憶する。ボックス９２６において、個人モニタ２００は、有線接続を介して基地局３００に接続し、データを基地局３００のデータ受信モジュール３０２にアップロードする。ボックス９２８において、基地局３００のデータ受信モジュール３０２は、データをファイルに書き込む。ボックス９３０において、基地局３００のデータ受信モジュール３０２は、ファイルを基地局３００のデータ処理モジュール３０４に送信する。ボックス９３２において、基地局３００のデータ処理モジュール３０４は、データを検証し、暗号解除する。ボックス９３４において、基地局３００のデータ処理モジュール３０４は、必要であれば、データフィルタリング（例えば、データ重複排除）を実行し、暗号解除したデータを基地局データベース３１６に記憶する。ボックス９３６において、基地局３００の中央同期モジュール３１０は、暗号解除したデータ、メトリック、およびアラート（「セッションデータ」）にアクセスし、それらをウェブサーバシステム５００に送信する。ボックス９３０において、ウェブサーバシステム５００は、セッションデータをウェブサーバシステム５００のウェブサーバデータベース５０２に記憶する。ボックス９４０において、ウェブサーバシステム５００は、セッションデータを解析デバイス６００に送信する。
【０１６９】
例示的な一実施形態では、グループモニタリングデバイス４００のディスプレイ４０２は、システムビューダッシュボードを示す（例えば、図６１〜図６４、および図６７の例示的なディスプレイ４０２を参照）。いくつかの実施形態では、システムビューダッシュボードは、１つまたは複数のシステムコンポーネント（例えば、センサ２０２、個人モニタ２００、オブジェクトモニタ２５０、基地局３００、グループモニタリングデバイス４００、ウェブサーバシステム５００、解析デバイス６００、カメラモニタリングシステム７００）の識別情報およびステータスを同時に表示することができる。いくつかの実施形態では、システムビューダッシュボードは、１つまたは複数のシステムコンポーネントと、運動活動に参加し、モニタ２００、２５０に関連付けられた、１つまたは複数のオブジェクト４０および／または個人１０との識別情報およびステータスを同時に表示することができる。さらに、システムビューダッシュボードは、システムコンポーネント、個人１０、および／またはスポーツオブジェクト４０のステータスを、個人１０および／またはオブジェクト４０のメトリックとともに、同時に表示することができる。
【０１７０】
ディスプレイ４０２によって表示される動作状態は、システムコンポーネントのステータス、ならびに／またはアラート（例えば、個人１０のパフォーマンスアラートおよびシステムコンポーネントのシステムアラート）の表示を含むことができる。ディスプレイ４０２は、関連する識別情報（例えば、個人１０の名前４０６および／または背番号４０８、ならびにモニタ２００、２５０の一意識別子４０９）を表示することができる。システムビューダッシュボードに示される動作状態は、所望するように（例えば、最も応用がきき、またはトレーナ２０に最も有益なステータスとなるように）構成することができる。動作状態の提示は、所望するように構成することができる。例えば、動作状態は、アラート（例えば、アラートがトリガされたかどうかの表示）として、ステータスのグラフィック表現（例えば、棒グラフ、パイチャート）として、またはステータスの数値表現（例えば、絶対値、パーセンテージ値）として表示することができる。
【０１７１】
ディスプレイ４０２によって表示される動作状態は、任意のシステムコンポーネントについてのステータスおよび／またはアラートを含むことができる。いくつかの実施形態では、システムビューダッシュボードは、例えば、基地局３００および／またはモニタ２００、２５０のバッテリの残余バッテリ電力、基地局３００にドッキング中、および／または基地局３００において充電中のモニタ２００、２５０の数、モニタ２００、２５０および／または基地局３００におけるＧＰＳ信号ステータス、モニタ２００、２５０および／または基地局３００の適切な動作、モニタ２００、２５０および／または基地局３００の適切な配置、センサ２０２の適切な配置（例えば、センサ衣類２０４の適切なフィット）についての表示を表示することができる。
【０１７２】
図６１の例示的なディスプレイ４０２では、システムビューダッシュボードは、個人モニタ２００におけるＧＰＳ信号ステータスの表示を提供する。ＧＰＳ信号ステータスは、各個人モニタ２００におけるＧＰＳ信号強度が所定のシステムアラート閾値を上回るか、それとも下回るかを示すシステムアラートとして表示される。また、図６１では、個人１０の心拍数ステータスの表示が提供される。心拍数ステータスは、各個人１０の心拍数が所定の閾値を上回るか、それとも下回るかを示すパフォーマンスアラートとして表示される。また、図６１では、個人１０の不活発ステータスの表示が提供される。不活発ステータスは、各個人１０の不活発が所定の閾値を上回るか、それとも下回るかを示すパフォーマンスアラートとして表示される。また、図６１では、個人モニタ２００の接続ステータス（例えば、通信信号の強度）の表示が提供される。接続ステータスは、各個人モニタ２００における通信信号強度の視覚的表現を示し、提供するグラフィックとして表示される。また、図６１では、個人モニタ２００のバッテリ（例えば、バッテリ２１２）の残余バッテリ電力の表示が提供される。残余バッテリ電力は、バッテリ電力容量のパーセンテージとして数値的に表示される。また、図６１では、基地局３００が各個人モニタ２００から受信するデータの残量の表示が提供される。受信データの量は、各個人モニタ２００が送信した（または送信したと予想される）総データのパーセンテージとして数値的に表示される。
【０１７３】
いくつかの実施形態では、ステータスは、数値およびシステムアラートとして同時に表示することができる。例えば、残余バッテリ電力は、上で説明したように、数値として表示することができ、同時に、個人モニタ２００の残余バッテリ電力が所定の閾値を上回るか、それとも下回るかを示すシステムアラートとして表示することができる。例えば、所定の閾値を下回る個人モニタ２００のバッテリ電力の数値は、所定の閾値を上回るバッテリ電力を有する個人モニタ２００のバッテリ電力の数値とは異なる色で表示することができる。図６１のディスプレイ４０２は、個人モニタ２００のステータスを示しているが、図６１を参照して説明したステータスの表示は、任意のシステムコンポーネント（例えば、センサ２０２、個人モニタ２００、オブジェクトモニタ２５０、基地局３００、グループモニタリングデバイス４００、ウェブサーバシステム５００、解析デバイス６００）に適用することができる。
【０１７４】
図６２の例示的なディスプレイ４０２では、システムビューダッシュボードは、各個人モニタ２００のバッテリ（例えば、バッテリ２１２）が充電中かどうかの表示を提供する。また、図６２では、個人モニタ２００のメモリ（例えば、メモリ２２８）の利用可能な空間の表示が提供される。利用可能な空間は、メモリ容量のパーセンテージとして数値的に表示される。また、図６２では、個人モニタ２００の現在のファームウェアバージョンの表示が提供される。また、図６２では、個人モニタ２００が対象とするファームウェアバージョンの表示が提供される。図６２のディスプレイ４０２は、個人モニタ２００のステータスを示しているが、図６２を参照して説明したステータスの表示は、任意のシステムコンポーネント（例えば、センサ２０２、個人モニタ２００、オブジェクトモニタ２５０、基地局３００、グループモニタリングデバイス４００、ウェブサーバシステム５００、解析デバイス６００、カメラモニタリングシステム７００）に適用することができる。
【０１７５】
図６３の例示的なディスプレイ４０２では、システムビューダッシュボードは、各個人モニタ２００のシリアル番号の表示を提供する。図６３のディスプレイ４０２は、個人モニタ２００のステータスを示しているが、図６３を参照して説明したステータスの表示は、任意のシステムコンポーネント（例えば、センサ２０２、個人モニタ２００、オブジェクトモニタ２５０、基地局３００、グループモニタリングデバイス４００、ウェブサーバシステム５００、解析デバイス６００、カメラモニタリングシステム７００）に適用することができる。
【０１７６】
図６４の例示的なディスプレイ４０２では、システムビューダッシュボードは、各個人モニタ２００の同期ステータスの表示を提供する。図６４のディスプレイ４０２は、個人モニタ２００のステータスを示しているが、図６４を参照して説明したステータスの表示は、任意のシステムコンポーネント（例えば、センサ２０２、個人モニタ２００、オブジェクトモニタ２５０、基地局３００、グループモニタリングデバイス４００、ウェブサーバシステム５００、解析デバイス６００、カメラモニタリングシステム７００）に適用することができる。
【０１７７】
図６７の例示的なディスプレイ４０２では、システムビューダッシュボードは、基地局３００のＧＰＳ信号ステータスの表示、基地局３００のバッテリの残余バッテリ電力の表示、および基地局３００のバッテリの充電中ステータスの表示を提供する。図６５の例示的なディスプレイ４０２では、基地局３００のそのようなステータスは、運動活動のセッションが開始する前に、セッションを開始する選択可能なオプションと同時に示される。あるいは、基地局３００および他のシステムコンポーネントの上記および他のステータスは、他の任意の時間に表示することができる。
【０１７８】
いくつかの実施形態では、システムビューダッシュボードは、いくつの個人モニタ２００（および／またはオブジェクトモニタ２５０）が基地局３００にドッキングしているかの表示を提供することができる。
【０１７９】
いくつかの実施形態では、システムビューダッシュボードは、システムコンポーネント（例えば、個人モニタ２００）が適切に動作しているかどうかの表示を提供することができる。例えば、システムコンポーネント（例えば、個人モニタ２００、基地局３００）は、通常動作の許容範囲外のデータを別のシステムコンポーネントから受信することがある（例えば、個人モニタ２００は、モニタリング対象の個人１０の人間の身体能力を超える身体活動を示すメトリックデータを基地局３００に送信することがある）。いくつかの実施形態では、システムビューダッシュボードは、システムコンポーネントが適切に動作していないことを示すアラートを提供することができる。
【０１８０】
いくつかの実施形態では、個人モニタ２００がセンサ衣類（例えば、センサ衣類２０４）を含む場合、システムビューダッシュボードは、センサ衣類２０４がセンサ衣類２０４を着用している個人１０に適切にフィットしているかどうかの表示を提供することができる。例えば、センサ衣類が、データ収集に適した着用者の身体領域（例えば、胸部領域の周囲）に配置することが意図されたセンサ（例えば、心拍数モニタ電極、呼吸センサ）を含む場合、それらのセンサによる貧弱なデータ収集（例えば、微弱な心拍信号または呼吸信号）は、センサ衣類２０４がセンサ衣類２０４を着用している個人１０にフィットしていないことを示していることがある（例えば、センサ衣類２０４のサイズが個人１０よりも小柄または大柄な人用であるために、センサが最適な領域に配置されていないことがある）。いくつかの実施形態では、システムビューダッシュボードは、センサ衣類２０４がセンサ衣類２０４を着用している個人１０に適切にフィットしていないことを示すアラートを提供することができる。
【０１８１】
いくつかの実施形態では、システムビューダッシュボードは、システムコンポーネント（例えば、個人モニタ２００）が適切に（例えば、適切な向きに、および／または適切な向きを維持して）配置されているかどうかの表示を提供する。例えば、システムコンポーネント（例えば、個人モニタ２００、基地局３００）は、個人モニタ２００が適切な向きを向いている場合に期待される特性に対応しない特性を有することがある、個人モニタ２００のセンサ２０２によって感知されたデータを受信することがある（例えば、重力に起因する加速度が、個人モニタ２００によって、相対的に「上」向きに感知されることがあれば、それは、個人モニタ２００の向きが上下逆さまであることを示していることがあり、または加速度信号が向きを不規則に変えることがあれば、それは、個人モニタ２００が個人１０に対して一定の向きを維持していないことを示していることがあり、ポケットなどの拘束要素内における、個人モニタ２００の望ましくない動きを示していることがある）。いくつかの実施形態では、システムビューダッシュボードは、個人モニタ２００が適切に配置されていないことを示すアラートを提供することができる。
【０１８２】
いくつかの実施形態では、ステータスおよび／またはシステムアラートは、（例えば、残余バッテリ電力が容量の閾値パーセンテージを下回った、またはＧＰＳ信号強度が閾値レベルを下回ったなど、例えば、ステータスがシステムアラート閾値を超えたときに）システムアラートがトリガされたことに応答して（例えば、グループモニタリングデバイス４００を介して）表示される。いくつかの例示的な実施形態では、新しいシステムアラート、および／またはそれに関連するステータスは、例えば、点滅アイコンまたは一時的なポップアップボックスによって示すことができる。
【０１８３】
いくつかの例示的な実施形態では、関連する（例えば、コンポーネント自体に関連する、またはコンポーネントが関連する個人１０もしくはスポーツオブジェクト４０に関連する）アクティブなアラート（例えば、パフォーマンスアラートまたはシステムアラート）を有するシステムコンポーネントは、例えば、（例えば、スピーカを介して）可聴音を発すること、振動すること、または（例えば、発光ＬＥＤもしくはＬＣＤディスプレイを介して）可視的表示を提供することによって、アラート表示を提供することができる。いくつかの例示的な実施形態では、システムコンポーネントは、（例えば、衣類、腕時計、またはバンドなど）システムコンポーネントに接続されたデバイスに信号を送信して、接続されたデバイスにそのようなアラート表示を提供させることができる。デバイスは、アラート表示を含むことができ、（例えば、衣類の袖または腕時計の文字盤に組み込まれた）例えば、ディスプレイ、発光可能領域、スピーカ、または振動モジュールを介して、アラート表示を提供することができる。
【０１８４】
例えば、グループモニタリングシステム１００は、発光可能領域を含む衣類（例えば、シャツとすることができる、例えば、センサ衣類２０４）を含むことができる。発光可能領域は、アクティブなアラートに応答して、（例えば、アクティブなアラートに対応する色もしくはグラフィックの形式で、またはアクティブなアラートの存在を単に示して）発光することができる。例えば、個人１０が、活動に参加している他の個人１０と比べて、運動活動中に一番最近のゴールもしくは最も数多くのゴールを決めたとの決定に応答して、または個人１０が、ボール（例えば、スポーツオブジェクト４０）に一番最近に触れた個人１０であるとの決定に応答して、アラートをトリガすることができ、個人１０のシャツを発光させることができる。代わりに、またはそれに加えて、個人１０が着用する衣類の発光可能領域は、例えば、あるタイプの活動（例えば、ランニング、ジャンプ）の個人１０によるパフォーマンス、閾値を上回っている、もしくは下回っている個人１０のメトリック値、個人１０によるスポーツオブジェクト（例えば、ボール）の保有もしくは接触、またはプレーイングフィールドにおける個人１０の最適もしくは許容可能な配置の視覚的表示を提供することができる（例えば、発光することができる）。
【０１８５】
グループモニタリングシステム１００は、個人モニタ２００、オブジェクトモニタ２５０、基地局３００、グループモニタリングデバイス４００、または解析デバイス６００などのコンポーネントを、任意の適切な数だけ含むことができる。例示的な一実施形態では、グループモニタリングシステムは、３０の個人モニタ２００、１つのオブジェクトモニタ２５０、１つの基地局３００、および２つのグループモニタリングデバイス４００を含む。
【０１８６】
いくつかの実施形態では、（対戦チームを含む）複数のチームが、同じ基地局３００を使用することができ、各チームは、個人モニタ２００によってモニタリングされる１人または複数の個人１０を有する。複数のチームが同じ基地局を使用する、いくつかの実施形態では、基地局３００は、第１のチームに関連するデータへのアクセスを、第１のチームに関連付けられたアクセスデバイス（例えば、グループモニタリングデバイス４００、解析デバイス６００）だけに制限するように構成することができる（それによって、第１のチームと対戦中であることがある第２のチームには、アクセスを許さない）。いくつかの実施形態では、基地局３００は、２つ以上のチームから得たデータへのアクセスを、他の関係者（すなわち、チーム以外の関係者）に提供するように構成することができる。例えば、基地局３００は、１つまたは複数のチームに関連するデータへのアクセスを、（例えば、統計を比較もしくは他の方法で解析すること、または統計を視聴者もしくはファンに提示することを可能にするために）テレビ放送局またはウェブサービスに提供するように、あるいは（例えば、ゲーム関連裁定の実施を含む、スポーツイベントの実施を容易にするために）レフリーまたは他のスポーツイベントスタッフに提供するように構成することができる。
【０１８７】
運動活動のセッションの終了後、個人１０は、個人モニタ２００を基地局３００のドッキングポート３１８の１つにドッキングすることができる。ドッキングポート３１８とドッキングされているとき、個人モニタ２００のバッテリ２１２を充電することができ、データを個人モニタ２００から基地局３００に転送することができる。上で述べたように、個人モニタ２００は、運動活動中に、感知したデータを記憶し、また感知したデータを基地局３００に無線で転送する。帯域幅を最も効率的に使用するため、データは、感知され、個人モニタ２００に記憶されているよりも低い分解能で、運動活動中に、無線で転送することができる。（例えば、個人が基地局３００の範囲外に移動した場合）、通信エラーが原因で、データの一部が、個人モニタ２００から基地局３００に正常に送信されないことがある。したがって、運動活動のセッションの終了時に個人モニタ２００に記憶されているデータは、基地局データベース３１６に記憶されているデータよりも完全で正確なことがある。
【０１８８】
いくつかの例示的な実施形態では、データは、フル分解能（すなわち、原データ）で、個人モニタ２００から基地局３００に転送することができ、同様にフル分解能で、基地局データベース３１６（および／またはそれに転送された場合は、ウェブサーバデータベース５０２）に記憶することができる。各セッションについての各個人１０のそのような原データを記憶することは、例えば、メトリックの再計算、または新しい異なるアルゴリズムを使用する新しい異なるメトリックの計算を実行するためなど、その後のデータ解析に有益なことがある。
【０１８９】
いくつかの例示的な実施形態では、データおよびメトリックは、汎用データベース（例えば、本明細書で説明するいくつかのシステムによって共用されるデータベース、または個人のための汎用スポーツデータベース）に記憶することができる。
【０１９０】
基地局３００のドッキングポート３１８にドッキングされている間、個人モニタ２００は、記憶したデータを（データ受信モジュール３０２を介して）データ処理モジュール３０４に直接的に送信することができる。その際、データ受信モジュール３０２は、個人モニタから受信したデータをフィルタリングすることができ（例えば、データ処理モジュール３０４は、重複データを基地局データベース３１６に記憶することを回避するために、データに対して重複排除プロセスを実行することができ）、データを基地局データベース３１６に記憶することができる。
【０１９１】
いくつかの例示的な実施形態では、基地局３００は、中央同期モジュール３１０を含む。基地局３００の中央同期モジュール３１０は、インターネット接続を介して、ウェブサーバシステム５００と通信することができ、ウェブサーバシステム５００は、基地局３００の外部に存在する。基地局３００がイーサネット（登録商標）（または他の有線）接続を介してインターネットに接続する場合、そのような通信は、イーサネット（登録商標）（または他の有線）接続を介して行うことができる。基地局３００がイーサネット（登録商標）（または他の有線）接続を介してインターネット（登録商標）に接続しない場合、通信は、例えば、セルラネットワーク（例えば、ＧＳＭ（登録商標）ブロードバンド２．５Ｇまたは３Ｇ）を介して無線で行うことができる。中央同期モジュール３１０は、モニタリング対象の運動活動についてのセッションデータ、または基地局３００および他のコンポーネントについての診断情報をアップロードするための、ならびに例えば、ドッキングポート２４０を介して個人モニタ２００にインストールされる更新ファームウェア、または基地局３００において使用される更新ソフトウェアなどのユーザデータをダウンロードするための、データアップロードおよびダウンロード機能を含む。中央同期モジュール３１０は、基地局データベース３１６に記憶されたデータをウェブサーバシステム５００にアップロードすることができる。そのようなデータは、運動活動中に生成されるデータ、メトリック、およびアラートを含むことができる。そのようなデータを受信した場合、ウェブサーバシステムは、それをウェブサーバデータベース５０２に記憶することができる。
【０１９２】
ウェブサーバシステム５００は、例えば、解析デバイス６００など、クライアントデバイスからの要求に基づいて、（例えば、ｈｔｍｌ５準拠コードなどの）表示コードを描画することができる。ウェブサーバシステム５００は、要求クライアントデバイスが適切に認証されていること、およびすべてのデータがｈｔｔｐｓを使用して渡されることを保証することによって、セキュリティ機能も提供することができる。ウェブサーバシステム５００は、ウェブサーバデータベース５０２に記憶された、要求されたメトリックおよび生成されたアラートを、例えば、ＡＰＩレイヤを介して、解析デバイス６００に提供することができる。ウェブサーバシステム５００は、１つまたは複数のサーバを含むことができ、サーバは、データを受信すること、記憶すること、および／または１つもしくは複数のリモートデバイス（例えば、解析デバイス６００）に提供することができる。
【０１９３】
ウェブサーバシステム５００の１つまたは複数のサーバは、メトリックのすべてまたは一部を基地局３００から受信すること、記憶すること、および／または提供することができる。いくつかのサーバは、他のサーバによって受信、記憶、提供されるメトリックとは異なるメトリックを受信、記憶、提供するように構成することができる。いくつかの実施形態では、ウェブサーバシステム５００のサーバは、異なるタイプのアクセスデバイスに、および／またはアクセスデバイスに関連付けられた異なるパーミッションに、異なるレベルのアクセスを許可にするように構成することができる。ウェブサーバシステム５００のサーバは、（本明細書で説明するような、メトリックおよびシステムコンポーネントの動作状態を含む）データを、様々な使用目的で、様々なアクセスデバイスに提供することができる。
【０１９４】
例えば、ウェブサーバシステム５００は、（例えば、公共利用されるインターネット接続されたデータベースを提供するために）データを汎用パーソナルコンピューティングデバイスに提供することができる。また、例えば、ウェブサーバシステム５００は、（例えば、イベントにおいてモニタリング対象のイベントの観衆にディスプレイを使用してデータを伝えるために）データをオンサイト表示システムに提供することができる。また、例えば、ウェブサーバシステム５００は、（例えば、モニタリング対象のイベントのマスコミ報道を視聴するテレビまたはインターネット視聴者にデータを伝えるために）データをマスコミ報道デバイスに提供することができる。また、例えば、ウェブサーバシステム５００は、（例えば、スマートフォンまたは他のパーソナルポータブルデバイスのユーザにアプリケーションインタフェースまたは「ａｐｐ（アプリケーション）」を介してデータを伝えるために）データをそのようなデバイスに提供することができる。
【０１９５】
また、例えば、ウェブサーバシステム５００は、データをセカンダリサーバに提供することができる。例えば、そのようなセカンダリサーバは、ウェブサイトの視聴者に、セカンダリサーバによって提供されるウェブサイトに関連するデータ、またはウェブサイト上に提示される広告を伝えることができる。また、例えば、そのようなセカンダリサーバは、ビデオゲームのプレーヤに、セカンダリサーバによって提供されるビデオゲームに関連するデータを伝えることができる。
【０１９６】
また、例えば、ウェブサーバシステム５００は、（ソーシャルネットワーキングウェブサイトを含む）ソーシャルネットワーキングサービスに、データを伝えることができる。モニタリング対象の個人１０は、そのようなソーシャルネットワーキングサービスにアカウントを有することができる。そのようなデータは、例えば、本明細書で説明されるようなセカンダリサーバを介して提供することができる。そのようなソーシャルネットワーキングサービスは、それをモニタリング対象の個人１０のアカウントに関連付けるために、モニタリング対象の個人１０に関連するそのようなデータにアクセスすることができる。いくつかの実施形態では、（個人１０のパフォーマンスに関連するメトリックを含む）そのようなデータの表現は、個人１０のソーシャルネットワーキングアカウント情報と関連付けて、（例えば、個人１０のプロファイルページに、他人のアカウントに関連する同様のデータと対比させてソーシャルネットワーキングサイト上に）表示することができる。そのようなソーシャルネットワーキングサービスは、個人データまたはチームデータを受け入れることができ、個人またはチームが互いに通信を行い、データを共有するためのインタフェースを提供することができる。例えば、個人またはチームは、それらのデータに基づいて、推奨コーチング案、経験、またはトレーニング計画を共有することができる。また、例えば、個人またはチームは、ミーティングまたは他の個人もしくはチームとのゲームのスケジュールを立てることができ、対戦相手として適切な個人またはチーム（例えば、力量が対等のチームまたは個人）を識別するのを助けるために共有データに頼ることができる。いくつかの実施形態では、１つのチームまたは個人の、別のチームまたは個人に対するハンディキャップを決定し、それによって、力量が対等ではないチームまたは個人の間の対戦を容易にするために、共有データに頼ることができる。
【０１９７】
また、例えば、そのようなセカンダリサーバは、小売りサービスにデータを提供することができる。例えば、（例えば、トレーニング計画、衣料、賞、機器、パーソナルトレーニングを含む）製品またはサービスは、モニタリング対象の個人１０に関連するデータに基づいて、モニタリング対象の個人１０に利用可能であることもあり、または利用可能でないこともある。また、例えば、製品またはサービスは、モニタリング対象の個人１０に関連するデータに基づいて、モニタリング対象の個人１０に宣伝されることもあり、または宣伝されないこともある。言い換えると、製品およびサービスの利用可能性および宣伝は、個人１０のパーソナル属性またはパフォーマンスに基づくことができる。例えば、製品およびサービスの利用可能性および宣伝は、個人１０が特定のチームに所属もしくは関連しているか、過去にモニタリングされた個人１０の全パフォーマンス、個人１０の一番最近の運動活動における個人１０のパフォーマンス、個人１０によってトリガされたアラート、または個人１０がプレーするスポーツのタイプに基づくことができる。そのような小売りサービスは、例えば、スタンドアロンウェブサイトとして、ウェブサイト（例えば、上で説明したようなソーシャルネットワーキングウェブサイト）に関連付けて、ａｐｐ内で、または本明細書で説明したいずれかのダッシュボード内でなど、任意の適切な媒体において提供することができる。
【０１９８】
また、例えば、そのようなセカンダリサーバは、広告サービスにデータを伝えることができる。例えば、製品またはサービスは、モニタリング対象の個人１０に関連するデータに基づいて、モニタリング対象の個人１０に広告することができる。言い換えると、製品およびサービスの広告は、個人１０のパーソナル属性またはパフォーマンスに基づくことができる。例えば、製品およびサービスの広告は、個人１０が特定のチームに所属もしくは関連しているか、過去にモニタリングされた個人１０の全パフォーマンス、個人１０の一番最近の運動活動における個人１０のパフォーマンス、個人１０によってトリガされたアラート、または個人１０がプレーするスポーツのタイプに基づくことができる。そのような広告サービスは、例えば、スタンドアロンウェブサイトとして、ウェブサイト（例えば、上で説明したようなソーシャルネットワーキングウェブサイト）に関連付けて、ａｐｐ内で、または本明細書で説明したいずれかのダッシュボード内でなど、任意の適切な媒体において提供することができる。
【０１９９】
また、例えば、ウェブサーバシステム５００は、投票または賭けウェブサイトまたはサービスに（例えば、本明細書で説明するようなセカンダリサーバを介して）データを提供することができる。いくつかの実施形態では、そのような投票または賭けウェブサイトまたはサービスは、モニタリング対象の個人１０に関連するそのようなデータにアクセスすることができ、ユーザによる提供されたデータの検討に基づいて、個人１０が栄誉または他の表彰（例えば、最高殊勲選手賞）を受けることに投票するためのインタフェースを、ウェブサイトまたはサービスのユーザに提供することができる。いくつかの実施形態では、そのような投票または賭けウェブサイトまたはサービスは、ユーザによる提供されたデータの検討に基づいて、ゲームイベント（例えば、どのチームが勝利するか、勝利チームは何得点をあげて勝利するか）、および／または個人１０の将来のメトリック（例えば、プレーヤＡがハーフタイムまでに毎分１７０回の心拍数に達すること）について予測または賭けを行うためのインタフェースを、ウェブサイトまたはサービスのユーザに提供することができる。
【０２００】
また、例えば、ウェブサーバシステム５００は、ゲームデバイスにデータを提供することができる。そのようなゲームデバイスは、例えば、ビデオゲーム機器、またはゲーム機能を有する他のデバイス（例えば、ゲームソフトウェア／ａｐｐを有する（スマート）フォン）とすることができる。いくつかの実施形態では、ウェブサーバシステム５００によって提供されるデータは、ゲームプレー機能をロック解除するために使用することができる。例えば、ビデオゲームのプレーヤがモニタリング対象の個人１０である場合、ビデオゲームのプレーヤの過去の実際のパフォーマンスに基づいたメトリックを、ゲーム機器によって、それらのメトリックの目標と比較することができ、目標が満たされている場合、それまでロックされていたゲームの機能（例えば、ゲームを仮想的にプレーするための仮想プレーヤ、またはゲームを仮想的にプレーするための仮想スタジアム）をロック解除して、ビデオゲームのプレーヤに利用可能にすることができる。いくつかの実施形態では、ウェブサーバシステム５００によって提供されるデータは、モニタリング対象の個人１０に対応する仮想プレーヤのパフォーマンスに影響を与え、仮想プレーヤの仮想パフォーマンスをモニタリング対象の個人１０の実際のパフォーマンスに合致させるために使用することができる。そのようなモニタリング対象の個人１０は、ビデオゲームのプレーヤとすることができ、かつ／または１人もしくは複数の他の個人（例えば、ビデオゲーム機器に制御される、そのような個人の仮想表現に対応する個人、それは、ビデオゲームのプレーヤによって制御される仮想プレーヤ、またはプレーヤの仮想チームメートもしくは仮想対戦相手とすることができる）とすることができる。このようにして、ビデオゲームのプレーヤは、ビデオゲームのプレーヤまたは別のプレーヤ（例えば、ビデオゲーム内に表された有名なプレーヤ）の実際の能力に対応する仮想能力を有する仮想プレーヤを制御することができ、同様に、プレーヤの仮想チームメートまたは仮想対戦相手も、実際のチームメートまたは対戦相手の能力に対応する仮想能力を有することができる。いくつかの実施形態では、ウェブサーバシステム５００によって提供されるデータは、運動活動のセッション中におけるモニタリング対象の個人１０の実際のプレーの仮想的再現を生成するために使用することができる。
【０２０１】
また、例えば、ウェブサーバ５００は、トレーニングデバイス（例えば、トレーニ（ｔｒａｉｎｅｅ）のトレーニングを促進するように構成された表示デバイス）にデータを提供することができる。そのようなトレーニングデバイスは、例えば、トレーニのトレーニングの進捗をスケジュールし、追跡するソフトウェアプログラムを実行するパーソナルコンピュータ、または例えば、スポーツウォッチなど、トレーニング中にトレーニが持ち運ぶポータブルデバイスとすることができる。トレーニングデバイスは、トレーニング中にトレーニをモニタリングするために、（例えば、本明細書で説明するセンサなどの）センサと通信することができる。トレーニングデバイスは、ウェブサーバ５００を介して（またはいくつかの実施形態では、基地局３００から直接）データにアクセスして、トレーニのパフォーマンスのメトリックを、ウェブサーバ５００（または基地局３００）からダウンロードしたメトリックと比較することができる。そのような比較の表現は、トレーニング中にリアルタイムに、またはトレーニングセッションの終了後に、トレーニに提供することができる。そのような比較は、（トレーニがモニタリング対象の個人１０である場合は）トレーニ自身についての、または異なるモニタリング対象の個人１０についてのダウンロードしたメトリックに基づくことができる。
【０２０２】
ウェブサーバ５００のデータへのアクセスを、第三者にライセンスし、（例えば、セカンダリサーバを介して）提供することができる。例えば、メディアアウトレット（テレビ局、新聞社、インターネットブログ）および医学研究者に、ウェブサーバ５００のデータへのライセンスされたアクセスを提供することができ、そのようなアクセスは、ライセンスされたアクセスの範囲に基づいて制限することができる。例えば、特定の個人１０もしくは個人１０のグループ、または特定のタイプのデータ（例えば、心拍数データ、スピードデータ）へのアクセスだけを、承諾することができる。
【０２０３】
ウェブサーバシステム５００によって提供されるデータは、本明細書で説明するような任意の方法で提示することができるが、方法は、そのような提示のために使用されるデバイスに制約される（例えば、スマートフォンまたはコンピュータを介してそのようなデータにアクセスするユーザは、デバイスと対話して、表されたデータまたは提示のモードを変更することができるが、放送メディアの視聴者は、データと対話する能力を有さず、提示されたデータを単に見るだけのこともある）。運動活動に参加するモニタリング対象の個人１０についてのデータを非参加者（例えば、観衆、ファン）に提示することは、非参加者が運動活動により深く係わる助けとなることがある。いくつかの実施形態では、ウェブサーバシステム５００を介して提供される情報に基づいて、（例えば、ウェブサーバシステム５００と通信するリモートデバイスのインタフェースを介して）運動活動の結果について投票または賭けを行うように、非参加者を促すことができる。
【０２０４】
本明細書で説明するように、基地局３００は、モニタ（例えば、モニタ２００、２５０）からデータを受信し、そのようなデータを記憶し、そのようなデータをリモートデバイス（例えば、グループモニタリングデバイス４００、解析デバイス６００）から利用可能にすることができる。いくつかの実施形態では、複数の基地局３００（例えば、第１の基地局３００および第２の基地局３００）を提供することができ、ある基地局３００（例えば、第１の基地局３００）は、別の基地局３００（例えば、第２の基地局３００）によって受信、記憶、提供されるメトリック（例えば、個人１０のパフォーマンスを表すメトリックの第２の組）とは異なるメトリック（例えば、個人１０のパフォーマンスを表すメトリックの第１の組）を受信、記憶、提供するように構成することができる。
【０２０５】
いくつかの実施形態では、基地局３００は、異なるタイプのアクセスデバイスに、および／またはアクセスデバイスに関連付けられた異なるパーミッションに、異なるレベルのアクセスを許可にするように構成することができる（例えば、第１の基地局３００は、メトリックの第１の組を第１のリモートデバイスに送信するように構成することができ、第２の基地局３００は、メトリックの第２の異なる組を第２のリモートデバイスに送信するように構成することができる）。基地局３００は、（本明細書で説明するような、メトリックおよびシステムコンポーネントの動作状態を含む）記憶されたデータを、ウェブサーバシステム５００に関して本明細書で説明する用途を含む、様々な使用目的で、様々なアクセスデバイスに提供することができる。
【０２０６】
グループモニタリングシステム１００が複数の基地局３００を含む、実施形態では、リモートデバイスは、どの基地局にデータを送信するか、および／またはどの基地局からデータを受信するかを選択するように構成可能とすることができる。例えば、異なる基地局の選択を可能にすることができる設定ページを、（例えば、グループモニタリングデバイス４００のディスプレイ４０２を介して）表示することができる（例えば、図６８を参照）。
【０２０７】
リモートデバイス（解析デバイス６００）が、図１０に示されており、ディスプレイ６０２と、入力手段６０４とを含んでいる。例示的な一実施形態では、解析デバイス６００は、（タブレットパーソナルコンピュータ、またはＡｐｐｌｅ  Ｉｎｃ．（登録商標）が販売するｉＰａｄ（登録商標）などの）タブレットコンピューティング型デバイスである。しかし、解析デバイス６００は、例えば、ラップトップコンピュータ、スマートフォン、パーソナルコンピュータなど、他の任意の適切なデバイスとすることができる。解析デバイス６００は、ウェブサーバデータベース５０２のデータにアクセスし、情報を解析デバイス６００のユーザ（例えば、トレーナ２０）に表示することができる。いくつかの実施形態では、情報は、専用または汎用ソフトウェア（例えば、専用ソフトウェアインタフェース、ウェブブラウザ）を使用して、表示することができる。本明細書では、解析デバイス６００とグループモニタリングデバイス４００を別々に説明したが、いくつかの例示的な実施形態では、グループモニタリングデバイス４００と解析デバイス６００は、同じデバイスである。
【０２０８】
いくつかの例示的な実施形態では、解析デバイス６００は、基地局３００または関連する運動活動に対して、リモートなロケーションに配置することができ、リアルタイムにデータおよびメトリックにアクセスし、それらを表示するために使用することができる。そのような一実施形態では、基地局３００は、データおよびメトリックをウェブサーバ５００にリアルタイムに転送することができ、そのため、解析デバイス６００は、上で説明したように、そのデータおよびメトリックにアクセスして、表示することができる。そのような一実施形態は、運動活動の現在進行中のセッションを、ユーザ（例えば、試合の場にいられないトレーナ２０、または物理的にセッションの場に赴かずに、トレーニングセッションをモニタリングしたいチームオーナ）が、リモートなロケーションからモニタリングするのに有益なことがある
【０２０９】
運動活動のセッションの終了後、トレーナ２０は、解析デバイス６００を使用して、運動活動の過去のセッション中の個人１０の過去のパフォーマンスについての情報を含む、個人１０についての情報を検討し、解析することができる。データが利用可能な運動活動の過去のセッションの数、およびウェブサーバデータベース５０２内の他の利用可能なデータに依存して、解析デバイス６００を使用する、個人１０のセッション後解析は、トレーナ２０に、グループモニタリングデバイス４００によって運動活動中に提供される情報よりも長期間にわたる情報を提供することができ、この情報は、個人１０の長期評価を容易にすることができる。トレーナ２０は、しかしながら、グループモニタリングデバイス４００に関して上で説明したのとほぼ同じ方法で、解析デバイス６００を使用して、データにアクセスし、見ることができる。例えば、解析デバイス６００は、グループモニタリングデバイス４００に関して上で説明したように、チームビューダッシュボードおよび個人ビューダッシュボードを表示するように構成することができる。解析デバイス６００のチームビューダッシュボードおよび個人ビューダッシュボードのいくつかの例示的な実施形態に適用可能ないくつかの相違は、表示される情報が、解析デバイス６００を使用しているときにリアルタイムに更新されないことがあること、表示される情報が、運動活動の複数のセッションにまたがることがあること、および複数のセッションに関するデータに適用されるアラートを生成できることを含む。
【０２１０】
さらに、解析デバイス６００のチームビューダッシュボードおよび個人ビューダッシュボードは、カスタマイズ可能とすることができる。セーブしておき、将来参照することができる、カスタマイズされたビューダッシュボードを作成するために、トレーナ２０は、表示コンポーネント（例えば、個人１０の写真４１０、すべての個人１０のリスト、プレーイングフィールドにおける個人１０の位置のマップを示すロケーションコンポーネント４１２、詳細なチャートおよび／またはグラフ４１８）を追加すること、または除去することができる。いくつかの実施形態では、カスタマイズされたビューダッシュボードは、グループモニタリングデバイス４００に送信することができ、または他の方法で、グループモニタリングデバイス４００が使用することができ、それによって、トレーナ２０が、カスタムフォーマットでリアルタイムデータを見ることを可能にする。
【０２１１】
いくつかの例示的な実施形態では、解析デバイス６００は、例えば、チャート形式またはグラフ形式で、メトリックの詳細な図を表示する、解析チャートビューを含む。トレーナ２０は、解析チャートビューのための所望のパラメータを、入力手段６０４を介して入力することができる。例えば、トレーナ２０は、２０１０年８月の間にプレーヤＡが実行したすべてのドリルについてのデータを示すように、解析チャートビューを生成すべきであることを示すパラメータを入力することができる。あるいは、解析デバイス６００は、トレーナ２０が入力したパラメータに対応する、すべてのデータ項目のリストを、トレーナ２０に示すことができ、トレーナ２０が、解析チャートビューに含めることを望む項目を選択することを可能にする。トレーナ２０には、解析チャートビューのタイプを選択するための選択肢も与えることができる。例えば、トレーナ２０は、各々が異なるメトリックに関係する複数のチャートまたはグラフが上下に積み重ねられたスタックトビュー（ｓｔａｃｋｅｄ  ｖｉｅｗ）、または複数のメトリックが単一のチャートまたはグラフ上に表示されるオーバレイビュー（ｏｖｅｒｌａｙ  ｖｉｅｗ）から選択できることがある。いくつかの例示的な実施形態では、オーバレイビューは、異なる時間におけるパフォーマンスを容易に比較できるように、トレーナ２０が、１つの期間のデータ（例えば、現在のデータまたは一番最近のデータ）を別の期間のデータ（例えば、より古いデータ）と重ね合わせて見ることを可能にする。
【０２１２】
いくつかの例示的な実施形態では、運動活動の１つまたは複数のセッションの解析を容易にするために、グループモニタリングデバイス４００のディスプレイ４０２または解析デバイス６００のディスプレイ６０２は、解析モジュールを表示することができ、解析モジュールは、例えば、図５５に示すように、運動活動のセッションを解析するのに使用可能なユーティリティを含むことができる。解析デバイス６００のディスプレイ６０２は、メトリックを比較可能に表示するチャートまたはグラフ６１８を表示することができる。例えば、グラフ６１８は、運動活動のセッションまたは他の任意の期間にわたってプロットされた個人１０の心拍数を表示することができる。また、同じグラフ６１０上に、例えば、個人１０のトレーニングインパクトおよび機械的パワーなど、他のメトリックをプロットして表示することができる。同じグラフ６１８上に複数のメトリックをプロットすることによって、解析デバイス６００は、これらのメトリックの比較を容易にすることができ、個人１０のパフォーマンスをモニタリングする際にトレーナ２０に有益であり得る相関を明らかにすることができる。
【０２１３】
いくつかの例示的な実施形態では、例えば、図５６に示すように、解析デバイス６００のディスプレイ６０２は、１人または複数の個人のメトリック情報を１人または複数の他の個人と比較し、１人または複数の個人がベースライン値の範囲外の特定のメトリック値をいつ達成したかを決定するための、外れ値解析６２０を表示することができる。外れ値解析６２０は、様々な方法で提示することができ、複数の個人１０についてのデータを、個人１０の比較を容易にする視点で提示する際に有益であり得る。いくつかの例示的な実施形態では、メトリックについて、平均（または他のベースライン）を上回る、または下回るパーセンテージまたは値を示す、棒グラフ６２２を表示することができる。いくつかの例示的な実施形態では、１人または複数の個人１０についての様々なメトリックのパーセンテージまたは値を示す、星型グラフ６２４を表示することができる。
【０２１４】
いくつかの例示的な実施形態では、解析デバイス６００は、新しいアルゴリズムに基づいて、過去のデータを再計算することができ、それによって、メトリック計算を精緻化し、または新しいメトリックを規定することができる。いくつかの例示的な実施形態では、解析デバイス６００は、新しいアラートを過去のデータに適用することができる。そのような機能は、個人１０のデータの履歴調査および解析を容易にすることによって、トレーナ２０に有益であり得る。
【０２１５】
いくつかの例示的な実施形態では、解析デバイス６００は、個人１０の将来のパフォーマンスを予測するために、トレーナ２０が使用することができる。特定のプレーヤまたはグループについての将来のセッションのデータの予測を生成する適切なアルゴリズムを、過去のデータに適用することができる。例えば、パフォーマンスに傾向（例えば、効率または相対パワーの増加）が認識された場合、その傾向が運動活動の将来のセッションにおいて継続し得ると予測することができる。トレーナ２０は、この情報を使用して、運動活動の将来のセッションに関する決定を通知することができる。
【０２１６】
いくつかの例示的な実施形態では、例えば、図５７に示すように、グループモニタリングデバイス４００は、レポートモジュールを含むことができ、レポートモジュールは、個人１０のデータおよびメトリックに基づいて、ユーザがレポートを生成することを可能にする、レポートジェネレータ４０３を含むことができる。レポートは、事前に規定しておくことができ、または所望の情報を生成するようにカスタマイズすることができる。例えば、個々のプレーヤの要約、ヘッドコーチ向けに設計されたレポート、チームの下位グループのコーチ（例えば、ゴールキーパーコーチ）向けに設計されたレポート、日次パフォーマンス更新レポート、負傷レポート、セッション要約レポート、およびチーム状態レポートなど、様々なタイプのレポートを生成することができる。個人１０および／もしくはスポーツオブジェクト４０、またはそれらのグループについてのそのようなレポートは、個人１０および／またはスポーツオブジェクト４０を、他の個人１０および／またはスポーツオブジェクト４０と比較するために、（例えば、グループモニタリングデバイス４００のディスプレイ４０２を介して）リアルタイムに提示することができる。
【０２１７】
例えば、図５８および図５９に示すように、日次パフォーマンス更新は、優れたパフォーマンスを示した個人１０に関する情報を含むことができる。そのような日次パフォーマンス更新は、成績上位のスプリンタである個人１０、成績上位のパワー系競技者である個人１０、最高の効率を示した個人１０、および成績上位の距離を出した個人１０を示すリスト４０５を含むことができる。いくつかの例示的な実施形態では、過去のレポートは、セーブすることができ、過去レポートメニュー４０１からアクセスすることができる。そのような日次パフォーマンス更新は、チームを構成する個人１０のグループについての現在の情報を示す、チームチャート４０７も含むことができる。チームチャート４０７は、表示情報と以前のレポートの表示情報との間に存在し得る表示情報の差をさらに示すことができ、それによって、個人１０のパフォーマンスの変化を示す。
【０２１８】
本文書では、「コンピュータ使用可能媒体」などの用語は、一般に、着脱可能な記憶ユニット、またはハードディスクドライブ内に組み込まれたハードディスクなどの媒体を指すために使用することができる。コンピュータ使用可能媒体は、メモリ半導体（例えば、ＤＲＡＭなど）とすることができる、メインメモリまたはセカンダリメモリなどのメモリも指すことができる。これらのコンピュータプログラム製品は、本発明のコンピュータシステムおよび他のコンポーネントにソフトウェアを提供する。
【０２１９】
（コンピュータ制御ロジックとも呼ばれる）コンピュータプログラムは、メインメモリおよび／またはセカンダリメモリに記憶することができる。コンピュータプログラムは、通信インタフェースを介して受信することもできる。そのようなコンピュータプログラムは、実行された場合、本発明のコンピュータシステムが、本明細書で説明する実施形態を実施することを可能にすることができる。実施形態がソフトウェアを使用して実施される場合、ソフトウェアは、コンピュータプログラム製品に記憶し、例えば、着脱可能な記憶ドライブ、インタフェース、ハードドライブ、および／または通信インタフェースを使用して、コンピュータシステムにロードすることができる。
【０２２０】
コンピュータプログラムは、実行された場合に、例えば、運動活動に参加する個人１０に関連する情報を決定、記録、送信すること、または本明細書で説明した表示可能もしくは可聴要素（例えば、運動活動に参加する個人１０に関連する情報）のいずれかをユーザに提示することなど、上で説明したプロセスを、１つまたは複数のプロセッサが実施することを可能にし得ることを、本明細書の説明に基づいて、当業者は理解されよう。本明細書で説明したいずれかのモジュール、関数、または機能（例えば、計画モジュール、モニタモジュール、解析モジュール、レポートモジュール）を維持および／または提供するための情報および／または命令（例えば、コンピュータプログラム製品）は、本明細書で説明したいずれかのコンポーネント（例えば、基地局３００、個人モニタ２００、グループモニタリングデバイス４００、ウェブサーバシステム５００、解析デバイス６００、カメラモニタリングシステム７００、および／またはビデオフィードシステム８００）のコンピュータ使用可能媒体（例えば、メモリまたはデータベース）に記憶することができる。
【０２２１】
いくつかの例示的な実施形態では、１つまたは複数のプロセッサは、クラスタ化されたコンピューティング環境またはサーバファームに含まれるコンピューティングデバイスの部分とすることができる。いくつかの例示的な実施形態では、クラスタ化されたコンピューティング環境によって実行されるコンピューティングプロセスは、同じまたは異なるロケーションに配置された複数のプロセッサにおいて実施することができる。いくつかの例示的な実施形態では、１つまたは複数のプロセッサは、本明細書で説明したコンポーネント（例えば、基地局３００、個人モニタ２００、グループモニタリングデバイス４００、ウェブサーバシステム５００、解析デバイス６００）のいずれかの部分とすることができる。いくつかの例示的な実施形態では、計画モジュール、モニタモジュール、解析モジュール、およびレポートモジュールのうちの１つまたは複数は、例えば、スマートフォンなどのデバイスのためのアプリケーションを含むことができ、全部または一部がダウンロードされるように構成することができる。
【０２２２】
本発明のソフトウェアは、任意のコンピュータ使用可能媒体に記憶することができる。そのようなソフトウェアは、例えば、本明細書で説明した任意の適切なコンポーネント（例えば、基地局３００、個人モニタ２００、グループモニタリングデバイス４００、ウェブサーバシステム５００、解析デバイス６００）などの、１つまたは複数のデータ処理デバイスにおいて実行された場合、データ処理デバイスに本明細書で説明したような動作を行わせる。本発明の実施形態は、現在または将来知られる、任意のコンピュータ使用可能またはコンピュータ可読媒体を利用する。コンピュータ使用可能媒体の例は、プライマリ記憶デバイス（例えば、任意のタイプのランダムアクセスメモリまたはリードオンリメモリ）、セカンダリ記憶デバイス（例えば、ハードドライブ、フロッピディスク、ＣＤ  ＲＯＭ、ＺＩＰディスク、テープ、磁気記憶デバイス、光記憶デバイス、ＭＥＭＳ、ナノテクノロジ記憶デバイス、メモリカード、または他の着脱可能記憶デバイスなど）、ならびに通信媒体（例えば、有線および無線通信ネットワーク、ローカルエリアネットワーク、ワイドエリアネットワーク、イントラネットなど）含むが、それらに限定されない。
【０２２３】
いくつかの例示的な実施形態では、グループモニタリングシステム１００は、カメラモニタリングシステム７００を含み、またはカメラモニタリングシステム７００と通信し、カメラモニタリングシステム７００は、個人１０の動きを表す画像データ（例えば、静止画像、動画、それらに関連するデータおよび／またはそれらから導出されたデータ）を記録するために、例えば、プレーイングフィールド３０に向けられた１つまたは複数のビデオカメラを含むことができる。この画像データは、基地局３００に（例えば、基地局３００のデータ処理モジュール３０４に）送信することができ、個人モニタ２００および／またはオブジェクトモニタ２５０から送信されたデータに関して上で説明したのとほぼ同じ方法でメトリックを決定する際に、使用することができる。
【０２２４】
いくつかの実施形態では、メトリックは、画像データだけに基づいて、または画像データと他のセンサ（例えば、個人モニタ２００および／またはオブジェクトモニタ２５０のセンサ２０２）から得られたデータとに基づいて、決定することができる。この画像データは、基地局データベース３１６に記憶することができ、また（例えば、中央同期モジュール３１０を介して）ウェブサーバシステム５００に転送することができ、ウェブサーバシステム５００において、画像データは、ビデオフィードシステム８００によってアクセスされ、ビデオフィードシステム８００のビデオディスプレイ８０２によって表示することができる。いくつかの実施形態では、画像データは、基地局３００からアクセスされ、例えば、グループモニタリングデバイス４００および／または解析デバイス６００などのリモートデバイスによって表示することができる。そのような画像データは、例えば、画像として、または画像から導出されたメトリックとしてなど、任意のフォーマットで表示することができる。
【０２２５】
いくつかの例示的な実施形態では、ビデオフィードシステム８００は、ビデオフィードカメラ８０４を含む。ビデオフィードカメラ８０４も、画像データを記録するために、プレーイングフィールド３０に向けることができる。この画像データは、ウェブサーバシステム５００に送信され、後でビデオフィードシステム８００のビデオディスプレイ８０２によって表示するために取り出すことができる。
【０２２６】
カメラモニタリングシステム７００および／またはビデオフィードシステムによって記録された画像データは、解析デバイス６００が、ウェブサーバシステム５００を介してアクセスし、解析デバイス６００のディスプレイ６０２に表示することができる。
【０２２７】
いくつかの例示的な実施形態では、カメラモニタリングシステム７００は、個人１０および／またはスポーツオブジェクト４０の位置を決定するために使用することができる。カメラモニタリングシステム７００によって生成された画像データは、基地局３００によって受信し、個人１０および／または関心のある他のオブジェクト／エリア（例えば、スポーツオブジェクト４０）の位置を決定するために解析することができる。カメラモニタリングシステム７００は、このように、位置センサ２０８に取って代わる、またはそれを補うために使用することができ、屋内エリア、またはＧＰＳもしくは他の測位信号を別に受信できない（もしくは微弱にしか受信できない）エリアにおける位置を決定するために特に有益なことがある。
【０２２８】
いくつかの例示的な実施形態では、カメラモニタリングシステム７００によって生成される画像データは、本明細書で説明したデータおよびメトリックと重ね合わせる、またはそれらを用いて識別することができる。そのような一実施形態では、画像データは、表示デバイス（例えば、グループモニタリングデバイス４００または解析デバイス６００）によって、または表示デバイスと連携して、データおよびメトリックと同期させて表示することができる。これは、データおよびメトリックと、個人１０および／またはスポーツオブジェクト４０の実際の画像とを相互に関連付けるのを助けることができる。
【０２２９】
いくつかの実施形態では、上で説明したように、１つまたは複数のメトリックは、プレーイングフィールドまたはその特徴に対する、個人１０および／またはスポーツオブジェクト４０の位置の決定に基づくことができる。例えば、いくつかの実施形態では、ロケーション信号（例えば、位置モジュール２１６によって生成された信号）は、ＧＰＳデータを使用して、プレーイングフィールド３０上の位置と相互に関連付けられ、ここで、プレーイングフィールドのＧＰＳ座標は、グループモニタリングシステム１００によって知られている。また、例えば、いくつかの実施形態では、ロケーション信号は、相対ロケーションデータ（例えば、基準に対する相対ロケーションを表すデータ、基準は、例えば、基地局３００または基地局３００に接続された他の何らかの静止ビーコンとすることができる）を使用して、プレーイングフィールド上の位置と相互に関連付けられ、ここで、プレーイングフィールドの相対位置は、グループモニタリングシステム１００によって知られている。いくつかの実施形態では、プレーイングフィールドの位置は、ユーザが規定することによって、グループモニタリングシステムに知られるようになる。
【０２３０】
いくつかの実施形態では、ポータブルシステムコンポーネント（例えば、個人モニタ２００、オブジェクトモニタ２５０、またはグループモニタリングデバイス４００）を、（例えば、サッカーフィールド、レーストラック、または他のエリアとすることができる）プレーイングフィールドを規定するために使用することができる。例えば、フィールド規定モードにおいて、グループモニタリングデバイス４００のディスプレイ４０２、または他の管理デバイスは、プレーイングフィールドの第１のロケーションに位置センサを配置するよう求める命令を表示することができる。例えば、図７８に示されるように、ディスプレイ４０２は、サッカーフィールドのミッドライン位置に位置センサを配置するようユーザに命令することができる。ディスプレイ４０２は、センサを位置付けるロケーションをユーザに示す命令マーカ３２が示された、プレーイングフィールド３０のグラフィカル表現を表示することができる。ユーザは、表示されたロケーションに対応するプレーイングフィールド上のロケーションにグループモニタリングデバイス４００を位置付けることができ、グループモニタリングデバイス４００が命令されたロケーションに位置付けられたことを知らせる入力を、グループモニタリングデバイス４００の入力手段４０４を介して、任意選択的に提供することができる。代わりに、またはそれに加えて、いくつかの実施形態では、グループモニタリングデバイス４００のユーザは、グループモニタリングデバイスに通信可能に接続された関連する他のポータブルデバイス（例えば、別の人が運ぶ個人モニタ２００またはオブジェクトモニタ２５０）を、表示されたロケーションに対応するプレーイングフィールド上のロケーションに移動させることができ、関連する他のポータブルデバイスが命令されたロケーションに位置付けられたことを知らせる入力を、グループモニタリングデバイス４００の入力手段４０４を介して、任意選択的に提供することができる。グループモニタリングデバイス４００は、その後、位置センサのロケーションを識別する位置データを受信することができ、この位置データを命令されたロケーションに対応するものとして確定することができる。述べたように、そのような位置データは、ＧＰＳデータまたは基準に対する相対ロケーションを表すデータに基づいて、決定することができる。
【０２３１】
グループモニタリングデバイス４００のディスプレイ４０２は、その後、プレーイングフィールド３０上のさらなるロケーションに位置センサを配置するよう求める命令を表示することができ、さらなるロケーションは、最初に説明したのと同様に確定することができる。例えば、図７８に示されるように、ディスプレイ４０２は、第１のポイントが確定されたことを示す確認マーカ３４を示すことができ、確定される第２のロケーション（例えば、サッカーフィールドの第１のコーナ）をユーザに示す命令マーカ３２を示すことができる。グループモニタリングデバイス４００のディスプレイ４０２は、プレーイングフィールド３０上にさらなるロケーションを確定するためのさらなる命令を示し続けることができる（例えば、４つの確定された位置を示す４つの確認マーカ３４と、確定される最後の位置を示す１つの命令マーカ３２とを示す、図８０を参照）。様々な確定されたロケーションの位置は、共にプレーイングフィールドを規定することができる。
【０２３２】
グループモニタリングシステム１００は、形状が規則的であるか、それとも不規則であるかに係わらず、任意のプレーイングフィールドまたは他のエリアを規定するために、説明したように利用することができる。例えば、グループモニタリングシステム１００は、サッカーフィールド、テニスコート、ランニングトラック、フットボールフィールド、バスケットボールコート、野球場、ゴルフコース、スキースロープ、またはマウンテンバイクトラックを規定するために使用することができる。プレーイングフィールド３０を完全に規定するのに必要とされる位置の数は、様々であることがあり、規定するプレーイングフィールドの幾何学的形状に依存することがある。例えば、典型的なサッカーフィールド（または他の対称的な長方形フィールド）は、最少で３つの位置を確定することで、完全に規定されると考えることができる（例えば、３つのコーナ、第４のコーナは、確定された３つのコーナのロケーションに基づいて決定することができる）。プレーイングフィールド３０を完全に規定するのに必要とされる位置の最小数は、フィールド形状の幾何学的複雑さ、ならびに規定されるフィールド特徴の広がりおよび幾何学的複雑さが増すにつれて、増加することがある。場合によっては、いくつかのフィールド特徴の規定は、任意選択とすることができ、または確定された位置との既知の関係に基づいて、グループモニタリングシステムが決定することができる。
【０２３３】
例えば、野球場またはゴルフコースを規定するには、サッカーフィールドまたはテニスコートを規定するよりも多くの位置を規定する必要があり得る。例えば、野球場を規定する場合、（しばしば不規則で、球場ごとに異なり得る）プレーが行われるフィールド、ファウルライン、ベース位置、ウォーニングトラック、および内野と外野の間の境界を確定するのが望ましいことがある。サッカーフィールドまたはテニスコートを規定する場合、フィールドまたはコートの３つのコーナを確定するだけで、グループモニタリングシステムが残りのフィールド特徴を決定するには十分なことがある。グループモニタリングシステム１００は、必要とされる最少の位置の確定、または（任意選択の位置を含む）最低限必要とされるよりも多くの位置の確定を命令することができる。最低限必要とされるよりも多数の位置を確定することで、フィールド規定の精度を高めることができる。さらに、グループモニタリングシステム１００は、同じ位置を１回だけ、または２回以上確定するよう命令することができる。同じ位置を２回以上確定することで、その位置の確定の精度を高めることができ、それによって、フィールド規定の精度が高まる。
【０２３４】
ひとたび規定されると、または他の方法で獲得されると、プレーイングフィールドは、任意のシステムコンポーネント（例えば、グループモニタリングデバイス４００、基地局３００、ウェブサーバシステム５００）の記憶媒体にセーブすることができる。規定されたフィールドの属性は、フィールドと関連付けてセーブすることができる。例えば、図８１には、グループモニタリングデバイス４００のディスプレイ４０２に、フィールドセーブ画面が示されている。フィールドセーブ画面は、フィールド名、フィールド寸法、フィールドロケーション、フィールド競技表面、およびフィールドについての任意の所望のメモをユーザが入力するためのフィールドを含む。いくつかの実施形態では、あるフィールド属性は、（例えば、グループモニタリングデバイス４００など、例えば、システムコンポーネントを介して）グループモニタリングシステム１００が決定することができる。例えば、ひとたびフィールドが規定されると、グループモニタリングシステム１００は、その寸法またはロケーションを（例えば、ＧＰＳデータを使用して）計算することができる。
【０２３５】
上で説明したように、グループモニタリングシステム１００は、ポータブルであり、そのため、異なるエリアの間で輸送することができ、運動活動の異なるセッションでは、異なるエリアで使用することができる。新しいプレーイングフィールドを規定し、そこでの活動をモニタリングする、グループモニタリングシステム１００の能力は、このポータビリティを容易にする。例えば、同じグループモニタリングシステム１００を使用して、チームのトレーニング施設で、チームのホームプレーイングフィールドで、およびチームがロードで遠征した対戦チームのプレーイングフィールドで、トレーニングセッションをモニタリングすることができる。異なる各フィールドを、上で説明したように規定することができる。これは、異なるプレーイングフィールドにおけるグループモニタリングシステム１００の使用を容易にし、運動活動のセッションが（例えば、シーズンにわたって）様々なロケーションで行われた場合でも、一貫した繰り返し可能な１組の測定を維持する能力をトレーナ２０に与える。多くの従来のモニタリング技術は、固定された設置を必要とし、それが、トレーナのデータ収集を妨げ、または設置場所から離れた場所での運動活動のセッション中は（例えば、遠征中は）、異なる技術を使用することをトレーナに要求する。
【０２３６】
いくつかの実施形態では、グループモニタリングシステム１００が、規定されたプレーイングフィールド上で動いている個人１００またはスポーツオブジェクト４０をモニタリングする個人モニタ２００またはオブジェクトモニタ２５０から信号を受信すると、グループモニタリングシステム１００は、個人モニタ２００またはオブジェクトモニタ２５０から受信した運動信号の特徴に基づいて、規定されたフィールドの競技表面のタイプを決定することができる。例えば、所定のスピードで地面に向かって移動しているスポーツオブジェクト４０をモニタリングするオブジェクトモニタ２５０は、フィールドのタイプに応じて、スポーツオブジェクト４０が地面に衝突したときに、スポーツオブジェクト４０についての異なる衝撃特性を感知することがあり、これらの特性に基づいて、フィールドのタイプを決定することができる。例えば、表面が堅いプレーイングフィールド（例えば、クレイ、硬材、またはアスファルト）の場合は、表面が軟らかいプレーイングフィールド（例えば、芝生、砂）の場合よりも、衝撃の持続時間がより短く、バウンドの高さがより高くなり得る。また、例えば、グラウンドを走っている個人１０をモニタリングする個人モニタ２００は、フィールドのタイプに応じて、個人１０の足取りについての異なる衝撃特性を感知することがあり、これらの特性に基づいて、フィールドのタイプを決定することができる。
【０２３７】
いくつかの実施形態では、複数の位置に基づいてフィールドを規定する代わりに、またはそれに加えて、プレーイングフィールドは、プレーイングフィールドの境界に沿ってポータブルシステムコンポーネントが移動した経路に対応するラインによって規定することができる。そのようなラインの確定は、プレーイングフィールドに対する位置の確定に関して上で説明したのと同様に達成することができる。ラインベースの規定技法は、例えば、複雑または非標準的な形状を有するフィールドを規定する際に有益なことがある。
【０２３８】
セーブされたフィールドは、記憶し、再利用することができ、（例えば、本明細書の別の箇所で説明したような、ウェブサイトまたはソーシャルネットワーキングサービスを介して）共有または販売することができる。いくつかの実施形態では、グループモニタリングシステム１００は、事前規定フィールドを表すデータを（例えば、グループモニタリングデバイス４００など、システムコンポーネントを介して）ダウンロードすることができる。そのような事前規定フィールドを規定するデータは、例えば、データベースからダウンロードして、または別のユーザもしくはウェブサイトから直接的にダウンロードして、入手可能とすることができる。そのような事前規定フィールドは、例えば、同じもしくは異なるグループモニタリングシステム１００の、または他の任意の適切なシステム（例えば、位置記録もしくは測量システム）のユーザが、あらかじめ規定しておくことができる。いくつかの実施形態では、グループモニタリングシステム１００は、特定の事前規定フィールドを表すデータを検索するためのインタフェースを（例えば、グループモニタリングデバイス４００を介して）提供することができ、または１つまたは複数のシステムコンポーネントの位置に基づいて、特定の事前規定フィールドを表すデータのダウンロードを提案することができる。例えば、基地局３００がプレーイングフィールドＡの座標に近いＧＰＳ座標を有すると決定され、プレーイングフィールドＡを表すデータが事前規定されており、グループモニタリングシステム１００がそれをダウンロードして入手可能である場合、グループモニタリングシステム１００は、（例えば、グループモニタリングデバイス４００などのインタフェースを介する）そのようなダウンロードを提案することができ、それによって、プレーイングフィールドＡにおいて運動活動のセッションを行う前に、プレーイングフィールドＡを再規定する必要がなくなる。
【０２３９】
メトリックは、上で説明したように感知された個人１０またはスポーツオブジェクト４０の特性を表すデータの表現とすることができ、またはそのようなデータから導出される特性の表現とすることができる。一般に、グループモニタリングシステム１００は、マルチレベル解析ツールとして動作することができる。例示的な一実施形態では、グループモニタリングシステム１００は、モニタリング対象の各個人１０またはスポーツオブジェクト４０に関連する位置、向き、活動、および時間を表すデータ、ならびに個人モニタ２００によってモニタリングされる個人１０またはオブジェクトモニタ２５０によってモニタリングされるスポーツオブジェクト４０と相互作用する個人１０の心拍数を表すデータを直接的に決定するために、加速度計、ＧＰＳセンサ、心電計（ＥＣＧ）、ジャイロスコープ、クロック、および磁気計からの信号を使用することができる。このデータは、機械的パワー、機械的パワーゾーン、スピード、スピードゾーン、代謝パワー、代謝パワーゾーン、運動状態、および距離を含むメトリックを計算するために、処理することができる。これらのメトリックは、疲労、トレーニング衝撃（ＴＲＩＭＰＳ）、加速度ゾーン、加速仕事、効率、総距離、および加速度を含むメトリックを計算するために、時間、各個人１０および／またはスポーツオブジェクト４０の質量、および各個人１０および／またはスポーツオブジェクト４０の運動状態を表す値と併せて処理することができる。
【０２４０】
いくつかの実施形態では、グループモニタリングシステム１００は、同じ特性を異なる方法で測定した２つ以上のメトリックを決定することができる。例えば、グループモニタリングシステム１００は、多くの異なるメトリックに基づいて、トレーニング負荷メトリックを提供することができる。従来は、トレーニング負荷の尺度として距離が使用され、グループモニタリングシステム１００も、同様に距離を使用することができる。しかし、サッカーおよびバスケットボールなど、頻繁なスタートおよびストップを伴うスポーツは、急激な加速、減速、および方向変化を要求し、距離だけに基づいたトレーニング負荷メトリックは、正確ではないことがある。したがって、距離に基づいてトレーニング負荷メトリックを決定するのに加えて、またはそれに代わって、グループモニタリングシステム１００は、心拍数、スピード、加速度、およびパワーを使用して、トレーニング負荷を決定することができる。これらの動きは、運動者がトレーニング中に経験する負荷に著しく寄与し、実際のトレーニング負荷をより良く表すことができる。様々なメトリックを使用してトレーニング負荷を解析することによって、トレーナは、総トレーニング負荷をはるかに正確に決定し、理解することができる。
【０２４１】
本明細書で説明するように、グループモニタリングシステム１００は、複数のソース（センサ）からの感知された特性についてのデータを決定することができ、これらのデータを処理して、メトリックを決定することができ、そのようなメトリックの表現を観察者（例えば、トレーナ２０）に出力することができる。データは、個人の観察できない特性を表すことができ、そのようなデータのボリュームは、膨大（例えば、数百万データ点）となり得るので、人間（例えば、トレーナ２０）によって効果的に解釈することができない。説明したように、グループモニタリングシステム１００は、このデータを処理し、観察可能かつ解釈可能な方法でユーザに提示することができ、異なるソースからのデータストリームを組み合わせさえもし、したがって、モニタリング対象の活動およびモニタリング対象の個人１０について、他の方法で可能になるよりも深い洞察および知識をユーザに提供する。これは、トレーニングがそれを実行する個人１０の能力にどのような影響を与えるかを、トレーナが理解するのを助けることができる。
【０２４２】
例えば、グループモニタリングシステム１００は、心拍数、パワー、スピード、距離、加速度、およびプレーイングフィールドにおける位置を表すデータストリームをモニタリングすることができる。これらのデータストリームを組み合わせ、ただ１つよりも多くのデータストリームに基づいて計算を行うことによって、グループモニタリングシステムは、例えば、個人１０または個人１０のグループの強度および効率など、新しい洞察の表現を決定し、出力することができる。グループモニタリングデバイス４００のディスプレイ４０２は、そのような表現をリアルタイムに表示することができ、したがって、トレーニング目標を満たしていることが保証されるように、トレーナが、トレーニングセッション中に、これらの洞察に基づいて行動することを可能にする。
【０２４３】
例えば、心拍数は、トレーニングに対する身体の反応の尺度である。トレーニングセッション中、トレーナは、（例えば、ディスプレイ４０２に表示される）ライブダッシュボードを使用して、心拍数回復をモニタリングすることができ、大多数の運動者の準備が整う（すなわち、彼らの心拍数が十分に回復する）まで、次のトレーニングインターバルを決して開始しないようにする。
【０２４４】
また、例えば、パワーは、人がどれだけ激しく運動しているかの尺度である。パワートレーニングは、自転車に計器を取り付けることによってパワーの測定が可能になったサイクリングにおいて広く使用されている。グループモニタリングシステム１００におけるセンサおよびアルゴリズムは、他のスポーツ（例えば、サッカー）におけるパワーの決定を容易にする。
【０２４５】
また、例えば、パワーと心拍数を組み合わせることによって、トレーナは、モニタリング対象の個人がどれだけ激しく運動しているか、またその身体が運動にどのように反応しているかについて、完全なイメージを提供される。メトリックのこの組み合わせは、コーチが、個人の全体的な効率を見ることを可能にする。心拍数当たりより多くの運動をこなしている個人は、より良い状態にある（すなわち、より効率的である）。
【０２４６】
また、例えば、スピードは、一般に、強度の尺度として使用される。スピードは、多くの運動活動の重要な部分である。個人のスピードをモニタリングすることによって、トレーナは、個人が目標レベル（例えば、ゲームでの成功に対応すると見なされたレベル）でトレーニングを行っているかを見ることができる。トレーナがスピードトレーニングセッションを計画する場合、トレーナは、（例えば、ディスプレイ４０２に表示される）ライブダッシュボードをカスタマイズして、最高スピード、平均スピード、および高強度ダッシュの回数を含む、スピード関連データを表示することができる。スピードトレーニングを慎重に管理する能力は、過剰トレーニングの防止を助けることができ、怪我のリスクを減らすことができる。
【０２４７】
また、例えば、カバー距離（ｄｉｓｔａｎｃｅ  ｃｏｖｅｒｅｄ）は、長らくトレーニング量の基準であった。運動活動のセッション（例えば、ゲームまたは練習試合）中に個人がカバーする（例えば、走る）距離は、様々であり得る。カバー距離のリアルタイム測定は、トレーナが、距離についての個人目標またはチーム目標を設定し、すべての個人が確実に目標に達するようにすることを可能にすることができる。運動活動のセッションの終了時に、トレーナは、ライブダッシュボードを参照して、カバー距離をチェックすることができる。目標に届いていない個人には、ランニングを続けるよう命令することができる。
【０２４８】
また、例えば、（減速を含む）加速は、パフォーマンスの重要な尺度とすることができる。加速は、素早い方向変化が必要とされるスポーツにおいて重要であり得る。加速の率および頻度を理解することで、全体的なトレーニング負荷の決定に影響を与えることができる。
【０２４９】
また、例えば、フィールドにおける位置の知識は、トレーナが、モニタリング対象の個人がフィールドのどこにいるか、またはどこにいたかを見ることを可能にすることができる。これによって、プレーヤの戦術的動きに対する洞察を深めることができる。上で説明したように、そのような位置は、位置がＧＰＳを使用して決定される、例えば、ヒートマップなどの、マップ上に示すことができる。
【０２５０】
説明した例示的な実施形態との関連で、上では特定のメトリックについて説明したが、これらの特定のメトリックは例示的なものにすぎず、具体的に開示されたメトリック以外の別のメトリックも、説明した例示的な実施形態において使用することができる。メトリックの例が、以下の表１に提示される。そのようなメトリックは、個人１０、スポーツオブジェクト４０、またはその両方に適用することができる。
【０２５１】
【表１】
2014014683.tif 000003
2014014683.tif 000004
【０２５２】
本明細書で説明するメトリックは、（個人１０などの）個人、（基地局３００などの）基地局、（例えば、スポーツオブジェクト４０などの）任意の関連する運動機器、または可能な、必要な、もしくは望ましい範囲の他の人もしくはオブジェクトに関連することができる。本明細書で説明するメトリックは、例示的なものであり、当業者には理解されるように、開示されたメトリック以外の別のメトリックも、本発明とともに使用可能である。
【０２５３】
上では例示的な実施形態を用いて本発明を説明した。したがって、本発明は、上で説明した例示的な実施形態のいずれにも限定すべきではなく、もっぱら以下の特許請求の範囲およびその等価物に従って確定すべきである。
【符号の説明】
【０２５４】
１０  個人
２０  トレーナ
３０  プレーイングフィールド
３２  命令マーカ
３４  確認マーカ
４０  スポーツオブジェクト
１００  グループモニタリングシステム
２００  個人モニタ
２０２  センサ
２０４  センサ衣類
２０６  心拍数モニタ
２０８  位置センサ
２１２  バッテリ
２１４  データポート
２１６  位置モジュール
２１８  心拍数モニタモジュール
２２０  コントローラ
２２２  ユーザインタフェース
２２３  トランシーバ
２２４  アンテナ
２２６  加速度センサモジュール
２２８  メモリ
２３０  ジャイロスコープモジュール
２３２  磁気計モジュール
２３３  温度センサモジュール
２３４  ハウジング
２３６  コネクタ
２３８  入力手段
２４０  ドッキングポート
２４２  モニタ識別情報
２５０  オブジェクトモニタ
３００  基地局
３０２  データ受信モジュール
３０４  データ処理モジュール
３１０  中央同期モジュール
３１２  論理モジュール
３１４  ウェブサーバモジュール
３１６  基地局データベース
３１８  ドッキングポート
３２２  車輪
３２４  取っ手
３２６  シェル型ケース
３２８  ダッフルバッグ型ケース
３３０  アンテナ
３３２  データ読み取りモジュール
３３４  基準センサ
４００  グループモニタリングデバイス
４０１  過去レポートメニュー
４０２  ディスプレイ
４０３  レポートジェネレータ
４０４  入力手段
４０５  リスト
４０６  名前
４０７  チームチャート
４０８  背番号
４０９  一意識別子
４１０  写真
４１１  チャート
４１２  ロケーションコンポーネント
４１３  ヒートマップ
４１４  注目メトリック
４１５  ヒートマップ
４１６  凡例
４１７  スポーツオブジェクトのタイプ
４１８  チャートおよび／またはグラフ
４２０  トレーニングゾーン
４２２  メモフィールド
４２４  セッションタイムライン
４２５  メモアイコン
４２６  マーカ追加ボタン
４２８  選択機能
４３０  注目メトリック選択肢
４３２  アラートアイコン
４３４  ポップアップボックス
４３６  チャートおよび／またはグラフ
４３８  アラート管理ウィンドウ
４３９  メモ作成ウィンドウ
４４０  マーカ
４４２  マーカ追加ウィンドウ
４４４  メモ入力エリア
４４６  モジュール選択要素
４４８  アラート管理アイコン
４５２  セッション制御モニタ
４５４  セッション情報特徴
４５６  ダイアグラム
４５８  説明
４６０  スケジュール
４６２  ステータスバー
４６４  計画モジュールアイコン
４６６  モニタモジュールアイコン
４６８  解析モジュールアイコン
４７０  レポートモジュールアイコン
４７２  パイチャート
４７６  タイムライン情報ウィンドウ
４７８  タイムライン
４８０  メニュー
４８１  メニュー
４８２  セッション持続時間
４８４  活動編集ウィンドウ
４８６  トレーニング目標およびアラートウィンドウ
４８８  カレンダ
４９０  詳細スケジュールウィンドウ
４９２  セッションリスト
４９４  インジケータ
４９６  ステータスアイコン
４９８  ステータスメニュー
５００  ウェブサーバシステム
５０２  ウェブサーバデータベース
６００  解析デバイス
６０２  ディスプレイ
６０４  入力手段
６１８  チャートまたはグラフ
６２０  外れ値解析
６２２  棒グラフ
６２４  星型グラフ
７００  カメラモニタリングシステム
８００  ビデオフィードシステム
８０２  ビデオディスプレイ
８０４  ビデオフィードカメラ
９５０  リアルタイムモニタリングフロー
９６０  セッション後データ整合性フロー
９７０  セッション後解析フロー
【図１】
2014014683.tif 000005
【図２Ａ】
2014014683.tif 000006
【図２Ｂ】
2014014683.tif 000007
【図３】
2014014683.tif 000008
【図４】
2014014683.tif 000009
【図５】
2014014683.tif 000010
【図６】
2014014683.tif 000011
【図７】
2014014683.tif 000012
【図８】
2014014683.tif 000013
【図９】
2014014683.tif 000014
【図１０】
2014014683.tif 000015
【図１１】
2014014683.tif 000016
【図１２】
2014014683.tif 000017
【図１３】
2014014683.tif 000018
【図１４】
2014014683.tif 000019
【図１５】
2014014683.tif 000020
【図１６】
2014014683.tif 000021
【図１７】
2014014683.tif 000022
【図１８】
2014014683.tif 000023
【図１９】
2014014683.tif 000024
【図２０】
2014014683.tif 000025
【図２１】
2014014683.tif 000026
【図２２】
2014014683.tif 000027
【図２３】
2014014683.tif 000028
【図２４】
2014014683.tif 000029
【図２５】
2014014683.tif 000030
【図２６】
2014014683.tif 000031
【図２７】
2014014683.tif 000032
【図２８】
2014014683.tif 000033
【図２９】
2014014683.tif 000034
【図３０】
2014014683.tif 000035
【図３１】
2014014683.tif 000036
【図３２】
2014014683.tif 000037
【図３３Ａ】
2014014683.tif 000038
【図３３Ｂ】
2014014683.tif 000039
【図３４】
2014014683.tif 000040
【図３５Ａ】
2014014683.tif 000041
【図３５Ｂ】
2014014683.tif 000042
【図３５Ｃ】
2014014683.tif 000043
【図３５Ｄ】
2014014683.tif 000044
【図３６Ａ】
2014014683.tif 000045
【図３６Ｂ】
2014014683.tif 000046
【図３７Ａ】
2014014683.tif 000047
【図３７Ｂ】
2014014683.tif 000048
【図３８】
2014014683.tif 000049
【図３９】
2014014683.tif 000050
【図４０】
2014014683.tif 000051
【図４１】
2014014683.tif 000052
【図４２Ａ】
2014014683.tif 000053
【図４２Ｂ】
2014014683.tif 000054
【図４２Ｃ】
2014014683.tif 000055
【図４２Ｄ】
2014014683.tif 000056
【図４２Ｅ】
2014014683.tif 000057
【図４２Ｆ】
2014014683.tif 000058
【図４３】
2014014683.tif 000059
【図４４】
2014014683.tif 000060
【図４５】
2014014683.tif 000061
【図４６】
2014014683.tif 000062
【図４７】
2014014683.tif 000063
【図４８】
2014014683.tif 000064
【図４９】
2014014683.tif 000065
【図５０】
2014014683.tif 000066
【図５１】
2014014683.tif 000067
【図５２】
2014014683.tif 000068
【図５３】
2014014683.tif 000069
【図５４】
2014014683.tif 000070
【図５５】
2014014683.tif 000071
【図５６】
2014014683.tif 000072
【図５７】
2014014683.tif 000073
【図５８】
2014014683.tif 000074
【図５９】
2014014683.tif 000075
【図６０】
2014014683.tif 000076
【図６１】
2014014683.tif 000077
【図６２】
2014014683.tif 000078
【図６３】
2014014683.tif 000079
【図６４】
2014014683.tif 000080
【図６５】
2014014683.tif 000081
【図６６】
2014014683.tif 000082
【図６７】
2014014683.tif 000083
【図６８】
2014014683.tif 000084
【図６９】
2014014683.tif 000085
【図７０】
2014014683.tif 000086
【図７１】
2014014683.tif 000087
【図７２】
2014014683.tif 000088
【図７３】
2014014683.tif 000089
【図７４】
2014014683.tif 000090
【図７５】
2014014683.tif 000091
【図７６】
2014014683.tif 000092
【図７７】
2014014683.tif 000093
【図７８】
2014014683.tif 000094
【図７９】
2014014683.tif 000095
【図８０】
2014014683.tif 000096
【図８１】
2014014683.tif 000097
【外国語明細書】
2014014683000001.pdf